(57)【要約】ゴルフバッグは、第１ステー、第２ステー、第２端部と反対側の第１端部を有するメインステー、を備える複数のステーと、仕切り頂部と、ベースと、を備える  ゴルフバッグは、メインステーの第１端部に連結された頂部ヒンジをさらに備える。ベースヒンジは、メインステーの第２端部に連結されてもよい。メインステーは、頂部ヒンジによって仕切り頂部にヒンジ連結されてもよい。ステーは、ベースヒンジによってベースにヒンジ連結されてもよい。ゴルフバッグの他の実施形態も記載される。【選択図】図１１３
2020531158.tif 000002
【特許請求の範囲】
【請求項１】
ゴルフバッグのためのサブアセンブリであって、
前記サブアセンブリは、
仕切り頂部と、
ベースと、
第１ステーと、第２ステーと、第２端部と反対側の第１端部を有するメインステーと、を含む複数のステーと、
前記メインステーの前記第１端部に連結された頂部ヒンジと、
前記メインステーの前記第２端部に連結されたベースヒンジと、
を備え、
前記メインステーは、前記頂部ヒンジによって前記仕切り頂部にヒンジ連結されており、
前記ステーは、前記ベースヒンジによって前記ベースにヒンジ連結されている、サブアセンブリ。
【請求項２】
前記サブアセンブリは、カートタイプのゴルフバッグに組み立てられるように構成されている、請求項１に記載のサブアセンブリ。
【請求項３】
前記サブアセンブリは、前記第１および第２ステーが両方とも前記仕切り頂部と係合解除されたときに、折り畳み可能である、請求項１に記載のサブアセンブリ。
【請求項４】
前記サブアセンブリは、前記第１および第２ステーが両方とも前記ベースと係合解除されたときに、折り畳み可能である、請求項１に記載のサブアセンブリ。
【請求項５】
前記メインステーは、前記第１端部から前記第２端部まで剛性を有する、請求項１に記載のサブアセンブリ。
【請求項６】
前記仕切り頂部は、前記メインステーに対して旋回するように構成されており、
前記ベースは、前記ステーに対して旋回するように構成されている、請求項１に記載のサブアセンブリ。
【請求項７】
前記仕切り頂部および前記ベースに連結された仕切りスリーブをさらに備える、請求項１に記載のサブアセンブリ。
【請求項８】
前記ベースは、ベースステー受容チャネルと、第１のベースステーハブと、第２のベースステーハブと、を備えており、
前記ベースステー受容チャネルは、前記メインステーに連結される前記ベースヒンジに係合するように構成されており、
前記第１のベースステーハブは、前記第１ステーと係合するように構成されており、
前記第２のベースステーハブは、前記第２ステーと係合するように構成されている、請求項１に記載のサブアセンブリ。
【請求項９】
前記仕切り頂部は、頂部ステー受容チャネルと、第１の頂部ステーハブと、第２の頂部ステーハブと、を備えており、
前記頂部ステー受容チャネルは、前記メインステーに連結される前記頂部ヒンジに係合するように構成されており、
前記第１の頂部ステーハブは、前記第１ステーと係合するように構成されており、
前記第２の頂部ステーハブは、前記第２ステーと係合するように構成されている、請求項１に記載のサブアセンブリ。
【請求項１０】
前記ベースは、外側リングをさらに備えており、
前記ベースステー受容チャネルは、前記外側リングの内面上に配置されている、請求項８に記載のサブアセンブリ。
【請求項１１】
前記ベースは、外側リングをさらに備えており、
前記第１のステーハブおよび前記第２のステーハブは、前記外側リングの外面上に配置されている、請求項８に記載のサブアセンブリ。
【請求項１２】
前記仕切り頂部は、外側リングをさらに備えており、
前記頂部ステー受容チャネルは、前記外側リングの内面上に配置されている、請求項９に記載のサブアセンブリ。
【請求項１３】
前記仕切り頂部は、外側リングをさらに備えており、
前記第１の頂部ステーハブおよび前記第２の頂部ステーハブは、前記外側リングの外面上に配置されている、請求項９に記載のサブアセンブリ。
【請求項１４】
平坦部と、サブアセンブリと、を備えるゴルフバッグであって、
前記サブアセンブリは、
仕切り頂部と、
ベースと、
第１ステーと、第２ステーと、第２端部と反対側の第１端部を有するメインステーと、を含む複数のステーと、
前記メインステーの前記第１端部に連結された頂部ヒンジと、
前記メインステーの前記第２端部に連結されたベースヒンジであって、前記メインステーは前記頂部ヒンジによって前記仕切り頂部にヒンジ連結されており、前記ステーは前記ベースヒンジによって前記ベースにヒンジ連結されている、前記ベースヒンジと、
を有しており、
前記平坦部は、サブアセンブリと係合してゴルフバッグを形成するように構成されている、ゴルフバッグ。
【請求項１５】
前記ゴルフバッグはカート型ゴルフバッグである、請求項１４に記載のゴルフバッグ。
【請求項１６】
前記メインステーは、前記第１端部から前記第２端部まで剛性を有する、請求項１４に記載のゴルフバッグ。
【請求項１７】
前記仕切り頂部は、前記メインステーに対して旋回するように構成されており、
前記ベースは、前記ステーに対して旋回するように構成されている、請求項１４に記載のゴルフバッグ。
【請求項１８】
前記仕切り頂部および前記ベースに連結された仕切りスリーブをさらに備える、請求項１４に記載のゴルフバッグ。
【請求項１９】
前記ベースは、ベースステー受容チャネルと、第１のベースステーハブと、第２のベースステーハブと、を備えており、
前記ベースステー受容チャネルは、前記メインステーに連結される前記ベースヒンジに係合するように構成されており、
前記第１のベースステーハブは、前記第１ステーと係合するように構成されており、
前記第２のベースステーハブは、前記第２ステーと係合するように構成されている、請求項１４に記載のゴルフバッグ。
【請求項２０】
前記仕切り頂部は、頂部ステー受容チャネルと、第１の頂部ステーハブと、第２の頂部ステーハブと、を備えており、
前記頂部ステー受容チャネルは、前記メインステーに連結される前記頂部ヒンジに係合するように構成されており、
前記第１の頂部ステーハブは、前記第１ステーと係合するように構成されており、
前記第２の頂部ステーハブは、前記第２ステーと係合するように構成されている、請求項１４に記載のゴルフバッグ。
【発明の詳細な説明】
【関連出願の相互参照】
【０００１】
本出願は、２０１７年１０月１９日に出願された米国特許出願第１５／７８８，５３５号の一部継続である。第１５／７８８，５３５号は、２０１７年２月２０日に出願された米国特許出願第１５／４３７，３３７号の一部継続である。第１５／４３７，３３７号は、２０１７年１月１２日に出願された米国特許出願第１５／４０５，１５４号の継続である。第１５／４０５，１５４号は、２０１６年３月２日に出願され、現在は米国特許第９，５８６，１０９である米国特許出願第１５／０５８，４１４号の継続である。第１５／０５８，４１４号は、２０１６年２月１６日出願の仮特許出願第６２／２９５，５６７号、および、２０１５年４月２２日出願の仮特許出願第６２／１５１，１５５号、および、２０１５年３月２日出願の仮特許出願第６２／１２７，０３３号、および、２０１５年８月２８日出願の仮特許出願第６２／２１１，５６８号の優先権を主張する。さらに、米国特許出願第１５／７８８，５３５号は、２０１６年１０月１９日に出願された米国仮特許出願第６２／４１０，０４４号および２０１７年２月２０日に出願された米国仮特許出願第６２／４６１，０５４号の優先権を主張する。本出願はまた、２０１７年８月２２日に出願された米国仮特許出願第６２／５４８，７２０号、および２０１７年１０月９日に出願された米国仮特許出願第６２／５７０，０２４号の優先権を主張し、これらの内容はすべて参照により本明細書に完全に組み込まれる。
【技術分野】
【０００２】
本開示は、ゴルフバッグに関する。より具体的には、本開示は、リベットを排除することによってバッグ組み立てを単純化するために、スナップフィットによって相互接続し、または他の方法で相互接続する、複数の構成要素から形成されるゴルフバッグに関する。これにより、包装体積を低減し、より効率的かつ費用効果の高い輸送をもたらす。本開示はまた、受取人によるゴルフバッグの自己組立を可能にするゴルフバッグ用キットに関する。
【背景技術】
【０００３】
ゴルフバッグは、ゴルフクラブを輸送するために使用される特別に設計されたバッグである。ゴルフバッグには、キャリーバッグおよびカートバッグの、２つの主要なクラスがある。ゴルフバッグは、製造および出荷に関して一定の制限を有する。例えば、公知のゴルフバッグは、典型的にはエンドユーザまたは売り場（point of sale）への出荷前に完全に組み立てられる。組み立てられたバッグのサイズを考慮すると、輸送パッケージは一般に、５，０００立方インチ（ｉｎ３）を超える体積を有する。輸送パッケージ料金が、パッケージ重量ベースの料金からパッケージサイズベースの料金にシフトすることにつれて、ゴルフバッグは過剰なパッケージ寸法のために追加料金を受けることになり、実質的に輸送コストを増加させている。さらに、中国、ベトナム、韓国などの海外からの組立品に対する関税の脅威は、ゴルフバッグ製造に対する解決策にさらなる圧力を与える。したがって、当技術分野では、ゴルフバッグを出荷するためのパッケージ容積を減少させること、およびエンドユーザまたは販売店受取人が受領後にゴルフバッグを容易に組み立てることができるようにするゴルフバッグシステムが必要とされている。
【０００４】
さらに、両方のタイプのゴルフバッグの組み立ては、しばしば、バッグの特定の部品（内側および外側）が異なる工場で製造され、次いで、異なる製造現場で組み立てられる。これは、ゴルフバッグの各構成要素および組み立てられたゴルフバッグ自体全体を出荷する際の、パッケージサイズおよびパッケージ体積の必然的な増加につながる。輸送パッケージ料金がパッケージ重量からパッケージサイズにシフトすることにつれて、ゴルフバッグ構成要素、アクセサリ、および完成品全体は、過剰なパッケージ寸法、および実質的に増加する輸送コストのために、追加料金を受けることになる。したがって、当技術分野では、ゴルフバッグ全体またはゴルフバッグの一部を出荷するためのパッケージ容積を低減すること、および、低減された容積の出荷サプライチェーンでゴルフバッグを容易に組み立てる方法が必要とされている。
【０００５】
公知のカートバッグおよびキャリーバッグは、いくつかの一般的な構成要素を有する。両方のバッグは、ベースと、１つ以上の仕切りを有する頂部と、少なくとも１つのステーと、１つ以上の貯蔵ポケットを有するほぼ円筒形の平坦部（「外側シェル」または「外側ハウジング」としても知られる）と、を含む。少なくとも１つのステーは、ベースと頂部とを相互接続して、サブアセンブリを画定する。次に、サブアセンブリを円筒形平坦部に接続して、既知のゴルフバッグを画定する。ゴルフバッグの組み立て中、円筒形平坦部と頂部は、円周方向に重なるように配置される。次に、複数のリベットが、平坦部と頂部とを固定するために頂部円周の周りに設置される。同様に、平坦部とベースも円周方向に重なるように配置され、次いで、複数のリベットがベース円周の周りにセットされて、円筒形平坦部とベースを固定する。このプロセスは、ゴルフバッグ構成要素の耐久性のある取付けをもたらす。以前は、組み立てプロセスは複雑であり、時間集約的であり、労働集約的であった。ゴルフバッグ構成要素は適切に整列されなければならず、これは、しばしば、調整および再整列を必要とする。一旦整列されると、各リベットは、バッグの頂部および底部の両方の周りに、個別にセットされなければならない。
【０００６】
既知のゴルフバッグのサブアセンブリおよび平坦部は、典型的には第１の場所で製造され、次いで、組み立てのために第２の場所に出荷される。サブアセンブリは、ベースおよび頂部に接続されるとともにベースと頂部を分離する少なくとも１つのステーを備えたゴルフバッグフレームを画定するように、製造される。同様に、平坦部は、ほぼ円筒形または管状の形状に製造される。第２の場所への出荷後、平坦部はサブアセンブリに固定される。第２の場所で組み立てた後、ゴルフバッグは、完全に組み立てられた状態で消費者に出荷される。
【０００７】
製造手段（すなわち、リベット締め）を用いずに容易に組み立てることができるゴルフバッグが、当技術分野で必要とされている。（折り畳まれた形態などの）キットで出荷することができ、ベンダーまたは組立現場への配送時に最小限の組立工程および製造ツールしか必要としないゴルフバッグが、必要とされている。さらに、出荷コストを低減するために、当技術分野では、完成したゴルフバッグに必要とされるよりも小さい包装で受取人に出荷することができるゴルフバッグが、必要とされている。
【図面の簡単な説明】
【０００８】
図１Ａは、展開された三脚形態のスタンドアセンブリを有するゴルフバッグの第１の側面の斜視図である。
【０００９】
図１Ｂは、図１Ａのゴルフバッグの左側図であり、ストラップが付いていない収納形態である。
【００１０】
図１Ｃは、図１Ｂのゴルフバッグの正面図である。
【００１１】
図１Ｄは、図１Ｂのゴルフバッグの右側面図である。
【００１２】
図１Ｅは、図１Ｂのゴルフバッグの背面図である。
【００１３】
図２は、図１Ａのゴルフバッグの第１の側とは反対側の第２の側の斜視図であり、サブアセンブリを示すために平坦部が取り除かれている。
【００１４】
図３は、図２のゴルフバッグの斜視図であり、バッグの運搬を容易にするために、スタンドが引っ込められた形態にあるサブアセンブリを示す。
【００１５】
図４は、図３の線４−４に沿って取られた図２のゴルフバッグの一部の側面図である。ベーススタンドアセンブリが収納形態にあるときに、分割スリーブをベースに結合する複数の接続部材と、分割スリーブとベースとの間のギャップとを含むサブアセンブリの一部と、を示す。
【００１６】
図５は、図４のゴルフバッグの部分の斜視図である。自己締結係合の態様を示すために締結されていない接続部材を示す。
【００１７】
図６Ａは、図２のゴルフバッグのベースの一部の斜視図である。ゴルフバッグが脚部を引っ込めた運搬形態にあるときの、仕切りスリーブとベースとの間の代替的な接続を示す。
【００１８】
図６Ｂは、図１Ａのゴルフバッグと同様のゴルフバッグの側面透視図である。ベース上にスナップ接続されるかクリップ留めされる仕切りスリーブを有する。
【００１９】
図６Ｃは、図６Ｂのゴルフバッグのサブアセンブリの拡大側面図である。
【００２０】
図７は、図２の線７−７に沿った図２のゴルフバッグの一部の斜視図である。仕切りスリーブが取付けられた仕切り頂部を示す。
【００２１】
図８は、図７のゴルフバッグの一部の斜視図であり、仕切りスリーブが取り外された仕切り頂部を示す。
【００２２】
図９は、図７のゴルフバッグの一部の斜視図であり、自己締結係合によって仕切り頂部の一部に結合する仕切りスリーブの一部を示す。
【００２３】
図１０は、図７のゴルフバッグの一部の斜視図であり、自己締結係合によって仕切り頂部の外側リングの一部に結合する仕切りスリーブの一部を示す。
【００２４】
図１１は、図３のゴルフバッグサブアセンブリの側面図である。
【００２５】
図１２は、図２の線１２−１２に沿った、図２のゴルフバッグサブアセンブリの部分斜視図である。
【００２６】
図１３は、図１のゴルフバッグの仕切り頂部から分離された脚部取付けブラケットの前側の斜視図である。
【００２７】
図１４は、図１３の仕切り頂部から分離された脚部取付けブラケットの側面斜視図である。
【００２８】
図１５は、図１３の仕切り頂部から分離された脚部取付けブラケットの後方斜視図である。
【００２９】
図１６は、代替的な仕切り頂部の斜視図である。
【００３０】
図１７は、図１６の仕切り頂部と共に使用するための別の脚部取付けブラケットの、後方斜視図である。
【００３１】
図１８は、代替的な仕切り頂部の底面斜視図である。
【００３２】
図１９は、一実施形態による端部キャップの斜視図である。
【００３３】
図２０は、図１のゴルフバッグの仕切り頂部の一部の斜視図である。脚部取付けブラケットが仕切り頂部とスナップフィット接続されている。端部キャップが、脚部に取付けられるとともに、脚部取付けブラケットの脚部アンカーによって受け入れられる。
【００３４】
図２１は、ステーが取り外され、第１の形態にある、頂部ステーヒンジの斜視図である。
【００３５】
図２２は、図２１の頂部ステーヒンジの斜視図である。頂部ステーヒンジは、ステーの第１の端部に接続され、第２の形態にある。
【００３６】
図２３は、図１のゴルフバッグに使用するための第１のヒンジ位置にある頂部ステーヒンジの斜視図である。
【００３７】
図２４は、第２の非ヒンジ位置にある、図２３の頂部ステーヒンジの斜視図である。
【００３８】
図２５は、ステーの第２の端部に接続されたベースステーヒンジの斜視図である。
【００３９】
図２６Ａは、一実施形態による、図１Ａのゴルフバッグに使用するためのベースステーヒンジの側面図である。
【００４０】
図２６Ｂは、一実施形態による、図１Ａのゴルフバッグに使用するためのベースステーヒンジの側面図である。
【００４１】
図２７Ａは、図２６Ａのベースステーヒンジの頂部の立面図である。
【００４２】
図２７Ｂは、図２６Ｂのベースステーヒンジの頂部の立面図である。
【００４３】
図２８Ａは、ヒンジアームの屈曲を示す、図２６Ａのベースステーヒンジの側面の立面図である。
【００４４】
図２８Ｂは、ヒンジアームの屈曲を示す、図２６Ｂのベースステーヒンジの側面の立面図である。
【００４５】
図２９は、図２１の頂部ステーヒンジの斜視図であり、頂部ステーヒンジは、ステーの第１の端部に接続されている。
【００４６】
図３０は、図１のゴルフバッグの平坦部の外側の斜視図である。
【００４７】
図３１は、図１のゴルフバッグの平坦部の内部の斜視図である。
【００４８】
図３２は、可撓性材料のストリップ上に成形された複数のスナップツリーによる、平坦部とベースとの間の代替的なスナップフィット取付けの斜視図である。
【００４９】
図３３は、図３２の平坦部とベースとの間の代替的なスナップフィット取付けの斜視図であり、平坦部とベースとを接続する可撓性材料のストリップを示す。
【００５０】
図３４は、図３３の線３４−３４に沿った、図３２の平坦部とベースとの間の代替的なスナップフィットアタッチメントの一部の側面図である。平坦部およびベースの対応する穴によって受け入れられる単一のスナップツリーを示す。
【００５１】
図３５は、ゴルフバッグのための展開可能なポケットアセンブリの実施形態の斜視図である。ポケットアセンブリは、展開された形態で示され、靴を含む。
【００５２】
図３６は、図３５の線３６−３６に沿って取られた、展開された形態における図３５の展開可能なポケットアセンブリの上面図である。靴が取り外されたシューズポケットを示す。
【００５３】
図３７は、図３５の展開可能なポケットアセンブリの上面図である。シューポケットが実線で格納された形態にあり、破線で展開された形態にあることを示す。
【００５４】
図３８は、展開形態にある２つのシューズポケットを示す、図３５のゴルフバッグの斜視図である。
【００５５】
図３９は、一実施形態によるシューズポケットアセンブリの側面図である。
【００５６】
図４０は、ゴルフバッグの別の実施形態の第１の側面の側面図である。
【００５７】
図４１は、図４０のゴルフバッグの第２面（裏面）の側面図である。
【００５８】
図４２は、図４０のゴルフバッグの第１の側とは反対側の第３の側の側面図である。
【００５９】
図４３は、図４０のゴルフバッグの第２面とは反対側の第４面（前面）の側面図である。
【００６０】
図４４は、図４０のゴルフバッグの側面図であり、ポケットは継ぎ目に沿って旋回されている。
【００６１】
図４５は、図４０のゴルフバッグの側面図であり、ポケットは継ぎ目に沿って旋回されている。
【００６２】
図４６は、図４０のゴルフバッグの斜視図であり、ポケットと防水処理を受ける平坦部との間の継ぎ目を示す。
【００６３】
図４７は、折り畳まれた形態のゴルフバッグのためのサブアセンブリの実施形態の斜視図である。
【００６４】
図４８は、拡張形態における図４７のサブアセンブリの斜視図である。
【００６５】
図４９は、図４７のサブアセンブリの斜視図であり、平坦部の端部が仕切り頂部とスナップフィット接続された状態で配置されていることを示している。
【００６６】
図５０は、図４７のサブアセンブリの斜視図であり、平坦部の端部がベースとスナップフィット接続された状態で配置されていることを示す。
【００６７】
図５１は、図４７のサブアセンブリの斜視図である。平坦部の端部がベースとスナップフィット接続され、追加のスナップフィット接続されている状態を示す。
【００６８】
図５２は、図４７のサブアセンブリの斜視図である。仕切り頂部およびベースの両方との平坦部のスナップフィット接続、および封止される平坦部の継ぎ目を示す。
【００６９】
図５３は、組み立てられたスナップフィットゴルフバッグの斜視図である。
【００７０】
図５４は、分解されたゴルフバッグおよび関連する自己組立システムを出荷する際に使用するためのボックスの上面の立面図である。ボックスは、上面を示すより大きな既知のボックスの隣に配置され、組み立てられたゴルフバッグを出荷するために使用される。
【００７１】
図５５は、図５４の箱の側面の立面図である。箱はより大きな既知の箱の隣に配置され、側面を示し、組み立てられたゴルフバッグを出荷するために使用される。
【００７２】
図５６は、図５４のボックスの一部に印刷されたしるしの立面図であり、しるしは組立説明書として示されている。
【００７３】
図５７は、輸送中に収納された、折り畳まれ、部分的に組み立てられた状態のゴルフバッグの斜視図である。
【００７４】
図５８は、図５７のゴルフバッグを組み立てるための自己組立システムの実施例の斜視図である。
【００７５】
図５９は、スタンドアセンブリばね用のコネクタと、自己組立を容易にするためにコネクタに係合するベースの一部と、の斜視図である。
【００７６】
図６０は、自己組立後にベースと係合することを示す図５９のコネクタの斜視図である。
【００７７】
図６１は、脚部自己組立システムの一部である。特に、それぞれの脚部に接続され、脚部を図５７のゴルフバッグの取付けブラケットに接続するための取り外し可能なピンを有する端部キャップの斜視図である。
【００７８】
図６２は、図６１に示すピンの立面図である。
【００７９】
図６３は、脚部に取り外し可能に接続された位置合わせ補助の立面図であり、２つの取り外し可能なピンを有する。
【００８０】
図６４は、例示の目的で取付けられた１つの脚部および取付けられた１つのピンを示す、位置合わせ補助具の代替実施形態の第１の側面の斜視図である。
【００８１】
図６５は、図６４の位置合わせ補助の第２の側面の斜視図である。
【００８２】
図６６は、図５８の脚部自己組立システムの一部分の斜視図である。脚部自己組立システムは組立中にゴルフバッグ取付けブラケットと整列し、それによって受け入れられる。
【００８３】
図６７は、図５７のゴルフバッグの一部分の斜視図であり、ばねの一部分を取り囲み、ラッチされていない構成のストラップを示す。
【００８４】
図６８は、図５８の脚部自己組立システムと共に使用するための多部品端部キャップの斜視図である。
【００８５】
図６９は、第２の部品から分離された第１の部品を示す、図６８の多部品端部キャップの第１の側面の斜視図である。
【００８６】
図７０は、図６９の多部品端部キャップの第２の側面の斜視図である。
【００８７】
図７１は、第２の部品を保持するための戻り止めを有する内部を示す、図６９の多部品端部キャップの第１の部品の斜視図である。
【００８８】
図７２は、図６８の多部品端部キャップの斜視図であり、脚部取付けブラケットに取付けられた脚部の完成した自己組立てを示す。
【００８９】
図７３は、図５７のゴルフバッグの一部の斜視図であり、スプリングを各脚に接続するブラケットを示す。
【００９０】
図７４は、図７３のブラケットの第１の斜視図である。
【００９１】
図７５は、図７３のブラケットの第２の斜視図である。
【００９２】
図７６は、折り畳まれ、部分的に組み立てられた図５７のゴルフバッグを組み立てる方法の概略図である。
【００９３】
図７７は、ツーピースベースアセンブリシステムの斜視図である。
【００９４】
図７８は、図７７のツーピースベースアセンブリシステムのリング部分の正面図である。
【００９５】
図７９は、図７８のリング部分のスナップタブの斜視図である。
【００９６】
図８０は、図７７のツーピースベースアセンブリシステムのベースの斜視図である。
【００９７】
図８１は、図７７の組み立てられたツーピースベースアセンブリシステムの斜視図である。
【００９８】
図８２は、仕切り頂部に組み立てられたカバーの斜視図である。
【００９９】
図８３は、互いに分離された図８２のカバーおよび仕切り頂部の斜視図である。
【０１００】
図８４は、図８２のカバーの底面図である。
【０１０１】
図８５は、膨張式のヒップパッド用のゴルフバッグ上のポケットの斜視図である。
【０１０２】
図８６は、膨張式のヒップパッドの実施形態の斜視図である。
【０１０３】
図８７は、ショルダーストラップの斜視図である。
【０１０４】
図８８は、端部キャップの別の実施形態の斜視図である。
【０１０５】
図８９は、取付けブラケットの別の実施形態の斜視図である。
【０１０６】
図９０は、組み立てられた位置にある、図８８の端部キャップおよび図８９の取付けブラケットの斜視図である。
【０１０７】
図９１は、ベースアセンブリシステムの別の実施形態の分解図である。
【０１０８】
図９２は、図９１のベースアセンブリシステムの上面斜視図である。
【０１０９】
図９３Ａは、スナップ留めカラーシステムの実施形態の斜視図である。
【０１１０】
図９３Ｂは、ジッパーが開いた状態の、図９３Ａのスナップ留めカラーシステムの斜視図である。
【０１１１】
図９３Ｃは、ジッパーが開いており、弾性体が伸びている、図９３Ａのスナップ留めカラーシステムの斜視図である。
【０１１２】
図９４Ａは、組み立てられたモジュール式仕切り頂部の実施形態の斜視図である。
【０１１３】
図９４Ｂは、組み立てられたモジュール式仕切り頂部の実施形態の斜視図である。
【０１１４】
図９５は、モジュール式仕切り頂部の頂部リングの斜視図である。
【０１１５】
図９６は、一実施形態による、モジュール式仕切り頂部の頂部リングの斜視上面図である。
【０１１６】
図９７Ａは、図９４Ａのモジュール式仕切り頂部の交差部材部分の斜視図である。
【０１１７】
図９７Ｂは、図９４Ｂのモジュール式仕切り頂部の交差部材部分の斜視図である。
【０１１８】
図９８は、図９７Ａの交差部材部分の斜視上面図である。
【０１１９】
図９９は、一実施形態による、モジュール式仕切り頂部の頂部リング上に挿入されている交差部材部分の斜視側面図である。
【０１２０】
図１００は、一実施形態による、仕切りスリーブに取付けられたモジュール式仕切り頂部の交差部材部分の斜視図である。
【０１２１】
図１０１Ａは、一実施形態による、仕切り頂部から分離された脚部取付けブラケットの前側の斜視図である。
【０１２２】
図１０１Ｂは、図１０１Ａの仕切り頂部に接続された図１０１Ａの脚部取付けブラケットの拡大斜視図である。
【０１２３】
図１０２は、一体成形された仕切り頂部および脚部取付けブラケットの斜視図である。
【０１２４】
図１０３は、一実施形態による、脚部取付けブラケットを受け入れるための窓を有する平坦部に挿入された脚部取付けブラケットを有する、仕切り頂部の斜視図である。
【０１２５】
図１０４は、平坦な完全に取付けられた図１０３の脚部取付けブラケットおよび仕切り頂部の斜視図である。
【０１２６】
図１０５Ａは、開いた形態における、ゴルフバッグの容易なアクセス／ジッパー付きポケットの実施形態の斜視図である。
【０１２７】
図１０５Ｂは、閉鎖形態における、ゴルフバッグの容易なアクセス／ジッパー付きポケットの実施形態の斜視図である。
【０１２８】
図１０６は、ゴルフバッグの別の実施形態の斜視図である。容易にアクセスでき、ジッパーで留められた図１１０のポケットの位置を示している。
【０１２９】
図１０７は、取り外し可能なポケットを有するゴルフバッグの別の実施形態の側面図である。
【０１３０】
図１０８は、図１１２のゴルフバッグの側面図であり、取り外し可能なポケットが部分的に接続された構成で示されている。
【０１３１】
図１０９は、図１１３のゴルフバッグの側面図であり、取り外し可能なポケットは、分離された形態で示されている。
【０１３２】
図１１０は、ゴルフバッグのリップの下に隠された取り外し可能なポケットを有するゴルフバッグの、別の実施形態の側面図である。
【０１３３】
図１１１は、一実施形態による取り外し可能なクーラーバッグと共に、取り外し可能なクーラーバッグを受け入れるように構成されたポケットを有する、カートバッグの斜視図である。
【０１３４】
図１１２は、一実施形態による、取り外し可能な冷却バッグの斜視図である。
【０１３５】
図１１３は、カートバッグの一実施形態の斜視図であり、平坦部の背後のステーの位置を示す。
【０１３６】
図１１４は、図１１３の線１１４−１１４に沿って見た、図１１３のゴルフバッグの斜視図である。
【０１３７】
図１１５は、図１１３のゴルフバッグの斜視図であり、サブアセンブリの一実施形態を示すために平坦部が取り除かれている。
【０１３８】
図１１６は、図１１４のゴルフバッグの斜視図であり、サブアセンブリを示すために平坦部が取り除かれている。
【０１３９】
図１１７は、図１１５の線１１７−１１７に沿って取った仕切り頂部の拡大図である。
【０１４０】
図１１８は、図１１６の線１１８−１１８に沿った仕切り頂部の拡大図である。
【０１４１】
図１１９は、図１１５の線１１９−１１９に沿った仕切り頂部の拡大図である。
【０１４２】
図１２０は、図１１６の線１２０−１２０に沿った仕切り頂部の拡大図である。
【０１４３】
図１２１は、図１１６の線１２１−１２１に沿った仕切り頂部の一部の拡大図である。
【０１４４】
図１２２は、図１１５に示すサブアセンブリの上面図である。
【０１４５】
図１２３は、ゴルフバッグを受け入れるように構成されたゴルフカートのライナの一部の一例の、上面図である。
【０１４６】
図１２４は、図１１３のゴルフバッグのベースがその中に配置された、図１２３のライナの上面図である。
【０１４７】
図１２５は、図１１３のゴルフバッグの頂部ステーハブの斜視図であり、ステーがその中に配置されている。
【０１４８】
図１２６は、ステーを取り外した状態の図１２５の頂部ステーハブの斜視図である。
【０１４９】
図１２７は、図１１３のゴルフバッグと共に使用するための頂部ステーハブの別の実施例の斜視図である。
【０１５０】
図１２８は、図１１３のゴルフバッグのベースステーハブの斜視図である。
【０１５１】
図１２９は、図１２８のベースステーハブの１つの拡大図である。
【０１５２】
図１３０は、図１１５のサブアセンブリに連結された仕切りスリーブの斜視図である。
【０１５３】
図１３１は、図１１５のサブアセンブリの仕切り頂部に取付けられた平坦部の一部の斜視図である。
【０１５４】
図１３２は、仕切り頂部および平坦部の一部の断面図である。
【０１５５】
図１３３は、図１１５のサブアセンブリのベースに取付けられている平坦部の一部の斜視図である。
【０１５６】
図１３４は、ベースおよび平坦部の一部の断面図である。
【０１５７】
図１３５は、折り畳まれた形態で示された、図１１３のゴルフバッグの斜視図である。
【０１５８】
図１３６は、折り畳まれた形態で示される、ゴルフバッグの別の実施形態の斜視図である。
【０１５９】
図１３７は、組み立てを示す図１３６のゴルフバッグの斜視図である。
【０１６０】
図１３８は、展開形態にある図１３６のゴルフバッグの斜視図である。
【０１６１】
図１３９は、折り畳まれた形態で示される、ゴルフバッグの別の実施形態の斜視図である。
【０１６２】
図１４０は、組み立てを示す図１０３のゴルフバッグの斜視図である。
【０１６３】
図１４１は、展開形態にある図１３９のゴルフバッグの斜視図である。
【０１６４】
図１４２は、折り畳まれた形態で示される、ゴルフバッグの別の実施形態の斜視図である。
【０１６５】
図１４３は、展開形態にある図１４２のゴルフバッグの斜視図である。
【０１６６】
図１４４は、平坦部の一部が除去されたゴルフバッグの別の実施形態の斜視図である。
【０１６７】
図１４５Ａは、取り外し可能なストラップ接続機構が取り外された形態にある、ゴルフバッグの別の実施形態の斜視図である。
【０１６８】
図１４５Ｂは、図１４５Ａのゴルフバッグの斜視図であり、撤去可能なストラップ接続メカニズムを添付した形態である。
【０１６９】
図１４６は、取り外し可能なストラップ接続機構が取り外された形態にある、図１４５Ａのゴルフバッグの拡大斜視図である。
【０１７０】
図１４７は、バッグ取付けタブがストラップ取付けタブから９０度の角度にある、図１４５Ｂの取り外し可能なストラップ接続機構の断面図である。
【０１７１】
図１４８は、バッグ取付けタブがストラップ取付けタブから１８０度の角度にある、図１４５Ｂの取り外し可能なストラップ接続機構の断面図である。
【０１７２】
以下に提示されるのは、複雑な工具を必要としないスナップフィット接続などの機械的手段によってゴルフバッグを組み立てることができるように製造された、キャリーバッグまたはカートバッグであり得るゴルフバッグである。このスナップフィットアセンブリは、輸送コスト、製造時間の経済的節約をもたらし、成形または特殊化された製造プラントでの完全な組み立てを必要とした以前のゴルフバッグではなく、エンドユーザがゴルフバッグを組み立てることを可能にする。ゴルフバッグは、仕切り頂部と、仕切りスリーブと、ベースと、平坦部とを備える。ゴルフバッグのいくつかの実施形態は、脚部およびばねを有するスタンドアセンブリをさらに備えることができる。スタンドアセンブリは、ゴルフバッグを支持するために展開することや、ゴルフバッグの便利な運搬または保管を可能にするために引っ込めることができる。上述のように、ゴルフバッグの構成要素は、ゴルフバッグの他の構成要素と係合するためにスナップフィット接続を使用することができる。スナップフィット接続は、熟練した労力と高価な装置を必要とするリベット締めの必要性を排除する。ゴルフバッグは、ゴルフバッグが組み立てられるサブアセンブリを備えることができる。スナップフィット接続はさらに、ゴルフバッグを、ゴルフバッグの最終使用者によって完成される自己組立キットとして製造することを可能にする。いくつかの実施形態では、ポケットなどの特定の構成要素がゴルフバッグから取り外し可能である。これらの構成要素の取り外し可能な性質は、ゴルフバッグの迅速かつ容易なカスタマイズを可能にする。
【０１７３】
サブアセンブリを組み込んだゴルフバッグは、以前に設計されたゴルフバッグを上回る利点を提供する。これらの利点には、（１）ベース付近での仕切りスリーブのバンチングまたはギャザー寄せを減少させることによって、ゴルフバッグに関するゴルファーの体験を改善すること、（２）スタンドアセンブリが展開された状態でゴルフバッグが三脚形態に配置されているときに、ゴルフバッグへのゴルフクラブの挿入およびゴルフバッグからのゴルフクラブの取り外しを容易にすること、が含まれる。さらに、接続部材は、製造プロセス中に仕切りスリーブ（およびサブアセンブリ）の張力を調整する能力を製造業者に提供する。さらに、スナップフィット接続および自己締結具（self-fasteners）を使用することによって、リベットなどの設置材料の削減、およびサブアセンブリを仕切り頂部およびベースに接続するための時間の短縮を含む、本明細書に記載のゴルフバッグの製造および組立中の効率およびコスト削減が実現される。この結果、ゴルフバッグの総組立時間およびコストが低減される。本発明の事前に組み立てられた性質、ならびに出荷量の減少のために、出荷コストおよび関税回避も達成可能である。
定義
【０１７４】
別段の定義がない限り、本明細書で使用されるすべての技術用語および科学用語は、当業者によって一般に理解されるものと同じ意味を有する。矛盾する場合には、定義を含めて、本文書が優先する。本明細書に記載されるものと類似または同等の好ましい方法および材料を、本発明の実施または試験において使用することができる。本明細書で言及される全ての刊行物、特許出願、特許および他の参考文献は、その全体が参照により組み込まれる。本明細書に開示される材質、方法、および実施例は、例示にすぎず、限定することを意図するものではない。
【０１７５】
用語「備える（comprise(s)）」、「含む（include(s)）」、「有する（having, has）」、「できる（can）」、「含む（contain(s)）」、およびその変形は本明細書で使用されるように、追加の行為または構造の可能性を排除しない、オープンエンドの移行句、用語、または単語であることが意図されている。単数形「１つの（a）」、「および（and）」、「前記（the）」は、文脈がそわないことを明確に指示しない限り、複数の参照を含む。明示的に記載されているか否かにかかわらず、他の実施形態が、本明細書で提示される実施形態または要素を「備える（comprising）」こと、「からなる（consisting of）」こと、および「実質的に成る（consisting essentially of）」ことを、本開示は図っている。
【０１７６】
量に関して使用される修飾語「約（about）」、「おおよそ（approximately）」、または「概略的に（roughly）」は、記載された値を含み、文脈によって指示される意味を有する（例えば、それは少なくとも、特定の量の測定に関連する誤差の程度を含む）。修飾語「約（about）」、「おおよそ（approximately）」、または「概略的に（roughly）」は、２つの終点の絶対値によって定義される範囲を開示するものとみなされるべきである。例えば、「約２〜約４」という表現は「２〜４」の範囲も開示する。用語「約（about）」、「おおよそ（approximately）」、または「概略的に（roughly）」は、示された数のプラスまたはマイナス１０％を指すことができる。例えば、「約１０％」は９％〜１１％の範囲を示すことができ、「約１」は０．９〜１．１を意味することができる。
【０１７７】
本明細書で使用される「ゴルフバッグ」は、ゴルフクラブを保持または保管するための特別なタイプの保管バッグを意味し得る。ゴルフバッグはゴルフクラブを長期間保管するために、またはプレイ中にゴルフクラブを移動させて保持するために使用することができる。いくつかのゴルフバッグはまた、ティー、ゴルフボール、レンジファインダー、ボールマーカー、ダイベット修理工具、ゴルフグローブ、クラブおよびゴルフバッグのためのレインギア、およびゴルフプレーヤがゴルフコース上でアクセスしたいと思う可能性のある雑多な物品などの他の装備を保存する手段を提供する。ゴルフバッグは以下に定義されるように、少なくとも平坦部、１つ以上のステー、ベース、および仕切り頂部を備える。
【０１７８】
本明細書で使用される「平坦部（Flat）」は、ゴルフバッグの仕切り頂部とベースとの間に取付けられ、それらの間に延在する管状部分、外側シェル、外側ハウジング、またはカバーを意味し得る。平坦部は、皮革、合成皮革、織物、または他の適切な材料から形成することができる。平坦部は、他の特徴の中でもとりわけ、１つまたは複数のポケットおよび少なくとも１つの運搬ハンドルを含むことができる。平坦部のいくつかの実施形態は、１つ以上のショルダーストラップをさらに備える。
【０１７９】
本明細書で使用される「ベース（Base）」は、ゴルフバッグの基礎である構成要素を意味し得る。ベースはゴルフクラブが平坦部の下端から落下するのを防止するために、ゴルフクラブを支持することができる。ベースは地面と接触することができ、平坦部に形状を提供する頑丈な構造を提供する。
【０１８０】
本明細書で使用される「仕切り頂部（Divider top）」は、ゴルフバッグの頂部に剛性の形状を与え、平坦部に挿入されるゴルフクラブを受けて仕切る（または選別する）ための開口部を備える構成要素を意味することができる。
【０１８１】
本明細書で使用される「ステー（Stay(s)）」は、平坦部に剛性を提供する１つまたは複数の剛性部材を意味することができる。１つ以上のステーは、ベースと仕切り頂部とを接続する。
【０１８２】
ゴルフバッグには、上述のように、「キャリーバッグ」および「カートバッグ」の２つのクラスがある。本明細書で使用される「キャリーバッグ」はその名前が暗示するように、ゴルフのラウンド中に典型的にゴルファーによってホールの間で運ばれるゴルフバッグを意味し得る。キャリーバッグは、典型的にはカートバッグよりも重量が小さい。重量を減らすために、キャリーバッグは、典型的にはカートバッグよりも軽量の材料で製造され、９インチ未満などのより小さい直径を有する可能性がある。いくつかのタイプのキャリーバッグがある。キャリーバッグは、三脚を形成し、自立位置を容易にするために展開する格納式脚部を含むスタンドバッグを含む。キャリーバッグは、ゴルフクラブを受け入れるが、重量をさらに低減するためにゴルフアクセサリのための最小の格納容量を有する、事実上、超軽量で可撓性の「スリーブ」である日曜バッグ（Sunday bag）を含む。
【０１８３】
本明細書で使用される「カートバッグ」は、典型的には直径が約９〜１４インチであり、ゴルフアクセサリ（例えば、ゴルフボール、レインギア、レンジファインダーなど）を保管するための複数のポケットを含み、典型的には皮革、合成皮革、または布帛を含む比較的硬く重い材料から製造されるゴルフバッグを意味し得る。カートバッグはその実質的なサイズ、重量、およびゴルフアクセサリを格納する能力のために、典型的には、ゴルフプレイ中にゴルファーによって持ち運ばれない。代わりに、カートバッグは、キャディ、電動カート、プッシュカート、またはプルカートによって搬送される。カートバッグの非限定的な例としては、スタッフバッグまたはツアーバッグが挙げられる。
【０１８４】
本明細書で使用される「スナップフィット接続（Snap fit connection）」は、押圧力を介して係合され、同じ値の反対の引っ張り力によって解放され得ない任意の接続を意味し得る。スナップフィット接続は、スナップファスナ、スナップフィットアタッチメント、締まりばめ（interference fit）、スナップボタン、または、（接続を形成するか、さもなければアセンブラによって接続される）他の同様の固定アセンブリとすることができる。工具を使用することなく、スナップフィット接続を固定することができる。
【０１８５】
ほとんどのスナップフィット接続は、少なくとも１つの可撓性構成要素を備える。典型的には、スナップフィット接続の１つの構成要素が突出部または傾斜部を有し、第２の受容構成要素は第１の構成要素の突出部または傾斜部を受容する窪み、開口部、またはハウジングを有する。しかしながら、スナップフィット接続は、この典型的な実施形態に限定されない。ゴルフバッグの多くの要素は形容詞として「スナップフィット」と記載されており、このことは、要素がスナップフィット接続を介して、それ自体またはゴルフバッグの別の要素のいずれかと係合され得ることを意味する。例えば、スナップフィットブラケットは、スナップフィット接続を介して仕切り頂部と係合されるブラケットであり得る。
【０１８６】
ここでいう「折り畳み（Collapse）」とは、ユニットを折り畳んだり、圧縮したり、曲げたり、圧縮したり、あるいはユニットの元の状態または展開状態よりも少ない体積を占める状態に変換する動作を意味する。ゴルフバッグの折り畳まれた状態を「出荷形態」とも呼ぶことができる。
【０１８７】
ここでいう「展開（Deploy）」とは、ユニットを展開したり、広げたり、開いたり、ユニットを折り畳んだ状態よりも多くの体積を占める状態に変換したりする動作をいう。ゴルフバッグの展開状態を「動作形態」ともいう。
【０１８８】
本明細書で使用される「受取人（Recipient）」は、ゴルフバッグのユーザ、供給会社（以下に定義される）から出荷される形態でゴルフバッグを受け取る人（顧客など）、売り場（point of sale）に関連する１人または複数の人（例えば、ゴルフショップなど）、卸売業者（distributor）、またはゴルフバッグを受け取る任意の他の人を意味することができる。
【０１８９】
本明細書で使用される「アセンブリ（Assembler）」は、ゴルフバッグを自己組立てすることを要求される受取人、またはゴルフバッグの組立てプロセスを補助する製造場所の作業者、のいずれかを意味し得る。
【０１９０】
本明細書で使用される「製造現場（Manufacturing site）」は、販売、出荷、またはその他の方法で受取人に与えられる前にゴルフバッグの組み立てが行われる、任意の工場、組立工場、供給会社、製造場所、倉庫、作業場、または他の場所を意味することができる。
【０１９１】
本明細書で使用される「供給会社（Supplying company）」は、ゴルフバッグを販売、出荷、または他の方法で配布している会社を意味することができる。上記で定義した製造サイトは、供給会社に所有され、契約され、監督され、雇用され、または他の方法で関連付けられることを理解されたい。
【０１９２】
本明細書で使用される「サブアセンブリ（Sub-assembly）」は、ゴルフバッグのいくつかの構成要素（例えば、ベースまたは仕切り頂部）の、グループ化、組み立て、ユニット化、または構造、を意味し得る。サブアセンブリは、ゴルフバッグの組み立てを完了するために使用することができる、部分的に組み立てられたユニットである。サブアセンブリの異なる実施形態は、異なる構成要素を備えることができる。多くの実施形態では、サブアセンブリは折り畳み可能である。サブアセンブリは以下に定義するように、ゴルフバッグキットに含めることができる。
【０１９３】
本明細書で使用される「ゴルフバッグキット（Golf bag kit）」は、ゴルフバッグに組み立てることができる構成要素または部品の集合体を意味することができる。キットは、組み立てに必要な工具を除いて、ゴルフバッグを完成させるのに必要な全ての構成要素を含む。キットは、部分的に組み立てられたゴルフバッグを含むことができる。ほとんどの実施形態では、キットがゴルフバッグの構成要素、部品、サブアセンブリ、および／または部分的に組み立てられた部分を含み、これらは輸送のために箱に折り畳まれる。言い換えれば、キットはゴルフバッグを拡張、展開、および／または完成させるために必要な構成要素とともに、折り畳まれた形態のゴルフバッグを含むことができる。キットを保持するために必要とされるボックスの容積は、一般に、完全に組み立てられたゴルフバッグを保持するために必要とされるボックスの容積よりも小さい。いくつかの実施形態では、キット構成要素が別個のボックスで出荷されるが、構成要素の全体的な出荷量は、完全に組み立てられたゴルフバッグの出荷量未満のままである。本開示の任意の実施形態が詳細に説明される前に、本開示は、その適用において、以下の説明に記載されるような、または図面に示されるような、構成要素の詳細または構成および配置に限定されないことを理解されたい。本開示は他の実施形態をサポートすることができ、様々な方法で実施または実行することができる。特定の実施形態の説明は、本開示の精神および範囲内にあるすべての修正、均等物、および代替物を網羅することから、本開示を限定することを意図していないことを理解されたい。また、本明細書で使用される語法および用語は説明の目的のためのものであり、限定とみなされるべきではないことを理解されたい。
【発明を実施するための形態】
【０１９４】
Ｉ．ゴルフバッグ
本明細書に記載されるのは、人間工学、耐久性、およびゴルフのラウンド中にゴルファーによって必要とされるゴルフクラブおよびゴルフ関連アイテムを保管および運搬するための多数の選択肢を犠牲にすることなく、輸送コストをさらに節約する、製造が容易なゴルフバッグである。ゴルフバッグは、スナップフィット構成要素を含むことができる。ゴルフバッグは、キャリーバッグまたはカートバッグであり得る。キャリーバッグは、１つ以上のストラップを含む少なくとも１つの平坦部と、１つのステーと、ベースと、仕切り頂部と、脚部を含むスタンドアセンブリと、を備える。カートバッグは、平坦部と、２つ以上のステーと、ベースと、仕切り頂部と、を少なくとも備える。説明および理解を容易にするために、また説明のみを目的として、以下の詳細な説明は、ゴルフバッグをキャリーバッグまたはカートバッグとして示す。参照された図は例示の目的のために提供され、本明細書に開示されるキャリーバッグ１０またはカートバッグ１０１０の態様は、任意の適切なクラス、タイプ、またはサイズのゴルフバッグに組み込まれてもよいことを理解されたい。一般に、ゴルフバッグ１０、１０１０は、フルセットの複数のゴルフクラブ、例えば、ドライバー、ウッド、ハイブリッド、アイアン、ウェッジ、および／またはパターのうちの１つ以上の組み合わせを含むゴルフクラブのセットを運ぶのに適したサイズである。フルセットのゴルフクラブは、折り畳み可能ではなく、クラブに応じて、約３２インチ〜約４９インチの長さを有する。
【０１９５】
図１〜９０、図９４Ａ〜１０４、および図１０７〜１１０は、キャリータイプのゴルフバッグに似た特徴および実施形態を有するゴルフバッグ１０の実施形態を示す。図９１〜９３Ｃ、図１０５Ａ〜１０６、および図１１１〜１４４は、典型的にはカートバッグに関連する特徴を有するゴルフバッグ１０１０の実施形態を示す。ゴルフバッグ１０およびゴルフバッグ１０１０について開示される特徴は、必要に応じて、キャリーバッグまたはカートバッグのいずれかに選択的に実装され得る。以下の説明の目的のために、ゴルフバッグ１０及び１０１０は、一般的なゴルフバッグとして、特にキャリーバッグ１０及びカートバッグ１０１０として参照される。
【０１９６】
図１Ｂ、１Ｃ、１Ｄ、および１Ｅは、それぞれ、ゴルフバッグ１０の実施形態の右側面図、背面図、左側面図、および正面図を示す。図１および図１１３を参照すると、ゴルフバッグ１０、１０１０の一般的な構成要素は、ベース３４、１０３４、仕切り頂部３０、１０３０、仕切りスリーブ４６、１０４６、１つ以上のステー３９、１０３９、および平坦部１４、１０１４を含む。ゴルフバッグ１０、１０１０は、サブアセンブリ４２、１０４２から形成することができる。サブアセンブリ４２、１０４２は、ベース３４、１０３４、仕切り頂部３０、１０３０、仕切りスリーブ４６、１０４６、１つまたは複数のステー３９、１０３９、および平坦部１４、１０１４のうち、１つまたは複数を備える。仕切り頂部３０、１０３０は、１つ以上のステー３９、１０３９、平坦部１４、１０１４、及び仕切りスリーブ４６、１０４６を取付ける。ベース３４、１０３４は、１つまたは複数のステー３９、１０３９、平坦部１４、１０１４、および仕切りスリーブ４６、１０４６を取付ける。１つまたは複数のステー３９、１０３９は、ゴルフバッグ１０、１０１０に剛性を与え、ベース３４、１０３４および仕切り頂部３０、１０３０を互いに対して固定位置に保持する。ほぼ円筒形の平坦部１４、１０１４は、ゴルフクラブを保管するための区画を画定し、仕切り頂部３０、１０３０とベース３４、１０３４との間に伸びる。仕切りスリーブ４６、１０４６は、仕切り頂部３０、１０３０に取付けられ、ベース３４、１０３４に向かって伸びる。仕切りスリーブ４６、１０４６は、接続部材５０を介して平坦部１４、１０１４のベース３４、１０３４または底端部に取付けられる。仕切り頂部３０、１０３０および仕切りスリーブ４６、１０４６はゴルフクラブが一緒に束にならないように、または互いに捕捉しないように、ゴルフバッグ１０、１０１０内のゴルフクラブを分離する手段を提供する。ゴルフバッグ１０、１０１０の構成要素は、以下のセクションでより詳細に説明される。
Ａ．仕切り頂部および仕切りスリーブ
【０１９７】
ゴルフバッグ１０、１０１０は、仕切り頂部３０、１０３０および仕切りスリーブ４６、１０４６を含む。図７、図８、図１１７及び図１１８は、仕切り頂部３０、１０３０を示す。図７は、仕切りスリーブ４６が取付けられた仕切り頂部３０を示す。図７に示すように、仕切り開口８２は、仕切り頂部３０からベース３４に向かって延びる仕切りスリーブ４６の複数の仕切り部分８６への入口を画定する。仕切り部分８６、１０８６はそれぞれ、１つ以上のゴルフクラブを受け入れ、クラブがゴルフバッグ１０、１０１０内に受け入れられている間に、ゴルファーが特定のゴルフクラブを選別または隔離することを可能にする。例えば、ゴルファーは、ウッドおよび／またはハイブリッドをアイアンから隔離することができる。別の例として、ゴルファーは、
低いロフトのアイアン（例えば、４番アイアンから７番アイアン）を高いロフトのアイアン（例えば、８番アイアンからウェッジ）とは別個の仕切り部分８６、１０８６にすることで、複数の仕切り部分８６、１０８６の間でアイアンをソートしてもよい。
【０１９８】
仕切り頂部３０、１０３０は、仕切り頂部３０、１０３０の周囲を画定する外側リング７４、１０７４を含む。仕切り頂部３０、１０３０は、１つ以上のハンドル３３、１０３ａ、１０３３ｂを構成する。これらは、仕切り頂部３０、１０３０と形成され、または他の方法で接続され、外側リング７４、１０７４によって定義される境界を超えて拡大している。図８、図１１７及び図１１８を参照すると、仕切りスリーブ４６、１０４６は、仕切り頂部３０、１０３０を更に示すために取り外されている。一実施形態では、少なくとも１つの交差部材７８、１０７８が外側リング７４、１０７４によって画定される部分を横切って延びて、複数の仕切り開口８２、１０８２を画定する。図８に示すように、複数の交差部材７８ａ、７８ｂがリング７４によって画定される部分を横切って延び、少なくとも１つの中間部材８０が交差部材７８ａ、７８ｂの間に延びて仕切り開口８２を画定する。交差部材７８、１０７８および／または中間部材８０、１０８０は２、３、４、５、６、７、８、９、１０、１１、１２、１３、１４、１５、１６、１７、１８、または２０個の開口を含むが、これらに限定されず、任意の適切な数の分割開口８２、１０８２を画定することができる。
【０１９９】
分割開口８２、１０８２は正方形、長方形、三角形、平行四辺形、台形、円形、および楕円形を含むが、これらに限定されず、様々な形状を含むことができる。複数の形状の分割開口８２、１０８２を同じ仕切り頂部３０、１０３０に実装して、パターンを作成することができる。いくつかの実施形態では、１つ以上の仕切り開口８２、１０８２は特定のタイプのクラブを収容するように成形される。例えば、図１１７の実施形態では、パターウェル開口１７１６がパター型クラブを収容するように設計されている。いくつかの実施形態では、１つまたは複数の開口８２、１０８２は仕切り頂部３０、１０３０の底縁部の上方の異なる高さで開口することができる。開口の異なる高さは、より短いクラブがより低い高さで開口する開口内に配置されることを可能にし、より長いクラブがより高い高さで開口する開口内に配置されることを可能にすることができる。
【０２００】
仕切り頂部３０、１０３０は、更に頂部ステー受容チャネル１６６、１７４ａを構成する。頂部ステー受容チャネル１６６、１７４ａは、頂部ステーヒンジ１６２、１７４０を受容するように構成され、そのステー３９、１０３９を仕切り頂部３０、１０３０に接続する。典型的には頂部ステー受容チャネル１６６、１７４ａは、外側リング７４、１０７４の内面に配置され、ゴルフバッグ１０、１０１０の背面に隣接して配置される。仕切り頂部３０、１０３０のいくつかの実施形態は、二次ステーを直接受け入れるための１つまたは複数のステーハブを備えることもできる。これらのステーハブは、外側リング７４、１０７４の外面に配置することができる。
【０２０１】
仕切り頂部３０、１０３０のいくつかの実施形態は、平坦部１４、１０１４と係合するための平坦部取付け機構をさらに備える。平坦部１４、１０１４に係合するための平坦部取付け機構は、取付け開口、スナップボタン、平坦部の自己締結接続部材に係合するための表面、または他の適切な接続手段を備えることができる。なお、大半の実施形態において、平坦部取付け機構は不可欠であるか、または外側リング７４、１０７４上に位置する。いくつかの実施形態では、平坦部が取付け機構を介して接続されるのではなく、仕切り頂部３０、１０３０に直接縫い付けられるか、または接着される。
【０２０２】
いくつかの実施形態では、仕切り頂部３０、１０３０は仕切り取付け機構をさらに備える。仕切り取付け機構は、取付け開口、スナップボタン、他のスナップフィット接続、仕切りスリーブ４６、１０４６の自己締結接続部材に係合する表面、または他の適切な接続手段を備えることができる。仕切りスリーブ４６、１０４６の仕切り頂部３０、１０３０への接続は、以下でさらに詳細に説明される。
【０２０３】
仕切り頂部３０、１０３０は、１つの一体部品として、または互いに接合された複数の部品として形成することができる。いくつかの実施形態では、仕切り頂部３０、１０３０は仕切り頂部３０、１０３０の容易なカスタマイズを可能にするために、複数の部品を含む。仕切り頂部３０、１０３０は、以下に説明するモジュール仕切り頂部アセンブリ８３０のような、モジュール仕切り頂部アセンブリとすることができる。仕切り頂部３０、１０３０は、以下に説明するカバー８７０などのカバーを備えることができる。仕切り頂部３０、１０３０の複数の部品による実施形態は、色のカスタマイズおよび／または仕切り開口カスタマイズを可能にすることができる。例えば、開口８２、１０８２の数および／または形状は、受取人の所望の開口パターンに基づいてカスタマイズされ得る。いくつかのゴルファーは各ゴルフクラブを個々の開口８２、１０８２に分類することを可能にするために、多数の開口８２、１０８２を好む。他のゴルファーはより大きな開口の各々に複数のクラブを容易に挿入できるように、少数の開口８２、１０８２を好む。
１．モジュール式仕切り頂部
【０２０４】
図９４〜図９７を参照すると、トップリング８４０および交差部材部分８５０を備えるモジュール式仕切り頂部アセンブリ８３０が示されている。モジュール式仕切りアセンブリ８３０の図示の実施形態はキャリーバッグの仕切り頂部３０に似ているが、モジュール式仕切りアセンブリ８３０の概念はゴルフバッグの任意のクラス、タイプ、または設計に適用することができる。仕切り頂部は、交差部材部分８５０が頂部リング部分８４０内に嵌合するように成形される。いくつかの実施形態では、交差部材部分８５０が仕切りスリーブ４６に取付けられる。トップリング８４０と交差部材部分８５０とのモジュラー結合は、交差部材部分８５０の様々な実施形態がトップリング８４０に交換可能に取付けられることを可能にする。これにより、ゴルフバッグ１０、１０１０における仕切りレイアウトのコスト効率のよいカスタマイズが可能になる。
【０２０５】
図９６に示すように、モジュール式仕切り頂部８３０のトップリング８４０は、壁８４１と、棚部８４２と、内部棚部８４３と、内部支持体８４４と、ハンドル８４５とを備えている。いくつかの実施形態は、２つ以上のハンドルを備える。壁８４１はトップリング８４０の底部を形成し、棚部８４２から垂直下方に延びる。壁８４１は、０．５〜２．５インチの高さを有することができる。壁８４１の高さは、壁８４１の底縁から棚部８４２との壁の交点まで測定される。例えば、壁の高さは、０．５、１．０、１．２、１．４、１．６、１．８、２．０、２．２、２．４、または２．５インチとすることができる。トップリング８４０の棚部８４２は、壁８４１から外側に延び、ゴルフバッグ１０本体の棚に対応する。棚部８４２は、ゴルフバッグ１０の上部にトップリング８４０を保持するのを助け、トップリング８４０がゴルフバッグ１０の本体内に滑り落ちるのを防止する。ハンドル８４５は、トップリング８４０がゴルフバッグ１０に取付けられたときにハンドル８４５がゴルフバッグ１０の裏側に位置するように、トップリング８４０の後端に位置する。トップリング８４０の内部棚部８４３は、交差部材部分８５０の棚部に対応する。内部棚部８４３は、トップリング８４０の内部全体を取り囲むことができる。または内部棚部８４３は、トップリング８４０の内部の一部のみを取り囲むことができる。
【０２０６】
いくつかの実施形態では、内部支持体８４４がトップリング８４０の複数の側面から内側に延びる。内部支持体８４４は、側部から側部への支持体および／または前部から後部への支持体（図示せず）を含むことができる。トップリング８４０は、支持体を含まないか、または１、２、３、４、５、もしくは６つの支持体を含むことができる。いくつかの実施形態では、内部支持体８４４が１５°と４５°との間の角度で内向きおよび上向きに延びるリブである。内部支持体８４４は、１５、２０、２５、３０、３５、４０、または４５度であり得る。これらのリブは、０〜２インチの長さを有することができる。リブの長さは、０．２、０．４、０．６、０．８、１．０、１．２、１．４、１．６、１．８、または２．０インチとすることができる。これらのリブは図２に示すように、各リブの一端でトップリングに接続することができる。他の実施形態では、内部支持体がトップリング８４０の一方の側からトップリング８４０の反対側に完全に（側部から側部への支持体）、またはトップリング８４０の前部から後部に完全に（前部から後部への支持体）延在する梁（図示せず）である。いくつかの実施形態では、前部から後部への支持体が２つ以上の側部から側部への支持体と交差してもよい。同様に、側部から側部への支持体は、２つ以上の前部から後部への支持体と交差してもよい。ビームは、真っ直ぐな又は弓形の形状をとることができる。図９５に示すような幾つかの実施形態は、内部支持体を含まない。いくつかの実施形態では、トップリング８４０がトップリング８４０の後端付近に内部突起８４６をさらに含む。内部突起８４６は、ステー３９がモジュール式仕切りアセンブリ８３０に接続するためのハブを含むことができる。ハブは、ステー３９を受け入れるために内部突起８４６内に上方に延びるキャビティを有する。
【０２０７】
図９６に示すように、モジュール式仕切り頂部８３０の交差部材部分８５０は、本体壁８５１と、外部棚部８５２と、複数の側部から側部への横断部材８５３と、複数の前部から後部への横断部材８５４とを備えている。本体壁８５１は、トップリング８４０内に嵌合するように寸法決めされている。外部棚部８５２は本体壁８５１を取り囲み、トップリング８４０の内部棚部８４３に対応する。トップリング８４０の内部棚部８４３および交差部材部分８５０の外側棚部８５２は、交差部材部分８５０がトップリング８４０の下を摺動するのを防止し、交差部材部分８５０を適所に固定するのを助ける。複数の横断部材８５３は、本体壁８５１の一方の側から本体壁８５１の反対側まで延びる１、２、３、４、又はそれ以上の横断部材を含むことができる。いくつかの実施形態では、１つ以上の側部から側部への横断部材８５３が、２つ以上の前部から後部への横断部材８５４と交差する。いくつかの実施形態では、１つ以上の横断部材８５３が、本体壁８５１に接触しない。複数の前後横断部材８５４は、１、２、３、４、５、又はそれ以上の横断部材を含むことができる。いくつかの実施形態では、１つ以上の前後横断部材８５４が２つ以上の側方横断部材８５３と交差する。いくつかの実施形態では、１つ以上の前後横断部材８５４が横断部材８５０の本体壁８５１に接触しない。
【０２０８】
側部から側部への横断部材８５３と前部から後部への横断部材８５４との構造的組み合わせは、ゴルフクラブを受け入れるための３、４、５、６、７、８、９、１０、１１、１２、１３、１４、又はそれ以上の開口部を形成する。いくつかの実施形態では、交換可能な交差部材部分８５０には、ゴルフクラブを受け入れるための４、５、７、または１４個の開口部が設けられる。図３および図４に示すように、交差部材は、トップリング８４０の内部支持体８４４と係合する中空溝またはチャネル８５５を備える。いくつかの実施形態では、交差部材部分８５０が、トップリング８４０上の内部突起８４６に対応するノッチ８５６をさらに含む。内部突起８４６およびノッチ８５６は、モジュール式仕切り頂部８３０の組立中に、交差部材部分８５０を頂部リング５４０と整列させる。
【０２０９】
仕切りスリーブ４６は、ゴルフバッグ１０の頂部からベース３４に向かって延びる１つ以上の区画を含む。図１００は、モジュール式仕切り頂部８３０の交差部材部分８５０に取付けられた仕切りスリーブ４６を示す。図４〜図６Ｃを参照して説明したように、仕切りスリーブ４６は、仕切りスリーブ４６の下端４７に複数の接続部材（またはファスナ）をさらに備えることができる。複数の接続部材は、１つ、２つ、３つ、４つ、５つ、６つ、またはそれ以上の接続部材を含むことができる。接続部材は、弾性片およびクリップ、スナップ、または任意の他の適切な機械的締結機構を備えることができる。仕切りスリーブのベースの接続部材は、ゴルフバッグ１０、１０１０のベースに、または平坦部１４の底端部に固定することができる。
【０２１０】
モジュール式仕切り頂部アセンブリ８３０の利点は、仕切り頂部の効率的なカスタマイズ、さっぱりとした外観、単一の仕切り頂部よりも軽い全体的な仕切り頂部重量、およびクラブシャフトに対するより良好な保護を含む。以下に説明するように、交差部材部分８５０はトップリング８４０よりも軽量の材料から形成することができるので、仕切り頂部３０、１０３０はより軽量化された全体重量を有することができる。仕切り頂部アセンブリ８３０のモジュールの性質により、製造業者は、カスタマイズされた交差部材部分８５０を提供することによって、より多くの色、テクスチャ、仕切りパターン、およびグラフィックオプションを受取人に簡単かつ高コスト効率で提供することができる。ゴルフバッグ１０、１０１０は、仕切り頂部８３０の交差部材部分８５０なしでほぼ完全に組み立てることができるので、供給会社は以下の方法の節で説明するように、トップリング８４０を有するバッグを事前に組み立て、後に、カスタマイズされた交差部材部分８５０をトップリング８４０に固定することができる。
２．仕切り頂部の交差部材上のカバー
【０２１１】
図８２〜図８４は仕切り頂部３０、１０３０の別の実施形態を示している。カバー８７０を、交差部材７８および中間部材８０の上に取付けることができる。カバー８７０は、交差部材７８、および、ゴルフバッグ１０、１０１０に挿入されたときに仕切り頂部３０、１０３０に衝突する任意のゴルフクラブを保護する。カバー８７０はさらに、仕切り頂部３０、１０３０の色のカスタマイズを可能にする。１つまたは複数の中間部材を備える仕切り頂部３０、１０３０の実施形態は、カバー８７０を備えることもできる。しかし本明細書の目的のために、１つの中間部材８０を備える実施形態のみが示されている。
【０２１２】
カバー８７０は、仕切り頂部３０との容易なワンステップ組立を可能にするワンピースシステムとすることができる。これは、仕切り頂部３０の各交差部材８７８及び中間部材８８０の周りにフラップ９０を巻き付けなければならないこととは反対である。いくつかのゴルフバッグでは、仕切りスリーブ４６、１０４６は、１つ以上のフラップ９０を備える。１つ以上のフラップ９０は、仕切りスリーブ４６、１０４６を仕切り頂部３０、１０３０に固定すること、および、仕切り頂部３０、１０３０の交差部材７８、８７８、１０７８を保護すること、という二重の目的を果たす。カバー８７０は、交差部材８７８および中間部材８８０の上にカバー８７０を配置するための組み立てを必要とするだけである。さらにカバー８７０は、色、テクスチャー、またはグラフィックのカスタマイズのためのより多くの機会を提供することができる。カバー８７０は、フラップ９０システムよりもゴルフクラブに大きな保護を提供する可能性を有する。
【０２１３】
カバー８７０は、仕切り頂部３０に固定又は接着することができる。カバー８７０は、仕切り頂部３０の外側リング７４と同じ輪郭に従うことができるカバー外側リング８７４を含むことができる。さらに、カバー外側リング８７４は、組み立てられたときにカバー外側リング８７４の外面が外側リング７４の内面に隣接するように、外側リング７４の外周よりも小さい外周を有することができる。カバー８７０は、カバー外側リング８７４の一部を横切って延在し、複数のカバー開口８８２を画定し、仕切り頂部３０の少なくとも１つの交差部材７８に対応する、少なくとも１つの交差部材カバー８７８をさらに含む。いくつかの実施形態では、図８３を参照すると、複数の交差部材カバー８７８ａ、８７８ｂがカバー外側リング８７４によって画定される部分を横切って延びている。少なくとも１つの中間部材カバー８８０が、交差部材カバー８７８ａ、８７８ｂの間に延びて、仕切り開口８２に対応するカバー開口８８２を画定する。下方から見たときの図８４を参照すると、クロスメンバカバー８７８および中間部材カバー８８０は、組み立てられたときにクロスメンバ７８および中間メンバ８０がチャネル８９０の内側に嵌合するように、チャネル８９０を含む。
【０２１４】
他の実施形態では、カバー８７０が、交差部材カバー８７８および少なくとも１つの中間部材カバー８８０を含むことができるとともに、カバー外側リング８７４を欠くことができる。これらまたは他の実施形態では、下から見たとき、交差部材カバー８７８および中間部材カバー８８０は、交差部材７８および中間部材８０がチャネル８９０の内側に嵌合することができるように、チャネル８９０を含むことができる。組み立てられると、交差部材カバー８７８および中間部材カバー８８０は、仕切り頂部３０の外側リング７４を露出させたまま、交差部材７８および中間部材８０を覆うことができる。
【０２１５】
他の実施形態では、カバー８７０が、カバー外側リング８７４を含むことができるとともに、交差部材カバー８７８および中間部材カバー８８０を欠くことができる。これらの実施形態または他の実施形態では、下から見たときに、カバー外側リング８７４は、外側リング７４がチャネル８９０の内側に嵌合することができるように、チャネル８９０を含むことができる。組み立てられると、カバー外側リング８７４は、部材カバー８７８および仕切り頂部３０の中間部材８８０を露出させたまま、外側リング７４を覆うことができる。
【０２１６】
いくつかの実施形態では、組み立てられたときに、カバー８７０を仕切り頂部３０に固定する接着剤またはエポキシでチャネル８９０を充填することができる。他の実施形態では、カバー８７０は、任意の適切な機構によって仕切り頂部３０に固定することができる。例えば、カバー８７０は、ねじ機構、スナップフィット機構、面ファスナ機構（ＶＥＬＣＲＯ（登録商標））、リベット、ラッチ機構、バックル機構、クリップ機構、ストラップ機構、ピン機構、または任意の他の適切な機構によって、仕切り頂部３０に固定され得る。
【０２１７】
いくつかの実施形態では、カバー８７０は、仕切り頂部３０と同じ色とすることができる。他の実施形態では、カバー８７０が、仕切り頂部３０とは異なる色であってもよい。他の実施形態では、カバー８７０が、青色、緑色、黄色、橙色、赤色、紫色、白色、黒色、灰色、金色、または任意の他の適切な色であり得る。
３．仕切り頂部材質
【０２１８】
仕切り頂部３０、１０３０は可撓性、強度、および軽量構造のために、ポリプロピレンまたは他の熱可塑性ポリマーで作製されることが好ましい。具体的には仕切り頂部３０、１０３０は、ガラス充填ポリマーまたは任意の他の適切なプラスチックから形成することができる。いくつかの実施形態では、仕切り頂部３０、１０３０は、ガラス充填ポリマー、ポリプロピレン、または任意の他の熱可塑性ポリマーを含むが、これらに限定されず、複数の材料から形成することができる。
【０２１９】
モジュール式仕切り頂部８３０の実施形態では、頂部リング５４０は、仕切り頂部３０、１０３０を形成することができる材料と同様の材料で形成することができる。また、モジュール式仕切り頂部８３０の実施形態では、交差部材部分８５０材料は、エチレン−酢酸ビニル（以下、「ＥＶＡ」）、Ｃｒｏｓｌｉｔｅ（登録商標）（Ｃｒｏｃｓ（登録商標）、ボールダー、コロラド）、ポリウレタン（以下、「ＰＵ」）、シリコーン、または任意の他の好適な材料で形成することができる。ＥＶＡは、モジュール式仕切り頂部アセンブリ８３０の重量を低下させる無毒で強靭で低密度なオプションを提供する。Ｃｒｏｓｌｉｔｅ（登録商標）（Ｃｒｏｃｓ（登録商標）、ボールダー、コロラド）は、耐紫外線性および低密度と共に衝撃吸収特性を提供する。シリコーンは、極端な環境に耐性のある、非反応性で製造が容易なオプションを提供する。いくつかの実施形態では、成形仕切り頂部８３０が複数の材料を含む。いくつかの材料の柔軟な性質は、追加の支えを必要とする。追加の支えは、モジュール式仕切り頂部８３０の交差部材部分８５０の多材料構造によって、または、リブの代わりに内部支持体のためのフルビームのような頂部リング５４０からの追加の支持によって、提供される。交差部材部分８５０の材質は、ゴルフバッグ仕切りの全体重量を低減することができる。
【０２２０】
カバー８７０を有する実施形態では、カバー８７０は、柔らかく軽量な特性を有する任意の材料で作ることができる。カバーは、連続気泡、独立気泡発泡体、または任意の他の適切な材料を含むことができる。例えば、カバーは、ＰＵ発泡体、ポリエチレン発泡体、ＥＶＡ発泡体、Ｃｒｏｓｌｉｔｅ（登録商標）（Ｃｒｏｃｓ（登録商標）、ボールダー、コロラド）、網状ポリウレタン発泡体、ポリエチレンプラスチック、ポリウレタンプラスチック、ポリプロピレンプラスチック、ポリカーボネートプラスチック、ゴム、シリコーン、または任意の他の好適な材料などの材料を含むことができる。さらにいくつかの実施形態では、カバー８７０は、追加のパッドまたはパッド材料を含むことができる。カバー８７０を有する仕切り頂部３０の実施形態は、従来の布地、メッシュ、または充填材を含むフラップシステムよりも軽量であり得る。
Ａ．ベース
【０２２１】
ゴルフバッグ１０、１０１０は、ゴルフバッグ１０、１０１０の基礎を形成するベース３４、１０３４をさらに備えることができる。典型的にはベース３４、１０３４は、ゴルフバッグ１０、１０１０の１つ以上のステー３９、１０３９および平坦部１４、１０１４と係合する。図４、図１１９、および図１２０は、以下の説明で参照するゴルフバッグベース３４、１０３４の実施形態を少なくとも部分的に示す。ゴルフバッグ１０、１０１０のベースは、クラブを保持して地面に接触させるための底面３８、１０３８と、平坦部１４、１０１４に係合するためのリップ７２、１０７２と、ゴルフバッグ１０、１０１０を直立に保持するのを助けるための１つまたは複数のステー受容チャネル１７４、１１７４ｂと、を備えることができる。リップ７２、１０７２は、底面３８、１０３８から離れるように延び、ベース３４、１０３４の周囲（または円周）を画定する。いくつかの実施形態では、ベース３４、１０３４は、キャリーバッグのためのスタンドアセンブリシステムに係合する手段をさらに備えることができる。ゴルフバッグ１０、１０１０のいくつかの実施形態では、ベース３４、１０３４は、以下に記載されるように、スナップフィット接続を介して係合する２つの部分を有するベースアセンブリを備えることができる。
【０２２２】
ベース３４、１０３４はさらに、ステー３９、１０３９をベース３４、１０３４に接続するベースステーヒンジ１７０、１７４０を受け入れるように構成された、ベースステー受容チャネル１７４、１７４ｂを含む。典型的にはベースステー受容チャネル１７４、１７４ｂは、外側リング７４、１０７４の内面に配置され、ゴルフバッグ１０、１０１０の背面に隣接して配置される。ベース３４、１０３４のいくつかの実施形態は、補助ステーを直接受けるための１つまたは複数のベースステーハブを備えることもできる。これらのステーハブは、外側リング７４、１０７４の外面に配置することができる。
【０２２３】
ベース３４、１０３４は、平坦部１４、１０１４をベース３４、１０３４に固定するための平坦部取付け機構を備える。この平坦部取付け機構は、取付け開口、スナップボタン、平坦部１４、１０１４または他の適切な接続手段の自己締結接続部材５０と係合するための表面またはスロット,を備えることができる。ほとんどの実施形態では、平坦部取付け機構が、ベースのリップ７２、１０７２と一体であるか、またはリップ７２、１０７２上に配置される。いくつかの実施形態では、平坦部１０１４をベース１０３４に固定するための平坦部取付け機構は、リップ１０７２（図１１９に示す）上の複数の取付け開口１７２８を含む。取付け開口１７２８は、リップ１０７２の周囲（または円周）の周りに配置される。各取付け開口１７２８は、平坦部１０１４のリップ１０７２への取付け、より具体的には、平坦部１０１４のベース１０３４への取付けを容易にするために、締結具を受容するように構成される。平坦部１４、１０１４のベース３４、１０３４への取付けについては、以下でさらに詳細に説明する。
【０２２４】
さらに、ベース３４、１０３４は、仕切りスリーブ４６、１０４６をベース３４、１０３４に固定するための仕切り取付け機構を備えることができる。仕切り取付け機構は、取付け開口、スナップボタン、スナップクリップ、他のスナップフィット接続機構、仕切りスリーブ４６、１０４６または他の適切な接続手段の自己締結接続部材に係合する表面またはスロット、を備えることができる。
【０２２５】
例えば、図４及び図５に示す仕切り取付け機構の一実施例では、ベース３４、１０３４は仕切りスリーブ４６用の複数のスロット６２を備えている。複数のスロット６２は、リップ７２を貫通し、ベース３４の周囲に設けられている。複数のスロット６２の各スロットは、以下でより詳細に説明するように（接続部材セクションにおいて）、それぞれの接続部材５０を受け入れるように構成される。例えば、図１１９、図１２０、および図８６に示す仕切り取付け機構の別の実施形態では、底面３８、１０３８は、複数の仕切り取付け開口１７３２を含む。仕切り取付孔１７３２は、底面３８、１０３８を通って延びている。各仕切り取付け開口１７３２は、底面３８、１０３８への仕切りスリーブ１０４６の取付け、より具体的には、ベース１０３４への仕切りスリーブ１０４６の取付けを容易にするために、締結具を受け入れるように構成される。仕切り取付け機構の他の実施形態では、仕切りスリーブ４６、１０４６は、ベース３４、１０３４に直接縫い付けられる。仕切り取付け機構の他の実施形態は、仕切りスリーブ４６、１０４６の接続に関して、以下により詳細に図示され、説明される。
１．ベースアセンブリ（ツーピーススナップ結合ベース）
【０２２６】
いくつかの実施形態では、ベース３４、１０３４は、ツーピースのスナップ結合ベースアセンブリを含むことができる。以下の説明は、キャリーバッグ内のベースアセンブリ９００の第１の実施形態を示す図７７〜８１、および、カートバッグ内のベースアセンブリ１９００の第２の実施形態を示す図９１および９２を参照する。
【０２２７】
図７７および図９１を参照すると、ベースアセンブリ９００、１９００は、リング部分９１０、１９１０およびベース部分９２０、１９２０を含むことができる。リング部分９１０、１９１０は、平坦部１４、１０１４と結合するように構成された上端９１１、１９１１と、複数のスナップタブ９３０、１９３０を含む下端９１２、１９１２とを含む。各スナップタブ９３０、１９３０は、外側表面上に配置され、ベース部分９２０、１９２０と結合するように構成された突出面９３２、１９３２を備える。ベース部分９２０、１０２０は、平坦な底面９３８、１９３８と、ベースアセンブリ９００、１９００の周囲を画定し、底面９３８、１９３８から上方に延びる垂直リップ９７２、１９７２と、を含む。垂直リップ９７２、１９７２は、複数のスロット９７３、１９７３を含む。各スロット９７３、１９７３は、ベースアセンブリ９００、１９００が組み立てられた位置にあるとき、対応する突出面９３２、１９７３を受容するように構成される。
【０２２８】
図７８および図９１を参照すると、ベースアセンブリ９００、１９００のリング部分９１０、１９１０は、第１の直径を有する上端９１１、１９１１と、第２の直径を有する下端９１２、１９１２とを備えることができる。多くの実施形態では、第１の直径が第２の直径よりも大きい。リング部分９１０、１９１０がベース部分９２０、１９２０に組み付けられたときに、下端９１２、１９１２が垂直リップ９７２、１９７２の内側に嵌合し、上端９１１、１９１１が垂直リップ９７２、１９７２の上に載るように、第１の直径は垂直リップ９７２、１９７２の直径に等しくすることができる。他の実施形態では、第２の直径が第１の直径よりも大きくてもよく、または第１の直径と同じであってもよい。例えば、いくつかの実施形態では、リング部分９１０、１９１０がベース部分９２０、１９２０に組み付けられたときに、下端９１２、１９１２が垂直リップ９７２、１９７２の外側に嵌合し、上端９１１、１９１１が垂直リップ９７２、１９７２の上に載るように、第２の直径が第１の直径よりも大きい。
【０２２９】
リング部分９１０、１９１０は、任意の適切な形状を備えることができる。図示の実施形態では上から見たとき、リング９１０、１９１０は丸みを帯びた角を有する正方形の形状を有する。他の実施形態では、リングが長方形、三角形、円形、またはベース９２０、１９２０に対応する任意の他の適切な形状であり得る。
【０２３０】
特に図７７〜８１の実施形態を参照すると、リング部分９１０の下端９１２は、複数のスナップタブ９３０を備える。各スナップタブ９３０は、リング部分９１０の下端９１２から上方に延びる一対の切欠き９３１によって画定される。切欠き９３１は、スナップタブ９３０がベース部分９２０に組み立てられるときに曲がることを可能にする。いくつかの実施形態では、各スナップタブ９３０が、リング部分９１０の下端９１２から上方に延びる単一の切り欠き９３１によって画定されてもよい。他の実施形態では、切欠き９３１がリング部分９１０の上端９１１から下方に延びることができる。別の実施形態では、スナップタブ９３０がリング部分９１０の下端９１２から外向きに延びることができる。
【０２３１】
図７９を参照すると、各スナップタブ９３０は、スナップタブ９３０の外面に配置された突出面９３２を有する。いくつかの実施形態では、突出面９３２は、スナップタブ９３０の外面と９０度の段差を形成する第１の端部９３５と、スナップタブ９３０の外面に向かって先細になる第２の端部９３６と、を有することができる。他の実施形態では、突起が第１の端部９３５から第２の端部９３６まで一定のままであるか、増加するか、または減少する高さを含むことができる。さらに、突出面９３２は、第１の端部から第２の端部まで増加、減少、または一定のままである幅または長さを含むことができる。
【０２３２】
図示の実施形態では、突出面９３２は、長方形の形状を有する。他の実施形態では、突出面９３２が三角形、円形、台形、または任意の他の適切な形状など、任意の形状を備えることができる。さらに、突出面９３２は、スナップタブ９３０の外面の任意の部分を含むことができる。多くの実施形態では、突出面９３２が、スナップタブ９３０の外面の３／４を構成する。他の実施形態では、突出面９３２がスナップタブ９３０の外側部分の２０％、３０％、４０％、５０％、６０％、７０％、８０％、または９０％を含むことができる。例えば、突出面９３２は、スナップタブ９３０の外側部分の２０％〜５０％、４０％〜７０％、または５０％〜９０％を含むことができる。
【０２３３】
図９１および図９２に示す実施形態では、リング部分１９１０は切欠きを備えていない。したがって、スナップタブ１９３０は、突出面１９３２を備えるリング部分１９１０の下端１９１２の部分として画定される。これらの突出面１９３２は、リング部分１９１０の下端１９１２の底部周囲からリング部分１９１０の上端１９１１に向かって隣接して延在する。突出面１９３２は、リング部分１９１０の表面から外側に傾斜している。スナップタブ１９３０は、ベース部分１９２０の垂直リップ１９７２のスロット１９７３に係合するスナップフィット接続として設計される。
【０２３４】
図７９および図９１に示す実施形態では、スナップタブ９３０が、ベースアセンブリ９００を側面から見たときに長方形の形状を有する。他の実施形態では、スナップタブ９３０は任意の形状を有することができる。例えば、スナップタブ９３０は、三角形、円形、台形、または任意の他の適切な形状を有することができる。
【０２３５】
図８０および図９１を参照すると、ベースアセンブリ９００、１９００のベース部分９２０、１９２０は、底面９３８、１９３８と、平坦な底面９３８、１９３８の周囲から外側に延びる垂直リップ９７２、１９７２と、を含む。垂直リップ９７２、１９７２は、スナップタブ９３０、１９３０上に配置された突出面９３２、１９３２を受け入れるように構成された、複数のスロット９７３、１９７３を備えることができる。複数のスロット９７３、１９７３は、２、３、４、５、６、７、８、９、１０、またはそれ以上のスロットを含むことができる。図７７〜８１の実施形態では、各スロット９７３は、垂直リップ９７２の底部から始まり、垂直リップ９７２の頂部へ至るルートの途中まで延在する。ベース部分９２０は、スロット９７３の一部を覆う垂直リップ９７２の内部に配置されている、カバー９７４を含む。カバー９７４は、ベースアセンブリ９００が組み立てられた位置にあるときに、各スナップタブ９３０の底面が各対応するカバー９７４の上面と当接するように、スロットの上方に一部延びる。
【０２３６】
図９１および９２（ベースアセンブリ１９００）の実施形態では、ベース部分１９２０の垂直リップ１９７２は、リング部分１９１０の下端１９１２を受け入れるためのチャネル１９７５をさらに備える。チャネル１９７５の内壁１９７６および外壁１９７７は、リング部分１９１０をベース部分１９２０に整列させ、固定するのを助ける。チャネル１９７５の内壁１９７６および外壁１９７７はさらに、ツーピースベースアセンブリ１９００に構造的剛性を加える。ほとんどの実施形態では、ベース部分１９２０がリング部分１９１０に組み付けられると、リング部分１９１０の下端１９１２はベース部分１９２０の垂直リップ１９７２のチャネル１９７５の内側に嵌合する。他の実施形態では、ベース部分１９２０がリング部分１９１０に組み付けられると、リング部分１９１０の下端１９１２は、ベース部分１９２０の垂直リップ１９７２の外側に嵌合する。さらに他の実施形態では、図７７〜図８１の実施形態と同様に、ベース部分がリング部分に組み付けられると、リング部分の下端がベース部分の垂直リップの内側に嵌合する。リング部分の下端が垂直リップの外側または内側に嵌合する実施形態では、垂直リップはチャネル１９７５を含まない。図９１および図９２の実施形態では、スロット１９７３が、垂直リップ１９７２のチャネル１９７５の外壁１９７７の開口である。この実施形態では、ベース部分１９１０がベースアセンブリ１９００のリング部分１９１０と係合すると、スナップタブ１９３０がスロット１９７３を通して見える。
【０２３７】
図示の実施形態では、スロットは長方形の形状を有する。他の実施形態では、スロットがベースの外側から見たときに任意の形状を含むことができる。例えば、スロットは、三角形、円形、台形、またはスナップタブ上の突出面の形状に対応する任意の他の適切な形状であり得る。
【０２３８】
図８１および図９２を参照すると、組み立てられた位置にあるベースアセンブリ９００、１９００が示されている。ベースアセンブリ９００、１９００を組み立てるために、リング部分９１０、１９１０のスナップタブ９３０、１９３０は、ベース部分９２０、１９２０のスロット９７３、１９７３と整列される。次いで、リング部分９１０、１９１０は、ベース部分９２０、１９２０に押し込まれる。図７７〜８１の実施形態では、スナップタブ９３０の底部が、カバー９７４の上面と当接する。ベースアセンブリの任意の実施形態は、以下に説明する分割スリーブ接続部材５０、５０ｃのいずれかをさらに含むことができる。分割スリーブ接続部材５０、５０ｃは、分割スリーブ４６をリング部分またはベース部分のいずれかに結合する。
【０２３９】
ベース部分９２０、１９２０の平坦な底面９３８、１９３８は、図９１および図９２の隆起部１９２１のような隆起部分を含むことができる。底面９３８、１９３８の隆起部１９２１は、凹部１９２３のような４つの凹部を残したおおよそ十字形状とすることができ、底面９３８、１９３８は隆起していない。凹部１９２３は、ベース３４、１０３４の外面上で底面９３８、１９３８の隆起部１９２１よりも下方に延在し、４つの突出部を形成する。いくつかの実施形態では、凹部１９２３は、リッジ、バンプ、チャネル、溝、または他のグリップおよび粗さの特徴を備える。これらの特徴は耐久性を改善し、凹部１９２３が地面上で滑るのを防止する。他の実施形態では、隆起部分１９２１が円形、卵形、三角形、長方形、菱形、または任意の他の適切な形状であり得る。いくつかの実施形態では、凹部１９２３の少なくとも一部は、底面９３８、１９３８の材料とは異なる材料で構成される。
【０２４０】
ベースアセンブリ９００、１９００は、リング部分９１０、１９１０の上端９１１、１９１１の内側と一体化されたベースステー受容チャネル（ベース３４、１０３４について上述した１７４、１７４ｂと同様）をさらに備えることができる。いくつかの実施形態では、ベースアセンブリ９００、１９００のリング部分９１０、１９１０は、１つまたは複数の補助ステーを受け入れるための、リング部分９１０、１９１０と一体の複数のステーポート（ベース３４、１０３４について上述した複数のステーポートと同様）をさらに備える。
【０２４１】
ツーピースベースアセンブリ９００、１９００は、ワンピースベース３４、１０３４を有するシステムと比較して、ゴルフバッグ１０、１０１０のより効率的な組み立てを可能にする。リング部分９１０、１９１０は、スナップフィット接続、縫合、ピン、ボタン、クランプ、ジッパー、または任意の他の適切な機構を介して、平坦部に結合され得る。ベースアセンブリ９００、１９００は、リング部分９１０、１９１０の底部の開口部を介して平坦部１４の内部へのアクセスを提供する。これは、ゴルフバッグ１０、１０１０の上部を通って入ることによって、平坦部１４、１０１４をベース３４、１０３４に結合するのとは対照的に、より容易な結合プロセスを可能にする。分割スリーブ４６のベース９２０、１９２０への結合は、ベース９２０、１９２０とリング部分９１０、１９１０との結合の前に完了することができる。これは、ベース部分９１０、１９１０の内部への容易なアクセスを提供し、ゴルフバッグ１０、１０１０の上部を通って入ることによって、仕切りスリーブ４６をベース部分９２０、１９２０に取付けることとは対照的に、より容易な製造プロセスを可能にする。
Ｂ．分割スリーブ取付機構
【０２４２】
ゴルフバッグ１０、１０１０は、異なるゴルフクラブがゴルフバッグ１０、１０１０に挿入されたときに、異なるゴルフクラブのグリップ及びシャフトの絡み合いを防止するための仕切りスリーブ４６、１０４６を含むことができる。仕切りスリーブ４６、１０４６の一端は仕切り頂部３０、１０３０に取付けることができ、仕切りスリーブ４６、１０４６の他端はベース３４、１０３４または平坦部１４、１０１４のいずれかに取付けることができる。仕切りスリーブ４６は、取付け開口、スナップボタン、他のスナップフィット接続、仕切りスリーブ４６の自己締結接続部材、または他の適切な接続手段などの取付け機構を介して、仕切り頂部３０、１０３０、ベース３４、１０３４、および／または平坦部１４、１０１４に取付けることができる。
１．仕切り頂部への仕切りスリーブ取付機構
【０２４３】
ここで図９および図１０を参照すると、一実施形態では、仕切りスリーブ４６が自己締結係合によって仕切り頂部３０に取付けられる。参照された図は、例示の目的のために提供される。本明細書に開示されるベース３４および仕切りスリーブ４６の態様は、任意のサイズまたはタイプのベース３４、１０３４および仕切りスリーブ４６に組み込まれ得る。接続部材５０の端部と反対側の仕切りスリーブ４６の端部は、複数のフラップ９０を含む。フラップ９０は仕切りスリーブ４６に一体化されてもよく、それぞれが、面ファスナとして示される自己締結具９４を含む。図１０に示すように、自己締結具９４は、第２の自己締結部分１０２から分離された第１の自己締結部分９８を含む。第１および第２の自己締結部分９８、１０２は、フラップ９０の同じ側に設けられ、フラップ９０が仕切り頂部３０の一部の周りに巻き付くのに十分な距離だけ分離されている。第１および第２の自己締結部分９８、１０２は、面ファスナのそれぞれのフック９８およびループ１０２部分として示されている。しかしながら、他の実施形態において、任意の適当な自己締結具９４が、ボタン及びボタンホール、フック＆アイ閉鎖部、またはスナップファスナを含むものとして使用され得る。さらに他の実施形態では、第１の自己締結部分９８が締結具のフックまたはループ部分であってもよく、一方、第２の自己締結部分１０２が締結具のループまたはフック部分の他方であってもよい。図９に示すように、交差部材７８および中間部材８０の周りに巻き付くフラップ９０は、ゴルフクラブを交差部材７８または中間部材８０に対して擦ることによる損傷から保護するために、追加のパッドまたはパッド材料１０４を含む。外側リング７４の一部の周りを包むフラップ９０は、追加のパッドまたはパッド材料なしで示されているが、他の実施形態ではフラップ９０がそのような追加のパッドまたはパッド材料を含むことができる。
【０２４４】
ゴルフバッグ１０、１０１０のいくつかの実施形態では、上述したものと同様のフラップを備える。フラップは、仕切り頂部３０、１０３０の一部の周りに巻き付くとともに、仕切り頂部３０、１０３０の周りに固定するためにそれ自体に縫い付けられる。これらの実施形態では、縫合が面ファスナに取って代わっており、これにより、場合によっては製造プロセスを単純化することができる。
２．ベースへの仕切りスリーブ取付機構（接続部材）
【０２４５】
いくつかの実施形態では、仕切りスリーブ４６とベース３４、１０３４との間の取付け機構は、複数の接続部材を備える。本開示の目的のために、特に図４および図５に示されるようなキャリーバッグ１０はこの特徴を例示するために使用されるが、取付け機構は任意のクラス、タイプ、またはサイズのゴルフバッグに組み込まれ得ることが理解される。バッグ１０の図示の実施例では、複数の接続部材５０、より具体的には４つの接続部材５０が、仕切りスリーブ４６をベース３４に結合している。他の実施形態では、２つ、３つ、または５つ以上の接続部材５０を使用して、仕切りスリーブ４６をベース３４に結合することができる。接続部材５０は、好ましくは弾性ウエビングのような可撓性、弾性、伸縮性材料で形成され、仕切りスリーブ４６とベース３４との間に可撓性及び／又は弾性連結を形成する。他の実施形態では、接続部材５０が本明細書に開示される内部サブアセンブリ４２の動作に従って機能することを可能にするのに十分な可撓性および／または弾性を有する任意の適切な材料を使用することができる。さらに、接続部材５０の端部５６は、仕切りスリーブ４６（図５に示す）に取付けられている。端部５６は縫い合わせによって仕切りスリーブ４６に取付けられているように示されているが、他の実施形態では端部５６が接着剤、リベット、または端部５６と仕切りスリーブ４６との間の接続を維持するのに適した他の任意の公知のまたは将来開発される取付けによって取付けられてもよい。その一方、接続部材５０は、本明細書で開示される内部サブアセンブリ４２の動作に従って機能することができる。
【０２４６】
ここで図４および図５を参照すると、第１の実施形態では、各接続部材５０が仕切りスリーブ４６を自己締結具５８によってベース３４に結合しながら自己締結係合状態にある。図５に示すように、自己締結具５８ａの第１の部分は、自己締結具５８ｂの第２の部分から離間している。自己締結具５８ａ、５８ｂの両方の部分は、接続部材５０の同じ側に設けられる。これにより、各接続部材５０はベース３４のスロット６２（図４及び図５に示す）に受け入れられ、次に、自己締結具５８ａ、５８ｂ（図４に示す）の部分を連結することにより自己締結される。別の言い方をすれば、接続部材５０がスロット６２によって受け入れられた後、接続部材５０の第１の部分６６は、接続部材５０の第２の部分７０に締結されて自己締結接続を形成する。自己締結接続は、各接続部材５０がベース３４の一部の周りに巻き付いて、仕切りスリーブ４６をベース３４に結合することを可能にする。ベース３４の周囲に設けられた複数のスロット６２は、それぞれの接続部材５０を受け入れるようにそれぞれ構成されている。自己締結具５８は面ファスナ（例えば、ＶＥＬＣＲＯ（登録商標））の形態で示されているが、他の実施形態ではボタンおよびボタン穴、鉤ホック（hook-and-eye closure）、またはスナップファスナを含む、任意の適切な自己締結具５８を使用することができる。さらに、他の実施形態では自己締結具５８ａの第１の部分が締結具のフックまたはループ部分であってもよく、自己締結具５８ｂの第２の部分は締結具のループまたはフック部分の他方である。他の実施形態では、接続部材５０の第１の部分６６が（例えば、接着剤または同様の材料の使用によって）恒久的または半恒久的な配置で第２の部分７０に固定される。
３．代替実施形態の仕切りスリーブとベース取付け機構（接続部材）
【０２４７】
図６は、ベース３４への仕切りスリーブ４６の取付け機構の、別の実施形態を示す。仕切りスリーブ４６をベース３４に結合する自己締結係合のこの代替実施形態は、リップ７２にスロットを有さない。むしろ、接続部材５０は、ベース３４の底部７１の一部と係合して、仕切りスリーブ４６をベース３４に連結する。具体的には、底部７１の部分が複数の接続部分７３を含む。各接続部分７３は、ベース３４の底部７１を貫通して形成された２つのスロットまたは開口（図示せず）によって画定される。各接続部材５０は、それぞれの接続部分７３の周りに巻き付けられ、面ファスナ（ＶＥＬＣＲＯ（登録商標））による自己接続を形成する。図示のゴルフバッグ１０では、４つの接続部材５０が仕切りスリーブ４６をベース３４に連結している。
【０２４８】
図６Ｂは、ベース３４への仕切りスリーブ４６の取付け機構の、別の代替実施形態を示す。仕切りスリーブ４６は、各接続部材５０ｂの端部にスナップファスナまたはクリップ５５ｂを有する接続部材５０ｂを備える。図７７〜図８１に示されるとともに上述したように、このスナップファスナの実施形態は、リング部分９１０およびベース表面部分９２０を備えるベースアセンブリ９００に関して説明されているが、ベース３４、１０３４の他の実施形態と共に使用することもできる。ゴルフバッグ１０、１０１０のベース３４は、リング部分９１０と、リング部分９１０にスナップフィットするベース表面部分９２０と、リング部分９１０に接続する可撓性接続部材５０ｃとを備える。ベースリング部分９１０の可撓性接続部材５０ｃは、仕切りスリーブ４６の接続部材５０ｂのスナップファスナまたはクリップ５５ｂと係合する、スナップファスナまたはクリップ５５ｃを有する。ベースリング部分９１０は上記に詳細に記載されるように、バッグ平坦部１４に縫い付けられるか、または恒久的に取付けられることができる。ツーピースの、スナップ結合ベースアセンブリ９００は、ベース表面部分９２０がベースリング部分９１０上にスナップ結合される前に、ファスナまたはクリップ５５ｂ、５５ｃが容易に結合されることを可能にする。スナップファスナまたはクリップ５５ｂ、５５ｃを使用して仕切りスリーブ４６をベース３４、１０３４に接続することにより、ベース３４、１０３４にスロットを設ける必要がなくなる。この実施形態の他の変形例では、ベースの接続部材５０ｃがベース表面部分９２０に取付けられる。
【０２４９】
図示されていない他の実施形態では、ワンピースベースが、可撓性接続部材（５０ｃに類似）およびスナップファスナまたはクリップ（５５ｃに類似）を備えることができる。このベースは、仕切りスリーブがベースに取付けられる前に、ゴルフバッグの平坦部に接続される。接続部材（５０ｂに類似）およびスナップファスナまたはクリップ（５５ｂに類似）を含む仕切りスリーブを、仕切り頂部に連結することができる。ベースおよび仕切りスリーブのスナップファスナまたはクリップは、組立者が仕切りスリーブをベースに容易に接続することを可能にする。
Ｃ．ステー
【０２５０】
ゴルフバッグ１０、１０１０は、ベース３４、１０３４、および、仕切り頂部３０、１０３０を接続する１つ以上のステー３９、１０３９、１０３９ａ、１０３９ｂ（以下、３９、１０３９）を備えることができる。１つ以上のステー３９、１０３９は、展開された形態にあるゴルフバッグ１０、１０１０に剛性を与える。１つまたは複数のステー３９、１０３９は、ヒンジを介して、ベース３４、１０３４および／または仕切り頂部３０、１０３０に旋回可能に接続することができる。１つまたは複数のステー３９、１０３９および／またはヒンジは、１つまたは複数のスナップフィット接続によって、ベース３４、１０３４および／または仕切り頂部３０、１０３０と係合することができる。頂部およびベースステーヒンジ１６２、１７０により、仕切り頂部３０、１０３０およびベース３４、１０３４は、ステー３９、１０３９に向かって折りたたむ、または潰すことができる。仕切り頂部３０、１０３０、ベース３４、１０３４、および１つ以上のステー３９、１０３９を備えるサブアセンブリにおいて、ヒンジ１６２、１７０は、サブアセンブリが輸送または保管のために潰れることを可能にする。
【０２５１】
図２１〜図２９は、旋回ステー３９（図２参照）のためのスナップフィットサブアセンブリを示す。図２１〜図２２は、仕切り頂部３０に旋回可能に接続された、第１または頂部ステーヒンジ１６２を示す。図２５〜図２６を参照すると、頂部ステーヒンジ１６２は、ジョイント１６５によって第２の部分または第２のアーム１６４に旋回可能に接続された、第１の部分または第１のアーム１６３を含む。第１のアーム１６３は、仕切り頂部３０（図２１に示す）に接続される。第２のアーム１６４は、ステー３９（図２２に示す）に接続される。例えば、第１のアーム１６３は、仕切り頂部３０内の対応するチャネル（図示せず）内に受け入れることができる。一方、第２のアーム１６４は、ステー３９の第１の端部または頂端部を受け入れるチャネルまたはスリーブ部分１６６を画定することができる。
【０２５２】
頂部ステーヒンジ１６２は、第１および第２のアーム１６３、１６４が互いに対してある角度で配置される第１の位置（図２３に示される）と、第１および第２のアーム１６３、１６４が互いに対して真っ直ぐな角度（例えば、１８０度）を形成するかまたは概して同一直線上にある第２の位置（図２４に示される）と、の間で、ジョイント１６５において旋回する。いくつかの実施形態では第１および第２のアーム１６３、１６４は、１７０°と１９０°との間の最大角度で傾斜している。第１および第２のアーム１６３、１６４は、３０〜４０度、３５〜４５度、４０〜５０度、４５〜５５度、５０〜６０度、６０〜７０度、７０〜８０度、８０〜９０度、９０〜１００度、１００〜１１０度、１１０〜１２０度、１２０〜１３０度、１３０〜１４０度、１４０〜１５０度、１５０〜１６０度、１６０〜１７０度、１７０〜１８０度、または１８０〜１９０度、互いに対して角度を付けることができる。頂部ステーヒンジ１６２は、（図２９に示すように）第２のアーム１６４が外側リング７４の一部にほぼ垂直である位置から（図２２に示すように）第２のアーム１６４が外側リング７４の一部にほぼ平行である位置まで、約９０度（９０°）旋回する。
【０２５３】
第１の位置（ゴルフバッグ１０が折り畳まれたときに起こる）から第２の位置（ゴルフバッグ１０が展開されたときに起こる）への移行中の頂部ステーヒンジ１６２の過伸展を制限するために、頂部ステーヒンジ１６２は、ヒンジリミット１６７を含む。図示の実施形態では、ヒンジリミット１６７は、（第２または第１のアーム１６３、１６４の他方に配置された）ノッチ１６９によって受けられる（第１または第２のアーム１６３、１６４の一方に配置された）ヒンジ突起１６８を含む。頂部ステーヒンジ１６２を第１の位置（図２３に示す）から第２の位置（図２４に示す）まで回転させると、ノッチ１６９は、頂部ステーヒンジ１６２が第２の位置に到達したときに突起１６８を受け入れる。第１および第２のアーム１６３、１６４の部分は互いに接触し、頂部ステーヒンジ１６２の回転または旋回をさらに制限する。ヒンジリミット１６７は、自己組立中に仕切り頂部３０が過伸展するのを防止する一助となる。
【０２５４】
図２５は、ベース３４に旋回可能に接続された、第２または底部またはベースステーヒンジ１７０を示す。図２６Ａ〜図２８Ｂに示すように、ベースステーヒンジ１７０は、ばねまたは付勢部分１７３によって第２の部分または第２のアーム１７２に可撓的に接続された、第１の部分または第１のアーム１７１を含む。第１のアーム１７１はベース３４に連結され、第２のアーム１７２はステー３９に連結されている。例えば、第１のアーム１７１は、ベース３４（図４〜５および図２５に示される）によって画定されるステー受容チャネル１７４に受容または係合することができる。一方、第２のアーム１７２は、ステー３９（図５および２５に示される）の一部を受容するチャネル１７５を画定し得る。図２８に示すように、ヒンジ１７０は付勢部分１７３で撓む。これにより、第１および第２のアーム１７１、１７２は、互いに対して撓むことができる。いくつかの実施形態では、付勢部分１７３は、図２６Ａ、２７Ａ、および２８Ａに示すように、付勢部分１７３を補強する突起または隆起を備えることができる。他の実施形態では、付勢部分１７３は、図２６Ｂ、２７Ｂ、２７Ｃ、および２８Ｂに示されるように、滑らかな表面を備える。同様に、第１および第２のアーム１７１、１７２に取付けられた構成要素（例えば、それぞれ、ベース３４およびステー３９）は、互いに対して屈曲または旋回する。
【０２５５】
ベースステーヒンジ１７０は、ゴルフバッグ１０を折り畳まれた状態から展開された状態に変換するために、ステー３９の周りのベース３４の旋回を容易にする。いくつかの実施形態では、第１および第２のアーム１７１、１７２は、互いに対して最大１７０°〜１９０°の角度をなしている。第１および第２のアーム１７１、１７２は、互いに対して３０〜１９０度の角度をなしていてもよい。例えば、ベースステーヒンジ１７０の第１及び第２のアーム１７１、１７２は、３０〜４０度、３５〜４５度、４０〜５０度、４５〜５５度、５０〜６０度、６０〜７０度、７０〜８０度、８０〜９０度、９０〜１００度、１００〜１１０度、１１０〜１２０度、１２０〜１３０度、１３０〜１４０度、１４０〜１５０度、１５０〜１６０度、１６０〜１７０度、１７０〜１８０度、又は１８０〜１９０度だけ互いに対して角度を付けることができる。一実施形態では、ベースステーヒンジ１７０は、ベース３４の側壁１７８の一部にほぼ垂直な位置から、ベース３４の側壁１７８の一部にほぼ平行な位置まで、約９０度（９０°）まで旋回するように構成される。いくつかの実施形態では、ステーヒンジ１６２、１７０は、機械的に旋回可能ではなく、可撓的に旋回可能である。
【０２５６】
スタンドアセンブリを有するゴルフバッグの実施形態では、ベースステーヒンジ１７０はまた、使用中にゴルフバッグ１０が第１の形態（脚部４０が格納された状態の図３を参照）から第２の形態（脚部４０が広がった状態の図２を参照）に移行するときに、ベース３４の周りでステー３９を傾斜させるのを助けることができる。いくつかの実施形態では、ベースステーヒンジ１７０の第１および第２のアーム１７１、１７２は、ゴルフバッグ１０が広がった形態にあるときに、互いに対して１２０〜１５０度の角度をなし得る。例えば、広がった形態では、ベースステーヒンジ１７０の第１および第２のアーム１７１、１７２は、１２０〜１３０度、１３０〜１４０度、１４０〜１５０度、１５０〜１６０度、または１６０〜１７０度だけ互いに対して角度を付けることができる。いくつかの実施形態では、ベースステーヒンジ１７０の第１および第２のアーム１７１、１７２は、ゴルフバッグ１０が格納形態にあるとき、互いに対して１７０〜１９０度の角度をなし得る。例えば、格納形態では、ベースステーヒンジ１７０の第１および第２のアーム１７１、１７２は、互いに対して１７０°〜１８０°、１７５°〜１８５°、または１８０°〜１９０°の角度をなすことができる。
【０２５７】
スナップフィットサブアセンブリは、ステー３９がスナップフィット接続によって仕切り頂部３０とベース３４とを相互接続することを可能にする一方で、サブアセンブリの部分（例えば、仕切り頂部３０、ベース３４、およびステー３９）が包装体積を減少させることによって、より費用効果の高い輸送のために平坦に旋回されることを可能にする。ステーヒンジ１６２、１７０は、仕切り頂部３０及びベース３４がステー３９に対してほぼ垂直な位置（例えば、脚部４０がスタンドバッグのために引っ込められたとき、又はカートバッグ内に引っ込められたとき）から、ステー３９に対してほぼ平行な位置（図２９に示すように）まで、ステー３９の周りを旋回することを可能にする。図２９に示す形態の結果として、仕切り頂部３０は、ステー３９からオフセットされ、ステー３９の平面にほぼ平行な平面内にある。図示されていないが、ベース３４もステー３９からオフセットされ、ステー３９の平面にほぼ平行な平面内にあり、ベース３４および仕切り頂部３０はほぼ平行またはほぼ同じ平面内にある。
【０２５８】
図１１７〜１２０に示される旋回ステー３９のためのスナップフィットサブアセンブリの別の実施形態では、サブアセンブリが第１または頂部ステーヒンジ１７４０と、第２またはベースステーヒンジ１７４４とを備える。頂部ステーヒンジ１７４０は、頂部ステーヒンジ１６２またはベースステーヒンジ１７０のいずれかと同様であり得る。ベースステーヒンジ１７４４は、頂部ステーヒンジ１６２またはベースステーヒンジ１７０のいずれかと同様であり得る。要するに、旋回ステー３９のいずれかの端部での曲げまたは回転を可能にするために、任意の適切なヒンジ設計を実施することができる。いくつかの実施形態では、頂部ステーヒンジおよび下部ステーヒンジが、ステー３９と一体的に形成されてもよい。
Ｄ．平坦部
【０２５９】
ゴルフバッグ１０、１０１０は、管状形状を形成するために固定される側面を有する管状または長方形を備えることができる平坦部１４、１０１４をさらに備える。平坦部１４、１０１４は、ゴルフバッグ１０、１０１０の本体の側面を形成する。平坦部１４、１０１４は、仕切り頂部３０、１０３０とベース３４、１０３４との間に延在する。平坦部１４、１０１４は、ゴルフバッグ１０、１０１０内にゴルフクラブを含む枠組みとして機能することができる。いくつかの実施形態では、平坦部１４、１０１４は、ゴルフバッグ１０、１０１０のサブアセンブリ４２、１０４２にスナップフィットすることができる。平坦部１４、１０１４の少なくとも一部は、サブアセンブリ４２、１０４２上に縫い付けることができる。平坦部１４、１０１４の少なくとも一部は、サブアセンブリ４２、１０４２上にリベット留めすることができる。ゴルフバッグ１０、１０１０の様々な実施形態は、平坦部１４、１０１４を下記のサブアセンブリ４２、１０４２に接続するための方法の異なる組み合わせを含む。
【０２６０】
いくつかの実施形態では、平坦部１４、１０１４は、仕切り頂部３０、１０３０上を摺動し、スナップフィットするように設計された管状ユニットとして設けることができる。他の実施形態では平坦部１４、１０１４は、図３０および図３１に示す平坦部１４のような、（管状ではなく）開放ユニットとして設けられる。開いた平坦部１４、１０１４は、縫合またはファスナ（例えば、ジッパーまたはスナップフィット接続）を介して、管状構成に組み立てられ得る。いくつかの実施形態では、平坦部１４、１０１４は、管状または開放のいずれかで提供され、成形されたスナップツリー部材を用いて、仕切り頂部３０、１０３０および／またはベース３４、１０３４に固定され得る。
【０２６１】
平坦部１４、１０１４は一般に、ポケット１８、１０１８、ハンドル２２、１０２２、および肩ストラップ２４、１０２４が取付けられた状態で、単一の材料、または２つ以上の材料から形成される。ポケット１８、１０１８は、平坦部１４、１０１４から分離し、取り外し可能とすることができる。例えば、各ポケット１８、１０１８は以下に説明するように、スナップフィットボタン、面ファスナ（例えば、ＶＥＬＣＲＯ（登録商標））、または１つ以上のジッパーなどの取り外し可能な取付け具によって、平坦部１４、１０１４に接続されてもよい。取り外し可能なポケット１８、１０１８は、平坦部１４、１０１４上の異なるポケット１８、１０１８のサイズ、数、または位置のカスタム構成または再構成を可能にする。
１．平坦部の仕切り頂部またはベースへのスナップフィットコネクタを介した取付機構
【０２６２】
図３０〜３１は、ゴルフバッグ１０を形成するための組み立て中にサブアセンブリとスナップフィット接続を形成する、開放平坦部１４を示す。図３０は、平坦部１４の外側すなわち第１の側面を示す。図３１は、平坦部１４の内側または第２の側面を示す。平坦部１４は、底部またはベース端部１８２と、頂端部１８６とを含む。両端は、（雌又は雄スナップフィットボタン１９４として図４７に示された）サブアセンブリの仕切り頂部３０及びベース３４に設けられたそれぞれのスナップフィットコネクタ１９４と係合するための、（雄又は雌スナップフィットボタン１９０として示された）複数のスナップフィットコネクタ１９０を含む。平坦部１４上の複数のスナップフィットコネクタ１９０、および、仕切り頂部３０およびベース３４上のそれぞれのスナップフィットコネクタ１９４は、スナップフィットコネクタを有さないゴルフバッグよりも、組立時間を短縮することを可能にする。更に、スナップフィットコネクタ１９０、１９４は、平坦部を仕切り頂部３０及び／又はベース３４にリベット留め又は縫い付けるのに必要な工具及び装置の必要性を排除する。
２．平坦部の仕切り頂部へのスナップフィットカラーを介した取付機構
【０２６３】
管状平坦部１４、１０１４は、スナップフィット接続を介してサブアセンブリに接続することもできる。図９３Ａ〜９３Ｃを参照すると、ゴルフバッグ１０の一実施形態では、ゴルフバッグ１０は、（仕切り頂部３０と同様の）仕切り頂部２３０と、（平坦部１４の頂端部１８６と同様の）頂端部２８６を有する（平坦部１４と同様の）管状ゴルフバッグ平坦部２１４と、を少なくとも含む。平坦部２１４は、可撓性カラー（collar）２１０を含む。可撓性カラー２１０は、組み立て中に、管状平坦部２１４がゴルフバッグ１０の仕切り頂部２３０の周りを摺動し、仕切り頂部２３０と重なることを可能にする。バッグ平坦部２１４のカラー２１０は、組立プロセスを容易にするために、１つ以上の補強壁２１６、スナップコネクタ２２４、弾性部分２２２、およびジッパー２２５を備える。仕切り頂部２３０は、成形体と、外部スナップコネクタ２３４を有する布カバーと、を含む。バッグ平坦部２１４のカラー２１０上のスナップコネクタ２２４は、仕切り頂部２３０のスナップコネクタ２３４と係合して、バッグ平坦部２１４を仕切り頂部２３０に取付ける。バッグ平坦部２１４のカラー２１０の補強壁２１６は、バッグ平坦部２１４にいくらかの剛性を与える。バッグ平坦部カラー２１０の弾性部分２２２は２つの補強壁２１６を接続し、バッグ平坦部２１４にスナップコネクタ２２４、２３４の組立に必要な可撓性を与える。バッグ平坦部カラー２１０のジッパー２２５は、組み立て中に可撓性を可能にするが、完成したバッグの仕切り頂部２３０に対してバッグ平坦部２１４をぴったりと保持するために、組み立ての最終段階で閉じられる。
【０２６４】
バッグ平坦部２１４のカラー２１０は、１つ以上の補強壁２１６を備えることができる。ほとんどの実施形態では、バッグ平坦部２１４が仕切り頂部２３０と係合すると、バッグ平坦部２１４のカラー２１０の壁は仕切り頂部２３０の側部に隣接し、ほぼ平行に位置する。補強壁２１６は、バッグ平坦部２１４にいくらかの剛性を与える。多くの実施形態では、これらの壁２１６が、壁幅２１８および壁高さ２２０を含む平坦なシートであってもよい。各壁２１６について、壁幅２１８は、バッグのベースに平行にかつ補強壁２１６の底部に沿って測定したとき、それぞれのカラー壁２１６に対応する仕切り頂部２３０の側部の幅とほぼ同じである。このようにして、バッグ平坦部２１４のカラー２１０は、仕切り頂部２３０の外面に係合する。バッグ平坦部カラー２１０の壁の高さ２２０は、変えることができる。例えば、いくつかの実施形態では、バッグ平坦部２１４の後側の壁が、バッグ平坦部２１４の前側の壁の高さよりも高い高さを有する。いくつかの実施形態では、バッグ平坦部カラー２１０の左側および右側に対応する壁２１６が、図１に示されるように、それぞれのセクションの幅２１８を横切る様々な高さ２２０を有することができる。可撓性カラー２１０の壁２１６は、スポンジなどの連続気泡発泡体、またはＣｒｏｃｓｌｉｔｅ（商標）（Ｃｒｏｃｓ（商標）、ボールダー、コロラド）材料などの独立気泡発泡体などの材料から形成することができる。あるいは、カラー２１０の壁２１６が、シリコーンなどの成形熱可塑性材料、または別のタイプの熱可塑性エラストマーから形成することができる。
【０２６５】
カラー２１０の壁２１６は、メッシュカバーに入れることができる。メッシュカバーは、壁２１６を一緒に固定する。メッシュカバー２１６は、各壁２１６の内側層および外側層を覆うための布またはメッシュパネルを含む。メッシュカバーは、バッグ平坦部２１４のカラー２１０の頂部２１１および底部２１２の縁を取り囲む、縁取り部をさらに備える。カラー２１０のジッパー２２５は、バッグ平坦部２１４のカラー２１０の２つの壁２１６の間の接続を形成することができる。いくつかの実施形態では、ジッパー２２５を、カラー２１０の後壁と側壁との間に配置することができる。ジッパー２２５は、カラー２１０の下縁部２１２から上縁部２１１まで延びることができる。ジッパー２２５は、ジッパー歯の第１の列２２８ａおよび第２の列２２８ｂと、ジッパーカー（zipper car）２２６と、ジッパーガレージ（zipper garage）２２８とを備えることができる。ジッパー歯２２８ａの第１の列は、カラー壁２１６の縁部に沿ってほぼ垂直に延びている。ジッパー歯２２８ｂの第２の列は、隣接するカラー壁２１６の縁部に沿ってほぼ垂直に延びている。ジッパーカー２２６は、カー２２６がカラー２１０の上縁部２１１に隣接するときにジッパー２２５が閉じられ、カー２２６が平坦部２１４のカラー２１０の下縁部２１２に隣接するときにジッパー２２５が開くように、ジッパー歯２２８の列に取付けることができる。ジッパー２２５は、カラー部分を完全に分離するのではない。ジッパー２２５は、ジッパー２２５が開いているときに、カラー２１０が伸びることを可能にする可撓性を提供する。ジッパー２２５が開いているときのカラー２１０の拡張は、組み立て中にバッグ平坦部のカラー２１０が仕切り頂部２３０の所望の部分上に摺動することを可能にする。
【０２６６】
トップメッシュ縁取りの１つのセクションは、第１のジッパー歯列２２８ａおよび第２のジッパー歯列２２８ｂを備える２つのカラー壁２１６の間を橋渡しする、弾性部分２２２を備える。ジッパー２２５が開いているとき、弾性部分２２２は、カラー２１０を拡張するために伸張することができる。反対に、ジッパー２２５が閉じているとき、弾性部分２２２は伸ばすことができず、平坦部２１４のカラー２１０はより剛性が高い。ジッパー２２５が閉じられると、ジッパーカー２２６は、平坦部２１４の上縁部２１１に隣接するジッパーガレージ２２７内に収容される。
【０２６７】
バッグ平坦部２１４は、カラー２１０の内面にスナップコネクタ２２４をさらに備える。スナップコネクタ２２４は、仕切り頂部２３０の外面上のスナップコネクタ２３４に対応する。カラー２１０上のスナップコネクタ２２４の位置は、組み立て中にバッグ平坦部２１４が仕切り頂部２３０に対してどこに位置するかを決定する。バッグ平坦部スナップコネクタ２２４は、仕切り頂部２３０の対応するスナップコネクタ２３４に固定することができる。いくつかの実施形態では、バッグ平坦部２１４のカラー２１０上のスナップコネクタ２２４が、カラー２１０の上縁部２１１と下縁部２１２との間のほぼ中間に配置される。他の実施形態では、スナップコネクタ２２４が、カラー２１０の下縁部２１２から一定の距離に配置される。いくつかの実施形態では、スナップコネクタ２２４が、平坦部２１４のカラー２１０の内面の周りに等間隔で配置される。スナップコネクタ２２４、２３４は、ボタンスナップまたは任意の他の適切なタイプのスナップコネクタとすることができる。
３．平坦部の仕切り頂部またはベースへの代替スナップフィット接続を介した取付機構
【０２６８】
ゴルフバッグ１０、１０１０の平坦部１４、１０１４は、代替的な手段及びデザインを介して取付けることができる。平坦部１４と仕切り頂部３０および／またはベース３４との間の、このような代替的なスナップフィット接続が、図３２〜図３４に示されている。平坦部１４の実施形態は、周囲の周りに複数の打抜き穴１９５を含む。一方、ベース３４の実施形態は、周囲の周りに、対応する複数の打抜き穴１９６を含む。平坦部１４の打抜き穴１９５とベース３４の打抜き穴１９６は、整列して配置される。可撓性成形スナップツリーまたはスナップツリー部材１９８のストリップ１９７が、整列した打抜き穴１９５、１９６と係合する。そして、平坦部１４およびベース３４の各整列した穴１９５、１９６は、単一のツリー１９８を受け入れる（図３４参照）。図３２〜図３４は、平坦部１４とベース３４との間の代替のスナップフィット接続を示すが、平坦部１４と仕切り頂部３０との間に同じ代替のスナップフィット接続を使用してもよい。さらに他の実施形態では、平坦部１４が面ファスナ（例えば、ＶＥＬＣＲＯ（登録商標））、フックアンドフックファスナ（hook and hook fastener）、ボタン、または任意の他の適切なスナップフィットファスナもしくは固定アセンブリによって、サブアセンブリ４２とのスナップフィット取付けを形成し得る。
【０２６９】
ツーピースベースを有するゴルフバッグのような代替の実施形態は、ベースおよび仕切り頂部に直接縫い付けられるかまたは接続される。したがって平坦部１４は、スナップフィット接続を有さない。
【０２７０】
平坦部１４はまた、仕切り頂部３０の周りに追加の補強及び剛性を与えるために、頂端部１８６に補強リング２００を含む（図３１参照）。スタンドアセンブリを有するゴルフバッグの実施形態では、平坦部１４はまた、図１０１〜図１０４の平坦部４１４の窓４２８のような複数の窓を含んでもよい。これらの窓はそれぞれ、脚部取付けブラケット３０のアンカー１２２が突出することを可能にし、アンカー１２２を露出させて、脚部４０とのスナップフィットおよび旋回接続を容易にする。これにより、平坦部１４は、カートバッグサブアセンブリとキャリー（またはスタンド）バッグサブアセンブリとの間で、交換可能となる。
【０２７１】
平坦部１４は、第２の継ぎ目縁部２０４（図３１参照）に対向する第１の継ぎ目縁部２０３によって画定される、継ぎ目２０２（図５２参照）を含む。第１継ぎ目縁部２０３は、第２継ぎ目縁部２０４に縫い付けられて、ゴルフバッグの管状外側シェルを形成する。サブアセンブリ４２の他の実施形態では、平坦部１４の継ぎ目縁部２０３、２０４は単一のジッパー、２つのジッパー、面ファスナ（ＶＥＬＣＲＯ（登録商標））、関連するレール内に嵌合する舌部を有する取付けトラック、スナップ嵌合ボタン、または任意の他の適切なスナップ嵌合ファスナまたは固定アセンブリによって接続される。ある構成では、単一のジッパーが平坦部１４の中央部分で縁部２０３、２０４を取付け、平坦部１４の頂部および／または底部は、スナップフィットボタン、フック・ループファスナ（ＶＥＬＣＲＯ（登録商標））などで固定される。別の構造では、２つのジッパーが平坦部１４の２つの別個の継ぎ目をサブアセンブリ４２に接続する。さらに別の実施形態では、平坦部１４が、スナップフィット取付けによってサブアセンブリ４２に取付けられる複数の部分に分割されてもよい。しかしながら、単一の継ぎ目の利点は、平坦部１４のより容易な防水性、および、サブアセンブリ４２の周りに平坦部１４を巻き付けるための単一の取付け線である。
Ｅ．平坦部のポケット
【０２７２】
取付け機構、継ぎ目、および他の特徴に加えて、平坦部１４、１０１４は、衣料品、ゴルフ用品、ゴルフアクセサリ、および／または他の個人用品を保管するための、１つまたは複数のポケット１８、１０１８をさらに備えることができる。平坦部１４、１０１４のポケット１８、１０１８は、ポケット１８、１０１８の所望の機能に応じて、大きさ及び形状を変えることができる。いくつかのポケット１８、１０１８は、平坦部１４、１０１４に構成されるか、または縫い付けられて、それらを取り外し不能にする。ポケット１８、１０１８は一般に「衣料ポケット」、「ボールポケット」、または「アクセサリポケット」と呼ばれる、１つまたは複数のポケットを含むことができる。いくつかのポケット１８、１０１８は、取り外し可能であるか、または平坦部１４、１０１４に連結されるように構成され、それらを取付け可能または取り外し可能（以下、「取り外し可能」と記載する）にする。これらの取り外し可能なポケットは、製造プロセスの第２段階中に、ゴルフバッグ１０、１０１０に取付けることができる。平坦部１４、１０１４は、１つ、２つ、３つ、４つ、５つ、６つ、７つ、８つ、９つ、または１０個のポケット１８、１０１８を備えることができる。いくつかの実施形態では、ポケット１８、１０１８のうちの１つまたは複数は、別のポケットの上、前、または内部に配置されてもよい。ポケット１８、１０１８のうちの１つまたは複数は、閉鎖機構を有さない開口部を備えることができる。ポケット１８、１０１８のうちの１つまたは複数は、ジッパー、スナップフィット接続、ファスナ、ボタン、または磁石などの閉鎖機構を有する開口部を備えることができる。特定のポケットの実施形態を以下に詳細に説明する。
１．取り外し可能なポケット
【０２７３】
ゴルフバッグ平坦部１４、１０１４の１つの可能な実施形態は、１つ以上のカスタマイズ可能な、取り外し可能な（または取り外し可能な）ゴルフバッグポケットを包含する。図１０７〜図１０９は、取り外し可能なゴルフバッグポケットを有するゴルフバッグ１０を示す。この取り外し可能なポケットは、ゴルフバッグ１０、ゴルフバッグ１０１０、または任意の他のゴルフバッグと関連付けることができる。ゴルフバッグのカスタマイズは、現在、時間のかかるプロセスである。ゴルフバッグのオプションとして取り外し可能なゴルフバッグポケットを含むことにより、製造者は、ゴルフバッグを迅速にカスタマイズすることができる。さらに、取り外し可能なポケットは、ゴルフバッグを部品で輸送可能にすることによって輸送コストを低減し、したがって輸送量を低減する。以下の説明は取り外し可能な衣類ポケット１６２０のみを示すが、他のポケットも同様の取り外し可能な設計を含むことができることを理解されたい。例えば、キャリーバッグ１０は、取り外し可能なボールポケット（ゴルフバッグの裏面１２上）、取り外し可能なアクセサリポケット（図１Ｂに描写されるように、ゴルフバッグの右側上）、または他のポケットを含み得る。
【０２７４】
いくつかの実施形態では、図１０７〜図１１０に示すように、ポケット１８はバッグ平坦部１４とは別個に製造することができる。ポケット１８は、バッグ平坦部１４に取付け、および、取り外すことができる。他の実施形態では、ポケットのいくつかはバッグ平坦部１４と一体的に製造することができ、一方、残りのポケットは取り外し可能とすることができる。いくつかの実施形態では、ゴルフバッグ１０１０が１つの取り外し可能なポケット、２つの取り外し可能なポケット、３つの取り外し可能なポケット、４つの取り外し可能なポケット、５つの取り外し可能なポケット、または任意の数の取り外し可能なポケットを含むことができる。図１０７の実施形態は、１つの取り外し可能なポケット１６２０を有するキャリーバッグ１０を示す。着脱可能なポケット１６２０を有する実施形態では、バッグ平坦部１４が、第１の受容機構１６２１および第２の受容機構１６２２をさらに備えることができる。第１および第２の受容機構は、着脱可能なポケットを受容し、固定するように構成される。第１および第２の受容機構は、ジッパー歯、ＶＥＬＣＲＯ（登録商標）、スナップボタン、スナップフィットコネクタ、開口部、凹部、ひも（tie）、または任意の他の適切な取付け受容機構であり得る。
【０２７５】
ゴルフバッグの取り外し可能なポケットがバッグ平坦部に取付けられるように配置されるとき、取り外し可能なポケットは、バッグ平坦部１６２５に隣接する表面と、バッグ平坦部に隣接する表面の周囲１６２６と、を備える。取り外し可能なポケット１６２０は、第１の取付け機構１６２３および第２の取付け機構１６２４を、さらに備えることができる。第１および第２の取付け機構は、バッグ平坦部１６２５に隣接する周囲および／または表面上に配置することができる。第１の取付け機構１６２３は、バッグ平坦部の第１の受け機構１６２１によって受けられるように構成される。第２の取付け機構１６２４は、バッグ平坦部の第２の受け機構１６２２によって受けられるように構成される。
【０２７６】
図１０７〜図１０９に示すような多くの実施形態では、第１の取付け機構１６２３はジッパーであってもよく、第２の取付け機構１６２４はＶＥＬＣＲＯ（登録商標）であってもよい。したがって、第１の受け機構１６２１はジッパー歯であってもよく、第２の受け機構１６２２はＶＥＬＣＲＯ（登録商標）であってもよい。他の実施形態では、第１および第２の取付け機構がジッパー、ＶＥＬＣＲＯ(R)、スナップボタン、ボタン、ファスナ、ひも、フック、バックル、または分離可能なポケット１６２０の分離を可能にする他の適切な取付け機構であってもよい。上記を考慮して、第１の取付け機構１６２３の参照は以下、ジッパーと呼ばれ、第２の取付け機構１６２４の参照は以下、ＶＥＬＣＲＯ（登録商標）と呼ばれ、第１の受け機構１６２１の参照は以下、ジッパー歯と呼ばれ、第２の受け機構１６２２の参照は以下、ＶＥＬＣＲＯ（登録商標）と呼ばれる。
【０２７７】
図１０８および図１０９に示すように、着脱可能なポケットのジッパー１６２３は、継ぎ目に沿って周囲１６２６の少なくとも１つの側部に沿って延びることができる。他の実施形態では、取り外し可能なポケット１６２０のジッパー１６２３が、バッグ平坦部１４に隣接する表面の継ぎ目に沿って周囲１６２６全体に沿って延びることができる。取り外し可能なポケットのジッパー１６２３は、バッグ平坦部のジッパー歯１６２１と整列し、嵌合する。ジッパー１６２３は、取り外し可能なポケット１６２０をバッグ平坦部１４に対して正しく方向付けるための位置合わせ機構として機能する。ジッパー１６２３はさらに、着脱可能なポケット１６２０をバッグ平坦部１４上に固定するための主取付機構として機能する。いくつかの実施形態では、ジッパー１６２３が周囲の一部に沿って延在する単一の連続ジッパーとすることができる。他の実施形態では、ジッパー１６２３が周囲の一部に沿った複数の不連続ジッパーとすることができる。
【０２７８】
図１１０に示すように、いくつかの実施形態では、受け入れジッパー歯１６２１は、ゴルフバッグ平坦部１４のリップ１６２７の下に、視界から隠すことができる。リップ１６２７はまた、取り外し可能なポケット１６２０がゴルフバッグ１０に取付けられるとき、取り外し可能なポケット１６２０のジッパー１６２３を隠す。これらの実施形態では、ポケット１６２０が取付けられると、バッグに恒久的に取付けられているように見えるが、機能的にはポケット１６２０は取り外し可能である。リップ１６２７は、適応性および製造効率を犠牲にすることなく、ゴルフバッグにすっきりとした外観を与える。
【０２７９】
図１０８および図１０９に示すように、着脱可能なポケットのベルクロ（登録商標）１６２４は、ファスナの周囲空隙の一部に近接して、バッグ平坦部１４に隣接する表面上に配置することができる。他の実施形態では、ＶＥＬＣＲＯ（登録商標）１６２４を、バッグ平坦部１４に隣接する表面上の任意の場所に配置することができる。取り外し可能なポケットのＶＥＬＣＲＯ（登録商標）１６２４は、バッグ平坦部１４のＶＥＬＣＲＯ（登録商標）１６２４と整列し、嵌合する。着脱可能なポケット１６２０のＶＥＬＣＲＯ（登録商標）１６２４は、着脱可能なポケットをバッグに対して平坦に静止状態に保つための第２の固定手段で作用する。それによって、ゴルフバッグが動いているときに着脱可能なポケットが揺れることを防止する。多くの実施形態において、ＶＥＬＣＲＯ（登録商標）１６２４は、バッグ平坦部に隣接する表面上の円形パッチであり得る。他の実施形態では、ＶＥＬＣＲＯ（登録商標）１６２４が三角形パッチ、正方形パッチ、八角形パッチ、任意の多角形形状パッチ、または単一の連続した長いストリップとすることができる。いくつかの実施形態では、１つのパッチ／ストリップ、２つのパッチ／ストリップ、３つのパッチ／ストリップ、４つのパッチ／ストリップ、５つのパッチ／ストリップ、または６つのパッチ／ストリップが存在し得る。
２．取外し可能なポケット代替取付機構
【０２８０】
図示されていない他の実施形態では、着脱可能ポケットが、上述の着脱可能ポケット１６２０の第１の取付け機構１６２３と同様の第１の取付け機構を含むことができる。取り外し可能なポケットは、ゴルフバッグの基端部に隣接して配置された第２の取付け機構をさらに備えることができる。この実施形態では、第２の取付け機構は、受け部分とコア部分とを含む。コア部分は、ゴルフバッグの平坦部に取付けられる。受け部分は、着脱可能なポケットに取付けられる。受け部分のチャネルは、着脱可能なポケットを平坦部に固定するためにコア部分を受容するように構成される。さらに他の実施形態（図示せず）では、平坦部の第２の受け機構および取り外し可能なポケットの第２の取付け機構が、スナップフィットコネクタ要素またはクリップを備える。
３．着脱可能なポケットのカスタマイズ
【０２８１】
着脱可能なポケット１６２０およびバッグ平坦部１４は、複数の異なる色で製造することができる。これにより、製造業者はカスタマイズされた注文に基づいて特定のカラースキームのために、バッグ平坦部１４および取り外し可能なポケット１６２０の複数の色を組み合わせることができる。取り外し可能なポケット１６２０は、サイズの違いにより、カスタマイズされたロゴプロセスをさらに単純化する。カスタマイズされたロゴ（例えば、学校マスコット／学校名）をゴルフバッグに組み込むことは、ゴルフバッグに恒久的に取付けられたポケットよりも、取り外し可能なポケット１６２０上ではるかに容易である。アイテム上にロゴをスクリーン印刷または刺繍するプロセスは、ゴルフバッグのような大きなかさばるアイテム上よりも、ポケットのような小さなアイテム上でより迅速かつ容易である。
【０２８２】
任意の着色された着脱可能なポケットを任意の着色されたバッグ平坦部１４と組み合わせる能力は、単純化されたカスタマイズされたロゴプロセスと組み合わせて、カスタムバッグ注文の納期を約９０〜１８０日から約３０〜４５日に短縮することができる。納期を半分以上短縮することは、顧客満足度を高める。さらに、取り外し可能なポケットを有するゴルフバッグは、別個により小さい体積のパッケージにパッケージングできる。それによって、ゴルフバッグを収容するパッケージの全体の体積サイズを減少させる。組み合わされた２つの別個の小容量パッケージは、恒久的に取付けられたポケットを有するゴルフバッグを収容する単一の大容量パッケージと比較して、より低い輸送コストを有する。消費者の送料を削減することで、消費者の満足度をさらに高めることができる。さらに、取り外し可能なポケットは、ポケットタイプおよび／または色によって倉庫内の在庫を単純化することができる。したがって、倉庫の組織化および組立てを増加させる。
４．クイックアクセスポケット（インプレイポケット）
【０２８３】
平坦部１４、１０１４は、ゴルフのラウンド中にプレーヤがアクセスしたいと思うゴルフティーまたはゴルフボールなどの小さなアクセサリを格納するための、クイックアクセスポケットをさらに備えることができる。図１０５Ａ〜図１０６は、クイックアクセスポケット１６００を有するゴルフバッグを示す（クイックアクセスポケットは、「インプレイポケット」、「クイックアクセスジッパー付きポケット」、または「磁気ジッパー付きポケット」とも呼ばれ得る）。このクイックアクセスポケット１６００は、ゴルフバッグ１０、ゴルフバッグ１０１０、および／または任意の他の適切なゴルフバッグと関連付けられ得る。クイックアクセスポケット１６００は、ゴルフバッグ平坦部１４、１０１４の１つ以上のポケット１８と同様であり得る。ゴルフバッグクイックアクセスポケット１６００は、ジッパー１６０１および磁石機構１６０２を含む。このポケットはプレイの間、クイックアクセスポケットとして機能するが、輸送の間、またはより長期間の移動使用の間、ジッパー１６０１によってしっかりと閉鎖され得る。磁石機構１６０２は、ゴルフプレイ中にポケット蓋１６０５を閉じた状態に保持するために使用することができるが、必要なときに蓋を迅速に開くことができる。ゴルフポケット１６００は、プレイ中にアイテムが落下しないことを確実にするため、およびポケットの構造的一体性を改善するために、ポケットの開口部の内側の周りに剛性リップ１６０３をさらに備える。
【０２８４】
クイックアクセスポケット１６００は、２つの別個の機能を果たす。１つの機能は、輸送または保管中にゴルフバッグ内にアイテムを保持することである。別の機能は、プレイ中にアイテムを保持することである。ジッパー１６０１は、第１（搬送・収納）機能を満たす。磁石機構１６０２および剛性リップ１６０３は、第２（迅速アクセス）機能を満たす。
【０２８５】
クイックアクセスポケット１６００は、ゴルフバッグ１０内にアイテムを固定するために使用することができる。ポケット１６００は、様々な本体形状及びサイズを有することができる。ポケット蓋１６０５は、ポケット１６００の開口部を覆っている。図１０５Ａ〜図１０６の図示された実施形態では、ポケット開口部が蓋１６０５が本体に接続するヒンジ側面１６０４と、蓋１６０５が開いているときにポケット１６００へのアクセスを可能にする３つの側面とを備える。蓋１６０５は、剛性を高めるためにポリエチレンを含むことができる。蓋１６０５は、他の適切な材料を含むことができる。
【０２８６】
ポケット１６００内に物品を固定する特徴は、ジッパー１６０１、磁石１６０２、および開口部の内側の周りの剛性リップ１６０３を含む。ジッパー１６０１は、ポケットへのアクセスを可能にする３つの側面に沿って開口部の外側を囲む。ジッパー１６０１は、蓋１６０５をポケットの本体に接続する。それにより、全ての保管された物品ならびに磁石機構１６０２および剛性リップ１６０３機構を取り囲むことができる。磁石機構１６０２は、上部磁石および下部磁石を含む。上部磁石は、剛性リップ１６０３に埋め込まれた下部磁石に対応するポケット１６００の蓋１６０５に、埋め込まれている。上部磁石は、蓋１６０５が閉じられたときに下部磁石と接続する。剛性リップ１６０３は、ポケットへのアクセスを可能にする３つの側面の内側に沿って延びる。剛性リップ１６０３は、開口部のこれら３つの側面からポケット開口部の中心に向かって延びる。剛性リップ１６０３は、０．５インチと２インチとの間など、側面から様々な長さに延在することができる。剛性リップ機構１６０３は、ゴルフポケットの構造的一体性に寄与し、下部磁石を収容する。リップ１６０３はまた、蓋が閉じられたときに蓋１６０５が載るためのプラットフォームを提供する。剛性リップ１６０３は、ポリエチレンまたは他の適切な材料で構成することができる。
【０２８７】
ジッパー１６０１を磁石機構１６０２および剛性リップ１６０３と組み合わせることにより、保管を確実にするために複数の磁石を使用する既存のクイックアクセスポケットのコストよりもコストを低くすることができる。ジッパー１６０１を組み込み、磁石の数を制限することは、最終製品のコストを下げ、ポケット１６００を閉じた状態に固定するより信頼性の高い方法を提供する。
【０２８８】
本発明のクイックアクセスポケット１６００は、様々なゴルフバッグデザインと共に使用することができる。ポケット１６００は、バッグの上部またはゴルフバッグの下部に配置することができる。図１０６は、クイックアクセスポケット１６００のための第１の可能な位置１６０６および第２の可能な位置１６０７を示す。
５．シューポケット
【０２８９】
ゴルフバッグ平坦部１４、１０１４のいくつかの実施形態は、一対の靴を収納するための展開可能なシューズポケットアセンブリを含むことができる。使用されていないとき、シューズポケットはゴルフバッグ内の隠されたコンパートメントに保管することができる。図３５〜図４６は、ゴルフバッグ１０に取付けられた展開可能なシューズポケットアセンブリ３００を示す。シューズポケットアセンブリ３００は、展開された（または第１の）構成（図３５〜３６に示される）と、格納された（または第２の）構成（図３７に示される）と、の間で展開可能である。特に図３５を参照すると、シューズポケットアセンブリ３００は、１つのシューズ（または一対のシューズ）を受け入れるように構成された区画３０８を画定する、シューズポケット３０４を含む。シューズポケット３０４の一端は、コンパートメント３０８へのアクセスを提供するための開口部３１２を画定する。開口部３１２の周囲は、内側に付勢され、開口部３１２をその弛緩位置に収縮させる弾性材料３１６で形成することができる。これは、シューズポケット３０４によって受けられる靴（または複数の靴）の保持を容易にし、一方、使用されていないときにシューズポケット３０４のサイズを低減する。
【０２９０】
図３６は、展開形態にあるシューズポケット３０４を示す。ポケット１８は、継ぎ目（または他の適切な締結具）に沿って平坦部１４に取付けることができる。継ぎ目の一部は、貯蔵チャネル３１９へのアクセスポート３１７を画定することができる。貯蔵チャネル３１９は、平坦部１４によって部分的に画定されるとともに、ポケット１８によって部分的に画定されている（図３６および図３７参照）。シューズポケット３０４は、ガセット３２０においてファスナ３１８（例えば、クリップ、縫合等）によって、ポケット１８に取付けられる。ガセット３２０は、ポケット１８の縁部に、またはポケット１８の任意の他の適切な部分に配置することができる。他の実施形態では、シューズポケット３０４は、平坦部１４の一部に（例えば、平坦部１４上のガセットなど）取付けることができる。
【０２９１】
図３７は、収納形態にあるシューズポケット３０４を示す。この構成では、シューポケット３０４が矢印３２４によって示されるように、貯蔵チャネル３１９内に配置される（シューポケット３０４は展開された構成で破線で示される）。したがってこれにより、使用者は、靴を収納するためにシューズポケット３０４を展開し、また使用していないときにシューズポケット３０４を収納形態に収納することを選択できる。
【０２９２】
図示の実施形態では、シューズポケットアセンブリ３００がゴルフバッグ１０のハンドル２２及び／又はストラップ２４とは反対側（例えば、ゴルフバッグ１０「腹」側）に配置される。他の実施形態では、シューズポケットアセンブリ３００が、ゴルフバッグ１０上の任意の適切な位置に配置することができる。さらに、図示の実施形態は、シューズポケット３０４に受け入れられた単一の靴を示している。したがって、シューポケットアセンブリ３００は図３８に示すように、１対のシューを収容する２つのシューポケット３０４を含むことができる。図３８に示す実施例では、シューポケット３０４は、別個のポケット１８に取付けられている。しかしながら、他の実施形態では、シューズポケット３０４が両方とも単一のポケット１８に取付けることができる。図３９に示すように、各シューポケット３０４は、弾性又は伸縮性のメッシュ材料３２８で形成されている。他の実施形態では、シューズポケット３０４は、任意の適切な材料（例えば、ナイロン、ポリエステルなど）で形成することができる。さらに、各シューズポケット３０４は、シューズを受け入れて持ち運ぶように寸法決めされている。靴のポケット３０４は高さが約３０センチ、長さＬが約１７．５センチであり、これは開口部３１２の周縁を約３５センチと定義する。他の実施形態では、シューズポケット３０４が１つの靴を運ぶのに適した任意のサイズであってもよく、または１対の靴を運ぶのに適したサイズであってもよい。シューズアセンブリ３００に受け入れられるシューズは任意の適切なシューズ（例えば、ゴルフバッグ１０がゴルフコースから離れて運ばれているときのゴルフシューズ、ゴルフバッグ１０がゴルフコース上またはゴルフコースの周りを運ばれているときのストリートシューズなど）を含むことができる。
６．クーラーバッグポケット
【０２９３】
ゴルフバッグ１０、１０１０のいくつかの実施形態では、平坦部は、取り外し可能なクーラーバッグを格納するためのポケットを備える。図１０９ａは、取り外し可能なクーラーバッグ１５００を受け入れるためのポケットを含む、ゴルフバッグの実施形態を示す。この取り外し可能なクーラーバッグ１５００は、ゴルフバッグ１０および／またはゴルフバッグ１０１０と関連付けることができる。取り外し可能なクーラーバッグ１５００は、サブアセンブリゴルフバッグパッケージに含まれてもよく、またはクーラーバッグはユーザに別個に供給されてもよい。取り外し可能なクーラーバッグ１５００は、ゴルフカートバッグ／ゴルフキャリーバッグ１０のコンパートメントに適合するように設計されている。取り外し可能なクーラーバッグ１５００は、断熱され完全に密封されるか、または、断熱なしで完全に密封され得る。標準的な再凍結可能なゲルアイスパックに適合する内部ポケットを、バッグの内側に構築することができる。
【０２９４】
クーラーバッグは、既存のカートバッグまたはキャリーバッグの内側に適合するように、独自に成形することができる。図１０９ｂは、クーラーバッグ１５００の第２の実施形態１５１０の図を含む。第２の実施形態では、取り外し可能なクーラーバッグが、ラッチハンドル１５１３を有する単一のバッグエンティティを含むことができる。第１の実施形態１５００では、クーラーバッグが蓋１５０１、主バッグ本体１５０２、ハンドル１５０３、および剛性ベース１５０４などの複数の結合された構成要素を有することができる。断熱材は、主バッグ本体１５０２の内側に含めることができる。
【０２９５】
硬質または可撓性のハンドル１５０３は、カート／キャリーバッグのポケットからのクーラーバッグの容易な取り出しのために、クーラーバッグ上に含まれる。クーラーバッグは、剛性の蓋または可撓性の蓋フラップ１５０１を組み込むことができる。バッグを密封する他の方法は、多くの防水キャンピングバッグに見られるように、バッグ材料を巻くこと、および巻かれた材料を一緒に締めることを含むことができる。クランプ機構１５１３は、留め金、プラスチックバックル、または任意の他の適切な機構を備えることができる。クーラーバッグのベース１５０４は、耐久性を追加するために硬質プラスチック構成要素を含むことができる。ベースのためのこの補強構成要素は、冷却バッグの底部に外部から接着することができ、または冷却バッグの底部の内側に固定することができる。取り外し可能なクーラーバッグは、耐水性の可撓性プラスチック材料から作ることができる。ハンドル、クランプ、蓋、およびベースは、プラスチックまたは他の適切な材料から作製され得る。
【０２９６】
クーラーバッグ１５００の目的は、ゴルフをしながらゴルフバッグ内の飲料及び食品を輸送する便利さを改善することである。クーラーバッグの壁に断熱材が追加され、完全シールが飲料をより長く冷たく保つ。取り外し可能なクーラーバッグは、ゴルフコースに到達する前に、家庭での飲料の容易な包装および冷却を可能にする。クーラーバッグはまた、飲料および食品をゴルフバッグの残りの部分から隔離し、ゴルフバッグの汚れを回避するのに役立つ。
Ｆ．防水
【０２９７】
ゴルフバッグ１０、１０１０は防水性であってもよい。図４０〜図４６は、ゴルフバッグ１０の１つ以上の区画への水の浸透を減少させるための防水を含む、ゴルフバッグ１０の実施形態を示す。例えば、ポケット１８はコーティングされたポリエステル材料、より具体的には二重コーティングされたポリエステル材料から製造することができる。一例として、ポリエステルのためのコーティングは、ポリエステル−ポリウレタン樹脂コーティング、および／または、ポリウレタン樹脂コーティングであり得る。コーティングされたポリエステルは、好都合なことに高温の気象条件（例えば、華氏９０度を超えるなど）で収縮しない。ポケット１８は製造され、コーティングされ、次いで、平坦部１４に取付けられる（例えば、縫い付けられる等）。ポケット１８は、ポケット１８に形状を与える結合縁３３８を有することができる。さらに図４４〜図４５を参照すると、ポケット１８が平坦部１４に取付けられると、固定点３３０（例えば、継ぎ目など）を防水材でコーティングすることができる。ポケット１８は、複数の相補的ファスナ３３４ａ、３３４ｂ（例えば、面ファスナなど）によって、固定点３３０の反対側の縁部で平坦部１４に選択的に結合することができる。ファスナ３３４ａ、３３４ｂ（図４４〜４５に示される）、および／または、ポケット１８の縁部、または、各ポケット１８が平坦部１４に接続する継ぎ目３３６（図４６に示される）、または、ジッパー３４０、または、各ポケット１８への他のアクセス開口部（図４０〜４５に示される）は、防水材でコーティングされ得る。防水は、処理されたポケット１８または平坦部１４の一部への、水または他の液体の浸透を減少させる。これは、ポケット１８内に貯蔵された物品を、悪天候条件または水への不注意な暴露（例えば、ゴルフバッグ１０を潅漑水源（irrigation head）の近くに配置するなど）において、乾燥状態に保つことを補助する。表Ｉを参照すると、防水性を有するゴルフバッグ１０は、本明細書に記載されるように、様々な市販の防水性ゴルフバッグと比較して、約２６％〜７３％の水分貯蔵の全体的な減少、および、約６％〜４４％のポケット１８内の水検出の減少をもたらした。
【表１】
2020531158.tif 000003
Ｇ．サブアセンブリ
【０２９８】
サブアセンブリ４２、１０４２は、ベース３４、１０３４、仕切り頂部３０、１０３０、仕切りスリーブ４６、１０４６、１つまたは複数のステー３９、１０３９、および、平坦部１４、１０１４のうちの、１つまたは複数を備えることができる。以下の表ＩＩは、種々の例示的なサブアセンブリの実施形態の組成を示す。ベース３４、１０３４、仕切り頂部３０、１０３０、１つまたは複数のステー３９、１０３９、および平坦部１４、１０１４は、以下に詳細に説明するように、それぞれ２つ以上の部品を含むことができることを理解されたい。したがって、表Ｉでは、サブアセンブリにコンポーネントを含めることは、前記コンポーネントの１つまたは複数のピースを含めることを表すことができる。例えば、サブアセンブリ実施形態ＶＩは、仕切り頂部、仕切りスリーブ、および平坦部と共に、ツーピーススナップ結合ベースのリング部分のみを含むことができる。
【０２９９】
サブアセンブリ４２、１０４２は、ベース３４、１０３４、仕切り頂部３０、１０３０、仕切りスリーブ４６、１０４６、１つまたは複数のステー３９、１０３９、および平坦部１４、１０１４、の任意の組み合わせを備えることができる。サブアセンブリ４２、１０４２は、表ＩＩに開示される実施形態に限定されない。異なる構成要素の交換から形成されるサブアセンブリ４２、１０４２は、ゴルフバッグ１０、１０１０の特定の実施形態に利点を提供することができる。例えば、ベース、ステー、および仕切り頂部（表ＩＩのサブアセンブリＶＩＩなど）を有するサブアセンブリ４２、１０４２は、第２の製造段階中にステーを挿入するステップを排除することができる。しかし、仕切り頂部、ベース、および平坦部（サブアセンブリＶなど）を有するサブアセンブリ４２、１０４２は、１つまたは複数のステーの挿入を必要とするが、第２の製造段階中に平坦部を仕切り頂部またはベースにリベット留めまたは他の方法で固定する必要性を排除する。したがって、サブアセンブリの構成要素は、特定のゴルフバッグ設計を補完するために、または製造現場（すなわち、利用可能な設備）の制限を満たすために、交換または変更され得る。
【表２】
2020531158.tif 000004
ＩＩ．キャリーゴルフバッグとキャリーバッグのサブアセンブリ
【０３００】
ゴルフバッグは、キャリーバッグ１０とすることができる。図１〜９０、図９４Ａ〜１０４、および図１０７〜１１０は、キャリータイプのゴルフバッグと関連付けることができるゴルフバッグの特徴および実施形態を示す。キャリーバッグ１０は、上述の構成要素を組み込むことができる。さらに、キャリーバッグ１０は、スタンドアセンブリ、および１つ以上のストラップをさらに含み得る。スタンドアセンブリは、キャリーバッグを、格納形態または展開形態で使用されることを可能にする。用語「格納形態（retracted configuration）」は、スタンドアセンブリがキャリーバッグの平坦部に対して保持（または格納）される状態を指す（格納形態は、「第１の形態」とも呼ばれる）。用語「展開形態（extended configuration）」は、スタンドアセンブリが展開され、キャリーバッグを安定位置に支持する状態を指す（展開形態は「自立形態」、「三脚形態」、または「第２の形態」とも呼ばれる）。
【０３０１】
上述したように、キャリーバッグ１０は、（１）ベース３４、（２）仕切り頂部３０、（３）仕切りスリーブ４６、（４）ステー３９、及び（５）平坦部１４、の構成要素を含むことができる。キャリーバッグ１０は、スタンドアセンブリ２６と、１つ以上のストラップ２４と、をさらに備えることができる。上述のように、キャリーバッグ１０は、ベース３４、仕切り頂部３０、仕切りスリーブ４６、ステー３９、および平坦部１４のうちの１つ以上を備えるサブアセンブリ４２から形成され得る。スタンドアセンブリ２６は、サブアセンブリ４２に結合するように構成される。いくつかの実施形態では、スタンドアセンブリ２６が、仕切り頂部３０およびベース３４に結合するように構成される。１つ以上のストラップ２４は、平坦部１４の一部と係合し、仕切り頂部３０に結合する。
【０３０２】
図１Ａは、展開された形態のキャリーバッグ１０を示す。図１Ｂ、図１Ｃ、図１Ｄ、および図１Ｅは、ストラップのない収納形態のキャリーバッグ１０を示す。ゴルフバッグ１０は、ゴルフアクセサリ（例えば、ゴルフボール、ゴルフティー、ゴルフグローブ、レインギアおよび他の衣料品など）を保管するための複数のポケット１８を含む、平坦部１４または平坦部を含む。ゴルフバッグ１０はまた、バッグ１０の把持および／または運搬を容易にする、複数のハンドル２２およびショルダーキャリーストラップ２４を含む。スタンドアセンブリ２６は、脚部取付けブラケット３２（図２〜図３に示す）によって、仕切り頂部３０でゴルフバッグ１０に回動自在に接続されている。仕切り頂部３０は、ゴルフバッグ１０の運搬を補助するための、追加のハンドル３３を含む。仕切り頂部３０の反対側には、ベース３４がある。図示された展開形態では、スタンドアセンブリ２６が展開され、平坦部１４がスタンドアセンブリ２６に向かってベース３４の周りで傾斜する。これは、ベース３４の底面３８がバッグ１０が展開される表面との接触を維持することを可能にし、三脚形態にある間のバッグ１０の安定性を増加させる。
【０３０３】
図２及び図３は、平坦部１４が取り外された状態のゴルフバッグ１０を示す。図２を参照すると、ステー３９が、仕切り頂部３０からベース３４まで延びている。スタンドアセンブリ２６は、バッグ１０のステー３９とは反対側に設けられている。スタンドアセンブリ２６は、脚部取付けブラケット３２に回動可能に連結された、一対の脚部４０ａ、４０ｂを含む。ばね４１は、ベース３４に結合されている。ばね４１は、ばね部材４１ａ、４１ｂを含む。ばね部材４１ａ、４１ｂは、ベース３４から延びて、それぞれの脚部４０ａ、４０ｂに接続する。いくつかの実施形態では、ばね部材４１ａ、４１ｂは、図７４および７５を参照して以下で説明するブラケット６００などのブラケットを介して、それぞれの脚部４０ａ、４０ｂに接続する。
【０３０４】
図２および図３はまた、第１の実施形態による内部サブアセンブリ４２を示す。サブアセンブリ４２は、仕切り頂部３０とベース３４とを含む。さらに、仕切りスリーブ４６は、仕切り頂部３０に結合されており、仕切り頂部３０から離れてベース３４に向かって延びている。仕切りスリーブ４６は、ほぼ箱状の形状を有するが、他の実施形態では任意の適切なまたは所望の形状であってもよい。図４を参照すると、バッグ１０が格納形態にあるとき（すなわち、図３に示すようにスタンドアセンブリ２６が格納されているとき）、仕切りスリーブ４６はベース３４まで完全には延びていない。仕切りスリーブ４６の端部又は底縁４７は、ベース３４の頂部リップ又は縁４８から間隔を置いて配置されている。複数の接続部材５０が、仕切りスリーブ４６に接続される。より具体的には、複数の接続部材５０は、ベース３４に最も近い仕切りスリーブ４６の端部４７に隣接して接続される。接続部材５０は、仕切りスリーブ４６をベース３４に連結する。仕切りスリーブ４６がベース３４に結合されると、図４に示されるように、端部４７によって画定される仕切りスリーブ４６の周囲の周りで変化する第１の距離Ｄ１を有する、ギャップまたは開口部または空間５４が存在する。複数のギャップ５４の各々は、仕切りスリーブ４６（またはその縁４７）、２つの隣接する接続部材５０、および、ベース３４（またはその頂部リップ４８）、によって概ね画定される。
Ａ．キャリーバッグ: スタンドアセンブリの収納および展開形態
【０３０５】
使用時には、キャリーバッグ１０は、典型的にはスタンドアセンブリ２６が収納された収納形態で使用開始される。図１１に示すように、収納形態では、ステー３９が第１の長さすなわち距離Ｌ１で、仕切り頂部３０とベース３４との間に延びている。仕切りスリーブ４６は、仕切り頂部３０から第２の長さすなわち距離Ｌ２だけ離れて延びており、仕切りスリーブ４６の第２の長さＬ２は、ステー３９の第１の長さＬ１よりも全体的に短い。また、接続部材５０は、仕切りスリーブ４６とベース３４との間で全体的に緊張しているか、またはほとんど緩んでいない。この収納形態では、仕切りスリーブ４６とベース３４との間のギャップ５４が、仕切りスリーブ４６とベース３４との間に十分なスペースまたは空間を提供し、ゴルファーがゴルフバッグ１０から１つ以上のゴルフクラブを自由に挿入し、取り出すことを可能にする。
【０３０６】
ゴルファーは、典型的にはゴルフバッグ１０を収納形態（第１の形態）から展開形態（第２の形態）に移行させ、ゴルフバッグ１０を下にセットするときにスタンドアセンブリ２６を展開させる。ゴルファーは、底面３８が支持面上に載置された状態で、ベース３４を支持面上に配置する。次に、ゴルファーは、仕切り頂部３０に下向きの力を加える。下向きの力を加えることによって、ばね４１はベース３４の周りを旋回し、脚部４０ａ、４０ｂをバッグ１０から離れるように押す。同時に、ステー３９は、ベース３４のサブアセンブリの周りをスタンドアセンブリ２６に向かって傾斜させる。これはまた、図２に示すように、サブアセンブリ４２をスタンドアセンブリ２６に向かって傾斜させる。ステー３９がベース３４の周りで傾斜している間、ステー３９は収納形態および展開形態の両方において仕切り頂部３０とベース３４との間に一定の距離Ｌ１を維持し、一方、仕切りスリーブ４６は、収納形態よりも展開形態においてベース３４に近づくように移動することを理解されたい。
【０３０７】
スタンドアセンブリ２６を配置した展開形態に入ると、サブアセンブリ４２は、ベース３４の近くの分割スリーブ４６のまとまりや集束を減らし、ゴルフバッグ１０からのゴルフクラブの出し入れを改善することによって、ゴルフバッグ１０に対するゴルファーの体験を有利に改善する。図１２を参照すると、仕切りスリーブ４６とベース３４との間のギャップ５４は、それぞれ、第１の距離Ｄ１よりも小さい第２の非ゼロ距離Ｄ２に縮小されている。ギャップ５４は、仕切りスリーブ４６が収納形態（図３及び図１１）と展開形態（図２及び図１２）との間でベース３４の周りを旋回するのに十分な間隔を提供する。一方、ギャップ５４は、ベース３４の近くで仕切りスリーブ４６の望ましくない集束又はまとまりをもたらす可能性がある余材を制限する。
Ｂ．キャリーバッグ: スナップフィット機能
【０３０８】
ここで図１３〜図２９を参照すると、スナップフィットサブアセンブリの態様がさらに詳細に開示されている。図１３〜図２０は、スナップフィットスタンドアセンブリ２６（図２〜図３に示す）の構成要素を示す。以下のスナップフィット機能は、キャリーバッグの様々な実施形態に、部分的にまたは完全に含まれていてもよいし、または含まれなくてもよいことを理解されたい。キャリーバッグ１０に組み込まれるスナップフィット接続は、プレスフィット接続、雄または雌スナップフィットボタン、または上記で定義されるような他のスナップフィット接続を含むことができる。キャリーバッグのいくつかの構成要素は、スナップフィット接続部を備える。このスナップフィット接続部は、開口部に滑り嵌めおよびスナップフィットすることによって開口部に係合する、角度のついた突出面を備える。他の構成要素は、１つまたは複数の突起と係合するスロットまたは溝を備える、スナップフィット接続を備える。スナップフィット接続を有するいくつかの構成要素は、接続のための支持および位置合わせを提供するために、インターロックおよび／または当接面をさらに備える。
１．キャリーバッグ: スナップフィット脚部取付けブラケット
【０３０９】
キャリーバッグ１０は、脚部取付けブラケットを備えることができる。脚部取付けブラケットは、スナップフィット脚部取付けブラケットとすることができる。図１３に示すように、一実施形態では、キャリーバッグ１０の仕切り頂部３０には、スナップフィット脚部取付けブラケット３２を収容するために、外側リング７４を貫通する複数の開口１０６を形成することができる。外側リング７４はまた、第１の縁部１１２に設けられた複数の整合スロット１１０と、第１の縁部１１２の反対側の縁部に設けられ、好ましくはリング７４の周囲に延びるリム１１４と、を含む。
【０３１０】
図１３〜図１５に示すように、脚部取付けブラケット３２は、複数の脚部アンカー１２２と、取付け部分またはチャネル１２６（図１４に示す）と、を含む。取付けチャネル１２６は、ブラケット３２の前部１３０および後部１３４によって画定される。複数のスナップ又はスナップ部材又は保持部材１３８が、前部１３０及び後部１３４からチャネル１２６内に突出している。チャネル１２６はまた、脚部取付けブラケット３２と仕切り頂部３０の外側リング７４との整合を容易にする、複数の整合リブ（図示せず）を含む。図示の実施形態では、合計５つのスナップ１３８が示されており、２つが前部１３０から突出し、３つが後部１３４から突出している。他の実施形態では、任意の好ましい数のスナップ１３８を使用することができ、スナップ１３８は前部１３０のみ、後部１３４のみ、または前部１３０および後部１３４の任意の適切な組み合わせからチャネル１２６内に突出することができる。
【０３１１】
脚部取付けブラケット３２は一般に、弓形または湾曲した曲率角度（図１４に示す）を有する。脚部取付けブラケット３２は、仕切り頂部３０の外側リング７４と相補的であり、脚部取付けブラケット３２の仕切り頂部３０へのスナップフィット接続を容易にする。脚部取付けブラケット３２は、仕切り頂部３０の外側リングと相補的な直線形状を有することができる。スナップフィット接続を形成するために、脚部取付けブラケット３２は、外側リング７４の第１の縁部１１２を、取付けチャネル１２６内に受け入れるように配置される。脚部取付けブラケット３２は、脚部取付けブラケット３２の整合リブ（図示せず）がそれぞれの整合スロット１１０によって受け入れられるまで、外側リング７４の周りで調節される。一旦受け入れられると、脚部取付けブラケット３２は外側リング７４を受け入れ、各スナップ１３８は外側リング７４のそれぞれの開口１０６に係合（又は受け入れられ）て、スナップフィット接続を形成する。リム１１４は、ゴルフバッグ１０の作動中に脚部取付けブラケット３２のための付加的な構造的支持を提供しながら、脚部取付けブラケット３２内への外側リング７４の過剰挿入を防止する。
【０３１２】
他の実施形態では、仕切り頂部３０に対する脚部取付けブラケット３２の向きは、仕切り頂部３０の下からの係合に限定されず、任意の他の方向からの係合が適切であり得ることを理解されたい。加えて、スナップフィット接続は、スナップ１３８と開口１０６との係合として示されているが、スタンドアセンブリ２６からの力を打ち消して支持し、脚部取付けブラケット３２を仕切り頂部３０にロックして確実な構造的接続を形成する任意の他の適切な機械的接続を実施することができる。
【０３１３】
図１６〜図１７は、脚部取付けブラケット３２ａを有する仕切り頂部１０３０の、代替実施形態を示す。この実施形態では、脚部取付けブラケット３２ａは、スナップフィット（またはプレスフィット）接続によって仕切り頂部１０３０と係合される。この実施形態では、トラフまたはチャネル１４２が、後部１３４に設けられている。トラフ１４２は、仕切り頂部１０３０（又は図８に示すような中間部材８０）に仕切り区分を画定する横部材７８の周りに、嵌合するように設けられる。トラフ１４２はまた、（脚部取付けブラケット３２に関連して開示されているように）スナップフィット接続のために脚部取付けブラケット３２ａを仕切り頂部１０３０と適切に整列させるための追加の位置合わせ補助として、機能することができる。図１８は、脚部取付けブラケット３２、３２ａの一実施形態に係合するための４つの開口１０６を有する、仕切り頂部３０ｂの追加の代替実施形態を示す。
２．キャリーバッグ:トラフ付き脚部取付けブラケット
【０３１４】
キャリーバッグ１０のいくつかの実施形態は、スナップフィット取付けブラケット４３２の代替実施形態を含む。図１０１Ａ〜図１０４は、各脚部アンカー４２２ａ、４２２ｂに沿ったトラフまたはチャネル４３６ａ、４３６ｂを備える、脚部取付けブラケット４３２を示す。各脚部アンカー４２２ａ、４２２ｂは、バッグ平坦部１４と同様のバッグ平坦部４１４を受け入れるためのものである。各脚部アンカー４２２ａ、４４２ｂ上のトラフ４３６ａ、４３６ｂは、バッグ平坦部４１４を仕切り頂部４３０に整列させ、固定するのを助ける。図１０１Ａおよび１０１Ｂに示されるように、脚部取付けブラケット４３２は、取付け部分４３４および複数の脚部アンカー４２２ａ、４２２ｂを備える。しかしながら、脚部取付けブラケット４３２のこの実施形態は、仕切り頂部又はスナップコネクタと係合するための、図４１４のチャネル１２６のようなチャネルを備えていない。むしろ、脚部取付けブラケット４３２は、リベット４７６、接着剤、または他の締結機構を介して、仕切り頂部４３０に固定することができる。脚部取付けブラケット４３２は、仕切り頂部４３０の外側リング４７４の外面に取付けられている。脚部取付けブラケット４３２の取付け部分４３４は、一般に、弓形または湾曲した曲率角度を有し、仕切り頂部４３０の外側リング４７４と相補的である。取付け部分４３４の湾曲は、脚部取付けブラケット４３２が仕切り頂部４３０と係合することを可能にする。図１０２に示すように、いくつかの実施形態では、脚部取付けブラケット４３２が、仕切り頂部４３０と一体的に形成される。
【０３１５】
いくつかの実施形態では図１０３〜図１０４に示すように、脚部取付けブラケット４３２は、平坦部４１４上に取付けられる。図１０３は、仕切り頂部４３０を平坦部４１４にどのように挿入することができるかを示している。図１０４は、バッグ平坦部４１４と係合した仕切り頂部４３０を示す。仕切り頂部４３０は、キャリーバッグ１０の背面１２のハンドルの下の平坦部４１４にリベット留めすることができる。キャリーバッグ１０の前部１１では、平坦部４１４が、仕切り頂部４３０の脚部アンカー４２２ａ、４２２ｂとの係合によって持ち上げられる。
【０３１６】
脚部取付ブラケット４３２に係合するバッグ平坦部４１４は、脚部アンカー４２２ａ、４２２ｂがバッグ平坦部４１４を通って延びることを可能にする、２つの窓４２８ａ、４２８ｂを備える。窓４２８ａ、４２８ｂは、それぞれ、結合エッジ４２９ａ、４２９ｂによって取り囲まれている。結合エッジ４２９ａ、４２９ｂは、脚部取付けブラケット４３２のトラフ４３６ａ、４３６ｂ内に嵌り、平坦部４１４を仕切り頂部４３０に対して所望の位置に保持する。脚部アンカー４２２ａ、４２２ｂは、平坦部４１４をバッグの前側（または腹側）１１で仕切り頂部４３０に保持するので、平坦部４１４をバッグの前側１１に固定するために、（リベット、または、ＶＥＬＣＲＯ（登録商標）のような自己固定コネクタなどの）他の固定機構は、もはや必要ではない。平坦部４１４を仕切り頂部４３０にリベット留め又は他の方法で固定する必要性を排除することにより、組立工程及び必要な製造装置が低減される。したがって、組み立て時間および製造工程のオーバーヘッドを低減することができる。さらに、以前にＶＥＬＣＲＯ（登録商標）を使用した実施形態と比較して、トラフ４３６ａ、４３６ｂを有する脚部取付けブラケット４３２は、はるかにきれいな仕上げをもたらす。
【０３１７】
脚部取付けブラケット４３２は、バッグ平坦部４１４が仕切り頂部４３０から滑り落ちるのを防止することによって、最終製品の品質をさらに向上させる。いくつかのゴルフバッグでは、平坦部が、面ファスナ（ＶＥＬＣＲＯ（登録商標）など）を介して仕切り頂部に固定される。これらの実施形態は、リベット留めを排除するという利点を有する。しかし、これらのゴルフバッグの平坦部は、平坦部が係合するように設計された仕切り頂部上のレベルより下にたるむことがある。位置ずれした平坦部は、平坦部と仕切り頂部の両方の開口部を通って延びるストラップの締め付けまたは妨害などの問題を引き起こす可能性がある。窓４２８ａ、４２８ｂを平坦部４１４上に設けることにより、窓４２８ａ、４２８ｂは脚部取付けブラケット４３２のトラフ４３６ａ、４３６ｂと係合し、ある程度のバッグ平坦部で発生しうる潜在的な不整合の問題が排除される。いくつかの実施形態では、平坦部４１４が、脚部取付けブラケット４３２の反対側で、仕切り頂部４３０上にリベット留めされる。リベットは、窓４２８ａ、４２８ｂおよび脚部取付けブラケット４３２によって保持されていない側で、平坦部４１４を支持する。他の実施形態では、スナップフィット接続を使用して、窓４２８ａ、４２８ｂおよび脚部取付けブラケット４３２によって保持されていない側で、平坦部４１４を支持することができる。
【０３１８】
バッグ平坦部４１４および脚部取付けブラケット４３２の組立後、脚部アンカー４２２ａ、４２２ｂは露出されるが、取付け部分４３４は平坦部４１４の下に隠される。バッグ平坦部４１４をゴルフバッグ１０に正しい位置で固定することに加えて、平坦部４１４の下にあるブラケット４３２の取付け部分４３４を隠すことで、ゴルフバッグ１０の美観をより統一されたシームレスに見えるようにすることができる。
３．キャリーバッグ：脚部取付けブラケットの材質
【０３１９】
脚部取付けブラケット３２、４３２は、脚部４０とバッグ部分との間のヒンジ点として作用するので、強度のためにガラス充填ナイロンで作られることが好ましい。上述のように、仕切り頂部３０、４３０は、典型的には可撓性で軽量の材料を含む。一実施形態では、仕切り頂部３４および脚部取付けブラケット３２のそれぞれの材料特性を維持しながら、構成要素が一体化された部品として作用することを、スナップフィット接続が可能にする。仕切り頂部３０、４３０および脚部取付けブラケット３２、４３２を別々に設け、異なる材料で形成することにより、各構成要素を特定の所望の材料特性を有するように調整することができる。例えば、仕切り頂部３０、４３０は、ブラケット材料よりも重量が軽い材料を含むことができ、その結果、キャリーバッグ１０全体の重量が節約される。例えば、脚部取付けブラケット３２、４３２は、仕切り頂部３０、４３０の材料よりも強い材料で形成することができ、その結果、脚部４０のための耐久性のある接続が得られる。仕切り頂部４３０および脚部取付けブラケット４３２を別個の構成要素として有することにより、所望の材料特性に応じて、各構成要素に対して異なる材料を選択することが可能になる。しかしながら、仕切り頂部３０、４３０及び脚部取付けブラケット３２、４３２を一体的に形成することにより、製造プロセスを単純化し、必要とされる組立工程を低減し、品質を改善することができる。一体的に形成された仕切り頂部３０、４３０及びブラケット３２、４３２は、ガラス充填ポリマー又は繊維強化ポリマーのような軽量で強固な材料を含む。
【０３２０】
仕切り頂部３０、４３０及び脚部取付けブラケット３２、４３２の一体的に形成された実施形態及び別個の構成要素の実施形態の両方は、キャリーバッグの設計パラメータ及びコスト制限に基づいて活用することができる利点を有する。例えば、材料の重量は、バッグが軽量かつ単純であることが意図されているので、サンデーキャリーバッグにとって重要であり得る。このタイプのキャリーバッグでは、高強度材料の追加コストにもかかわらず、高品質、低密度材料から形成された一体的に形成された仕切り頂部が、別個の仕切り頂部および取付けブラケットよりも好ましいことがある。
４．キャリーバッグ：脚接続
【０３２１】
キャリーバッグ１０のスタンドアセンブリ２６は、脚部取付けブラケット３２に接続された脚部４０を含むことができる。上述したように、脚部取付けブラケット３２は、仕切り頂部３０と係合又は一体化することができる。脚部４０は、脚部４０を受け入れて脚部取付けブラケットに対して回転する脚部端部キャップのような脚部接続機構を介して、脚部取付けブラケット３２に接続することができる。様々なスナップフィット脚部接続機構は、対応する特徴部の対応するスロット、開口、または溝に対して、圧入、ロック（またはスナップ）するように摺動する突出面または要素を備える、構成要素とすることができる。いくつかの実施形態では、脚接続機構が以下に記載されるように、受取人による自己組立を可能にする特徴を有するように設計され得る。
【０３２２】
図１９〜図２０は、各脚部４０と脚部取付けブラケット３２との間のスナップフィット接続を示す。図１９を参照すると、端部キャップ１４６は、恒久的な取付け、例えば接着剤又は機械的接続によって脚部４０に接続する脚部接続端部１５０を含む。端部キャップ１４６はまた、対向する複数の突起１５４を含む。図２０に示すように、各突起１５４は、脚部アンカー１２２の各スロット１５８に受け入れられて、端部キャップ１４６（及び各関連脚部４０）と脚部取付けブラケット３２との間にスナップフィット接続を形成する。加えて、突起１５４とスロット１５８との係合は、対向する突起１５４を通って延びる旋回軸の周りで、それぞれの脚部アンカー１２２に対して、各関連する脚部４０が旋回することを可能にする。特に、これにより脚部４０は、収納された形態と展開された三脚形態との間で旋回することができる。他の実施形態では、スロット１５８は、各脚部４０と脚部取付けブラケット３２／仕切り頂部３０との間にスナップフィット保持および旋回接続の両方を提供する開口部または任意の他の適切な接続に、置き換えられてもよい。
５．キャリーバッグ：脚接続の代替実施形態（自己組立）
【０３２３】
キャリーバッグにおいて、脚部取付けブラケットと脚部のセットとの間の脚部接続は、工具を使用することなく、組み立てられた態様に容易にスナップ留めまたはロックするように設計することができる。図６１〜図６７は、スタンドアセンブリの一部である脚部自己組立システム５０２を示す。図６１を参照すると、システム５０２は、それぞれの脚部４０ａ、４０ｂに接続された端部キャップ５２８ａ、５２８ｂを含む。各端部キャップ５２８は、ピン５１６を受け入れるように構成された開口又はピン開口５３２を含む。図６２に示すように、各ピン５１６は、取り外し及び／又は取付け中にピン５１６を把持するのを助けるための表面テクスチャ又は粗さ５３６を有する、端部又は部分を含む。また、表面テクスチャ５３６を有する部分は、取付け中の過剰挿入を防止するために、ピン５１６の残りの部分よりも大きな断面直径を有することができる。各ピン５１６はまた、円周溝５３８を含むことができる。溝５３８は、端部キャップ５２８または取付けブラケット３２（図６６に示す）の突起または部材（図示せず）を任意選択で受け入れるか、または係合して、適切な挿入の表示を提供し、および／または、自己組立後のピン５１６の保持を補助することができる。図示の実施形態では、各ピン５１６は、輸送中、または脚部自己組立システム５０２がボックス４０４から取り外されたときのいずれかに、端部キャップ５２８ａ、５２８ｂ内に配置される。他の実施形態では、ピン５１６が、任意の適切な様式で箱内に格納または収容されてもよい（例えば、封止されたプラスチックバッグなどの箱内の包装に収容される）。図５７〜５８は、ボックス４０４および脚部自己組立システム５０２と共に、自己組立キット４００を示す。脚部自己組立システム５０２は、組立キット４００と共に、ボックス４０４内に嵌合するように配置される。
【０３２４】
図６３は、脚部４０ａ、４０ｂに接続された位置合わせ補助具５１２を示す。位置合わせ補助具５１２は、脚部４０ａ、ｂに取付けられたときに、取付けブラケット３２（図６６に示される）との係合を容易にするために、脚部４０ａ、ｂを所定の間隔を置いて配置する長さＬ１を有する。脚部４０ａ、４０ｂを取付けブラケット３２に取付けた後、位置合わせ補助具５１２を脚部４０ａ、４０ｂから取り外す。設置後に予定されている取り外しを受取人に知らせるために、位置合わせ補助具５１２は、自己組立後に位置合わせ補助具５１２を取り外すように受取人に指示する第２のしるし、または、説明書５４０を含むことができる。図示の実施形態では、位置合わせ補助具５１２が紙または厚紙で構成され、接着テープによって脚部４０ａ、４０ｂに取り外し可能に取付けられる。他の実施形態では、位置合わせ補助具５１２が、脚部４０ａ、ｂと取付けブラケット３２との整合を容易にする任意の適当な構造または形成された任意の適当な材料から成る、任意の適当な構造または形成されたものであり得る。例えば、図６４〜６５は、位置合わせ補助具５１２ａの代替実施形態を示す。位置合わせ補助具５１２ａは、それぞれの脚部４０（例えば、脚部４０ａ、ｂ）を干渉または摩擦適合によって運搬する、アーチ状脚部サポート経路５４４のペアを含む。位置合わせ補助具５１２ａはまた、各々がそれぞれのピン５１６を保持する、１つまたは複数のピン支持チャネルまたは突起５４８を含むことができる。位置合わせ補助具５１２ａは、脚部４０およびピン５１６とのスナップフィット接続を形成し、出荷中の脚部４０およびピン５１６の組織化された保管を容易にし、組立中（および組立後）の脚部４０およびピン５１６の容易な取り外しを容易にする。図示の位置合わせ補助具５１２ａは、プラスチックで形成されるが、他の実施形態では任意の適切な材料で構成されてもよい。
【０３２５】
次に図６６を参照すると、脚部４０ａ、４０ｂを仕切り頂部３０上の取付けブラケット３２に組立てる間の、位置合わせ補助具５１２が示されている。取付けブラケット３２は、端部キャップ５２８ａ、５２８ｂによって対応する脚部４０ａ、４０ｂを受け入れるように構成された、取付けチャネル５５２ａ、５５２ｂを画定する。位置合わせ補助具５１２の長さＬ１（図６３に示す）は、端部キャップ５２８ａ、５２８ｂ間の距離が取付けチャネル５５２ａ、５５２ｂ間の距離に一致するようなものである。これにより、受取人は、端部キャップ５２８ａ、５２８ｂを容易かつ簡単に整列させ、取付けチャネル５５２ａ、５５２ｂに挿入することができる。
【０３２６】
各チャネル５５２ａ、５５２ｂはまた、チャネル５５２ａ、５５２ｂの両側に対向する開口（図示せず）を含む。端部キャップ５２８ａ、５２８ｂがそれぞれのチャネル５５２ａ、５５２ｂによって受容されるとき、対向する開口は、各端部キャップ５２８ａ、５２８ｂを通るピン開口５３２（図６１に示される）と整列する。整列状態にあるとき、ピン５１６は、脚部４０ａ、４０ｂを取付けブラケット３２に接続し保持するために、受取人によって挿入され得る。位置合わせ補助具５１２は、対向する開口部（図示せず）をピン開口部５３２（図６１に示す）と整列させて、受取人によるピン５１６の挿入を容易にするのを補助する。脚部４０ａ、４０ｂを取付けブラケット３２に接続することに加えて、各ピン５１６は、脚部４０ａ、４０ｂが取付けブラケット３２に対して旋回する旋回軸を画定する（例えば、スタンドアセンブリ２６が収納される第１の形態と、スタンドアセンブリ２６が展開される第２の形態との間の、脚部４０ａ、４０ｂの旋回を容易にするために）。
【０３２７】
脚部４０ａ、４０ｂを取付けブラケット３２に組み立てた後、受取人は、ばね４１の一部の周りにストラップ５５６を取付けることができる。図６７に示すように、ストラップ又は重力ストラップ５５６は、ゴルフバッグ１０の平坦部１４に取付けられ、ストラップ５５６の自己取付けを容易にするためのラッチアセンブリ又はバックル５６０を含む。ストラップ５５６の長さは、ユーザの好みに基づいて調整することができる。ストラップ５５６をばね４１の周りに延ばすことによって、ストラップ５５６は、ゴルフバッグ１０が使用者によって運ばれるとき（例えば、使用者がショルダーストラップ２４によってゴルフバッグ１０を運んでいるとき）、ばね４１によって脚部４０ａ、４０ｂを拘束するのを助ける。この拘束は脚部４０ａ、４０ｂがゴルフバッグ１０からぶら下がるか、または離れて展開することを制限するのを助ける（すなわち拘束は、ゴルフバッグ１０が運ばれるときに、脚部４０ａ、４０ｂを第１の収納形態に維持するのを助ける）。
【０３２８】
スタンドアセンブリの他の実施形態では、脚部４０ａ、４０ｂ、ばね４１、取付けチャネル５５２ａ、５５２ｂを有する取付けブラケット３２、および脚部自己組立システム５０２の端部キャップ５２８ａ、５２８ｂ、およびピン５１６と同様の構成要素を、スタンドアセンブリは備えることができる。スタンドアセンブリは、位置合わせ補助具５１２のような自己組立機能を排除する。それによって材料を節約し、同時に、キャリーバッグを構築するために組立者によって使用される脚部アセンブリのための十分な構成要素を保持する。
６．キャリーバッグ：第２の代替的な脚部接続の実施形態
【０３２９】
脚部接続の別の実施形態は、対応する脚部取付けブラケットと整列する突出部（耳部）を有する、一対の脚部端部キャップを備えることができる。図８８〜図９０は、端部キャップ６４６および取付けブラケット６３２の実施形態を示す。図８８を参照すると、端部キャップ６４６は、端部キャップ１４６と同様である。端部キャップ６４６は、恒久的な取付けによって脚部４０に接続する脚部接続端部６５０を含む。端部キャップ６４６はまた、突起６５４が突起６５４の中心を通って延びる開口６５５を含むことを除いて端部キャップ１４６と同様の、対向する複数の突起６５４を含む。突起は、脚部取付けブラケット６３２の溝６５６内で摺動する。これは、端部キャップ６４６を脚部取付けブラケット６３２と整列させるのに役立つ。端部キャップ６４６と脚部取付けブラケット６３２との整列は、端部キャップ６４６の開口６５５が脚部取付けブラケット６３２のスロット６５８と整列し、回転のためのピンまたは軸の挿入を可能にすることを確実にする。いくつかの実施形態では、突起６５４は、端部キャップ６４６から外側に０．０５インチまで突出する。他の実施形態では、突起６５４は、端部キャップ６４６の表面から外側方向に０．０１、０．０２、０．０３、０．０４、０．０５、０．０６、０．０７、０．０８、０．０９、または０．１０インチ突出することができる。さらに、いくつかの実施形態では、突起６５４が丸く、０．２４〜０．２８インチの直径を有することができる。他の実施形態では、突起６５４は、０．２４インチ、０．２５インチ、０．２６インチ、０．２７インチ、または０．２８インチの直径を有することができる。
【０３３０】
図８９を参照すると、取付けブラケット６３２は、取付けブラケット６３２のスロット６５８が取付けブラケット６３２の底部までずっと延びていないことを除いて、取付けブラケット３２と同様である。その代わりに、取付けブラケット６３２のスロット６５８は、端部キャップ６４６の開口６５５と同じサイズになるように構成される。いくつかの実施形態では、端部キャップ６４６の開口６５５および取付けブラケット６３２のスロット６５８が、０．１５インチと０．２５インチとの間の直径を有することができる。他の実施形態では、開口６５５およびスロット６５８が、０．１５、０．１６、０．１７、０．１８、０．１９、０．２、０．２１、０．２２、０．２３、０．２４、または０．２５インチの直径を有することができる。多くの実施形態では、スロット６５８が、開口６５５の直径よりも０．０１インチ大きい直径を有することができる。取付けブラケット６３２はまた、端部キャップ６４６の突起６５４を受け入れるように構成されるとともに、端部キャップ６４６の開口６５５が取付けブラケット６３２のスロット６５８と整列する位置に端部キャップ６４６を案内するように構成された、溝６５６を含む。図９０を参照すると、端部キャップ６４６及び取付けブラケット６３２は、組み立てられた位置で示されている。ピン（図示せず）はアセンブリの一方の側の開口６５５およびスロット６５８を通ってねじ込まれるか、または位置決めされ、アセンブリの他方の側の開口６５５およびスロット６５８を通って延在し、脚部４０および端部キャップ６４６を取付けブラケット６３２にロックすることができる。さらに、ピンとスロット１５８および開口６５５との係合は、各関連する脚部４０がピンの中心を通って延びる旋回軸の周りで、それぞれの取付けブラケット６３２に対して旋回することを可能にする。特に、これにより、脚部４０は、収納形態と展開形態との間で旋回することができる。
７．キャリーバッグ：脚部接続の第３の代替実施形態
【０３３１】
脚部接続部のさらに別の実施形態は、多部品端部キャップを含むことができる。この脚部接続の実施形態は、脚部端部キャップの１つの構成要素（または部品）が、最初に脚部取付けブラケットに回転可能に接続されることを可能にする。第２の構成要素（または部品）は、最初にスタンドアセンブリの脚部に固定される。脚部は、第２の構成要素を第１の構成要素に押し込むことによって、脚部取付けブラケットと迅速に係合（スナップフィット）することができる。この組立工程は迅速であり、工具を必要とせず、熟練した労力を必要としない。
【０３３２】
ここで図６８〜７２を参照すると、脚部自己組立システム５０２と共に使用するための、端部キャップ５２８の別の代替実施形態が示されている。この実施形態では、端部キャップ５２８が、スナップフィットによって相互接続する多部品端部キャップ５６４である。端部キャップ５６４を使用することにより、脚部自己組立システム５０２は、ピン５１６の必要性を排除する。
【０３３３】
図６８〜７２は、多部品端部キャップ５６４の実施形態を示す。端部キャップ５６４は、第１の部品または第１の部分５６８と、第２の部品または第２の部分５７２とを含む。脚部自動組立システム５０２で使用されるとき、第１の部品５６８は、例えば、脚部４０が第１の構成と第２の構成との間に延在することを可能にするための旋回軸を画定する対向する開口５７６ａ、ｂによって、取付けブラケット３２に事前に取付けられる。第２の部品５７２は、各脚部４０に予め取付けられている。例えば、各脚部４０は、第２の部品５７２から延びる突起５８０を受け入れることができる。さらに、各脚部４０は、第２の部品５７２によって画定された凹部５８４によって、部分的に受け入れられることができる。突起５８０は、十字またはプラス記号の断面形状を有するものとして示されているが、他の実施形態では、突起５８０が脚部４０との係合を容易にするために、任意の適切な形状を有することができる。さらに、第２の部品５７２の図示された実施形態は、脚部４０との摩擦または締まり嵌めを示している。しかし、各脚部４０を各第２の部品５７２に保持するのに十分な任意の適切な接続または係合を、使用することができる。
【０３３４】
自己組立中に各脚部４０を取付けブラケット３２に取付けるために、受取人は、第２の部品５７２を第１の部品５６８に接続する。接続を容易にするために、多部品端部キャップ５６４は、スナップフィットアセンブリ５８４（図６９に示す）を含む。図示の実施形態では、第２の部品５７２は、第１の部品５６８（図７０〜図７１に示す）内に配置された関連する戻り止め５９２と係合し保持されるように寸法決めされた、少なくとも１つの可撓性キャッチ５８８（図６９〜図７０に示す）を含む。第１の部品５６８および第２の部品５７２がスナップフィットアセンブリ５８４によって取付けられると、脚部４０が取付けブラケット３２に取付けられる（図７２参照）。
８．キャリーバッグ：脚部スプリング用ブラケット
【０３３５】
脚部取付けブラケット、脚部連結機構、および脚部に加えて、キャリーバッグ１０のスタンドアセンブリ２６は、ベース３４および脚部４０と係合するばね４１をさらに備えることができる。ブラケットは、ばね４１を脚部４０に接続する。ばね４１は、キャリーバッグ１０が展開形態と収納形態との間で移行されるときに、脚部の展開および収納を補助する。
【０３３６】
図７３〜７５は、ばね４１を各脚部４０ａ、４０ｂに取付けるブラケット６００（ばね対脚部ブラケットとも呼ばれる）の実施形態の一例を示す。ブラケット６００は、脚部４０ａまたは４０ｂを受け入れるように構成された脚部受容チャネル６０４を含み、それぞれの脚部４０ａ、４０ｂ上へのブラケット６００の取付けを容易にする。ブラケット６００はまた、ばね４１の一部を受け入れるように構成されたばね受容チャネル６０８を含み、ばね４１を各脚部４０ａ、４０ｂに取付ける。図示された実施形態では、スプリング受容チャネル６０８は、脚部受容チャネル６０４からオフセットされているとともに、ほぼ垂直に配置されている。ブラケット６００は、ブラケット６００の外面上に、弓形突起またはバンパ６１２を含む。図３６に示すように、バンパ６１２は、脚部４０ａ、４０ｂをばね４１から分離する。より具体的には、脚部４０ａ、４０ｂをばね４１および平坦部１４（図７３には示されていないが、図１には示されている）からオフセットさせる。各ブラケット６００上のバンパ６１２によって、脚部４０ａ、４０ｂをばね４１からオフセットして配置することによって、脚部４０ａ、４０ｂは、脚部４０ａ、４０ｂが格納形態から展開形態に展開する間、ばね４１と絡まらない。
Ｃ．キャリーバッグ:平坦部
【０３３７】
上述したように、キャリーバッグ１０は、平坦部を備えることができる。キャリーバッグ１０に特有の平坦部１４のいくつかの変形例を以下に説明する。
１．キャリーバッグ：膨張式のヒップパッドと膨張式のショルダーパッド
【０３３８】
図８５及び図８６を参照すると、平坦部１４は、膨張式のヒップパッド２５０を含むこともできる。膨張式のヒップパッド２５０は、バッグが使用者の背中または腰に載ることができる平坦部１４の、任意の部分に沿って配置することができる。平坦部１４は、膨張式のヒップパッド２５０を受け入れるように構成されたポケット１０２０を含むことができる。多くの実施形態では、膨張式のヒップパッド２５０と平坦部１４とを、縫合、溶接、または任意の他の適切な恒久結合方法によって恒久結合することができる。他の実施形態では、膨張式のヒップパッド２５０をポケット１０２０に挿入することができる。ポケットは、ジッパ、スナップフィットメカニズム、面ファスナ、または任意の他の好適な封止法の手段によって封止することができる。膨張式ヒップパッド２５０は、使用者が膨張式ヒップパッド２５０を空気で収縮または膨張させることを可能にする、ノズル２５２をさらに含む。ポケット１０２０は、ノズル２５２が平坦部１４の外側からユーザがアクセスできるように構成することができる。ノズル２５２は、バッグ１０を運ぶときに使用者の背中または腰に接触しないように配置することができる。
【０３３９】
膨張式ヒップパッド２５０は、外側シェルによって収容された内側膨張式区画を含むことができる。内側膨張可能区画は、単一の大きな区画であってもよい。または内側膨張可能区画は、一連の区画された膨張可能区画を作り出す、膨張式ヒップパッド２５０を通って延びる複数の開口を備えてもよい。膨張式のヒップパッド２５０は、ノズル２５２をさらに備える。多くの実施形態では、ノズル２５２がツイストロックノズルである。他の実施形態では、ノズル２５２が任意のタイプのノズルとすることができる。例えば、ノズル２５２は、ばね負荷ノズル、キャップ付きノズル、プッシュプルノズル、または任意の他の適切な膨張弁とすることができる。図示の実施例では、図８６を参照すると、ノズル２５２は膨張式のヒップパッド２５０の継ぎ目に溶接することができる。他の実施形態では、ノズル２５２を、膨張式ヒップパッド２５０の外面に溶接することができる。
【０３４０】
膨張式のヒップパッド２５０は、製造プロセス中に規定された所定量のフィラーを有するヒップパッドとは対照的に、ユーザがヒップパッド２５０を所望量のクッションまで膨張させることを可能にする。加えて、ヒップパッド２５０は空気で膨張されるので、従来のフォームヒップパッドのように、時間が経つにつれて平らになったり圧縮されたりすることはない。さらに、膨張式のヒップパッド２５０のためのフィラー材料として空気を使用することによって、フィラーとして発泡体または他のより高密度の材料を含む従来のヒップパッドよりも軽量にすることができる。それによって、ゴルフバッグ全体の重量を節約する。
【０３４１】
いくつかの実施形態では、図８７を参照すると、膨張式のショルダーパッドをショルダーストラップ２４に含めることができる。膨張式のショルダーパッドは、サイズがショルダーストラップ２４内に適合するように調整されることを除いて、膨張式のヒップパッド２５０と同様である。膨張式のヒップパッド２５０と同様に、膨張式のショルダーパッド２６０は、ノズル２５２と同様のノズルを備える。このノズルは、ユーザが容易にアクセスできるように、肩ストラップ２４を通って嵌合するように構成することができる。ノズルは、ユーザの肩に接触しないように、肩ストラップ２４上に配置される。膨張式のショルダーパッド２６０は、膨張式のヒップパッド２５０のための膨張式のポケット２５４と同様に、膨張式のポケットを含むこともできる。いくつかの実施形態では、膨張式のショルダーパッド２６０のための膨張式のポケットが、ヒップパッドの膨張式のポケット２５４よりも細長い。
２．キャリーバッグ： 取り外し可能なストラップ接続
【０３４２】
バッグを運ぶためにストラップを接続するために、多数のタイプのバックル、クリップ、または接続を使用することができる。幾つかのストラップ２４は、シンプルなデザイン、美的目的、及び耐久性ために、キャリーバッグ１０に恒久的に取付けられている。他のストラップ２４は、キャリーバッグ１０に取り外し可能に取付けられ、カスタマイズ、ストラップ構成の変更、および製造の単純化を可能にする。キャリーバッグ１０は、キャリーバッグ１０からストラップを固定または解放するための、取り外し可能なストラップ接続機構を備えることができる。以下に記載される取り外し可能なストラップ接続機構は、恒久的に取付けられたストラップの利点のいくつかを保持すると同時に、容易かつ非破壊的なストラップの取り外しを可能にする。図１４５Ａ〜図１４８に示す取り外し可能なストラップ接続機構３５０は、（１）ストラップを所定の角度に保持し、（２）広いストラップを支持し、（３）バッグとストラップとの間のオフセット距離を最小にし、（４）かなりの重量を支持することができる。最小化されたオフセット距離は、バッグの美観をさらに改善することができる薄型構造を、接続機構に与える。
【０３４３】
図１４５Ａに示すように、取り外し可能なストラップ接続機構３５０は、受容部分３６０とコア部分３８０とを備える。受容部分３６０は、コア部分３８０上を摺動し、受容部分３６０およびコア部分３８０のロック機構を介して所定の位置にスナップ留めされる。典型的には、受容部分３６０はゴルフバッグ１０のストラップ３５４に接続され、コア部分３８０はゴルフバッグ１０の本体に接続される。ストラップ接続機構３５０は、ゴルファーがストラップ３５４を外したときに、ストラップ３５４がゴルフバッグ１０に対してその向きを維持することを可能にする。ストラップ接続機構３５０は、ストラップ３５４の端部を、ゴルフバッグ１０の背面１２から所定の角度に保持することができる。さらに、ストラップ接続機構３５０は、ストラップ３５４の望ましくないねじれを防止するように、幅広のストラップ３５４をゴルフバッグ１０に固定することを可能にする。ストラップ接続機構３５０は、ストラップ３５４をゴルフバッグ本体に取付ける、薄型で、目立たず、美的にクリーンな手段をさらに提供する。最後に、ストラップ接続機構３５４は、１５〜７０ポンドの荷重に耐えることができ、高荷重支持用途に有用である。
【０３４４】
以下の説明は、図１４５Ａ〜図１４８の例示された実施形態を対象とするが、本発明の他の実施形態を含むことを理解されたい。キャリーバッグ１０のための取り外し可能なストラップ接続機構３５０は、ストラップ３５４に連結された受容部分３６０と、平坦部１４または仕切り頂部３０などのバッグ本体部分に連結されたコア部分３８０と、を備える。受容部分３６０は、ストラップ取付けタブ３６５と、ストラップ取付けタブ３６５から延びる第１の弓形アーム３６６と、ストラップ取付けタブ３６５から延びる第２の弓形アーム３６７と、第１および第２の弓形アーム３６６、３６７の間に形成されたチャネル３６４と、を含む。コア部分３８０は、バッグ取付けタブ３８５と、バッグ取付けタブ３８５から延びるコア３８４と、を含む。受容部分３６０のストラップ取付けタブ３６５は、キャリーバッグ１０のストラップ３５４と係合する。コア部分３８０のバッグ取付けタブ３８５は、キャリーバッグ１０の本体に接続する。しかしながら、他の実施形態では、受容部分３６０は本体に接続され、コア部分３８０はストラップ３５４に接続される。
【０３４５】
受容部分３６０の第１および第２の弓形アーム３６６、３６７は、ストラップ取付けタブ３６５と一体に形成される。第１および第２の弓形アーム３６６、３６７は、一緒になって、内径３７０および外径３７１を有するほぼ円筒形のチャネル３６４の一部を形成する。内径３７０は、０．１０〜０．４５インチの範囲とすることができる。例えば、内径３７０は、０．１０〜０．１５インチ、０．１５〜０．２０インチ、０．２０〜０．２５インチ、０．２５〜０．３０インチ、０．３０〜０．３５インチ、０．３５〜０．４０インチ、または０．４０〜０．４５インチの範囲とすることができる。外径３７１は、０．２０〜０．５５インチの範囲とすることができる。例えば、外径３７１は、０．２０〜０．２５インチ、０．２５〜０．３０インチ、０．３０〜０．３５インチ、０．３５〜０．４０インチ、０．４０〜０．４５インチ、０．４５〜０．５０インチ、または０．５０〜０．５５インチの範囲とすることができる。
【０３４６】
第１および第２の弓形アーム３６６、３６７は、０．１０〜０．２０インチまたは０．１５〜０．２５インチの範囲の厚さを含むことができる。受容部分３６０は、ストラップ取付けタブ３６５の反対側で、第１の弓形アーム３６６の端部と第２の弓形アーム３６７の端部との間に配置された開口３６８をさらに備える。図１４６に見られるように、受容部分３６０は、第１の側面３６１および第２の側面３６２をさらに備える。第１および第２の弓形アーム３６６、３６７は、第１の側面３６１および第２の側面３６２の間に延在する。受容部分３６０はさらに、受容部分３６０の第２の側面３６２に端壁を備える。端壁は第１および第２の弓形アーム３６６、３６７を接続し、チャネル３６４の一端でストッパのように作用する。端壁の反対側の受容部分チャネル３６４の第１の側面３６１は、コア部分３８０のコア３８４を受容するための開口部３６９を備える。
【０３４７】
受容部分３６０は、受容部分３６０の第１の側面３６１と第２の側面３６２との間に画定された、（すなわち、チャネル３６４と平行な）幅３５６を備える。受容部分３６０の幅３５６は、０．５〜４．０インチの範囲とすることができる。例えば、受容部分３６０の幅３５６は、０．５〜１．６インチ、１．２〜１．８インチ、１．４〜２．０インチ、１．６〜２．２インチ、１．８〜２．４インチ、２．０〜２．６インチ、２．２〜２．８インチ、２．４〜３．０インチ、２．６〜３．２インチ、２．８〜３．４インチ、または３．０〜３インチの範囲とすることができる。
【０３４８】
受容部分３６０は、図示されていないロック機構をさらに備える。ロック機構は、コア部分３８０のそれぞれのロック機構（例えば、対応する突起または溝）に対応する、溝または突起を備えることができる。受容部分のロック機構は、受容部分３６０の幅３５６に沿った任意の適切な位置に配置することができる。受容部分３６０のロック機構は、第１および第２の弓形アーム３６６、３６７の内面に配置することができる。いくつかの実施形態では、ロック機構は、突起または溝ではなく、ボタン解放タブを含む。
【０３４９】
コア部分３８０は、バッグ取付けタブ３８５と一体的に形成されている。コア部分３８０のコア３８４は、コア直径３９０を有するほぼ円筒形の形状を含む。コア直径３９０は、０．１０〜０．４５インチの範囲とすることができる。例えば、コア直径３９０は、０．１０〜０．１５インチ、０．１５〜０．２０インチ、０．２０〜０．２５インチ、０．２５〜０．３０インチ、０．３０〜０．３５インチ、０．３５〜０．４０インチ、または０．４０〜０．４５インチの範囲とすることができる。コア３８４は、第１の端部３８１および第２の端部３８２をさらに備える。コア部分３８０は、コア３８４が受容部分３６０のチャネル３６４に挿入されたときに、受容部分３６０のロック機能と係合するロック機能（図示せず）をさらに備える。コア部分ロック機構は、コア３８４の外面に配置される。受容部分ロック機構が溝である実施形態では、コア部分ロック機構が溝に係合するような大きさの突起であってもよい。受容部分ロック機構が突起である実施形態では、コア部分ロック機構が突起を受け入れるように寸法決めされた溝とすることができる。上述のようにいくつかの実施形態では、ロック機構は、突起または溝ではなく、ボタン解放タブを含むことができる。
【０３５０】
コア部分３８０の幅３５７は、コア３８４の第１の端部３８１と第２の端部３８２との間に画定される。コア３８４の幅３５７は、１．０〜３．０インチの範囲とすることができる。例えば、コア３８４の幅３５７は、１．０〜１．６インチ、１．２〜１．８インチ、１．４〜２．０インチ、１．６〜２．２インチ、１．８〜２．４インチ、２．０〜２．６インチ、２．２〜２．８インチ、または２．４〜３．０インチの範囲とすることができる。多くの実施形態では、コア幅３５７が、受容部分３６０の幅３５６よりも小さい。受容部分３６０の端壁は、受容部分３６０の幅３５６の一部を占めるので、コア３８４の端部が受容部分３６０の第１の側面３６１と面一になるように、コア幅３５７は受容部分幅３５６より小さくなければならない。取り外し可能なストラップ接続機構３５０は、受容部分３６０の幅３５７に一致する幅を有する。
【０３５１】
いくつかの代替実施形態では、受容部分３６０のチャネル３６４が円筒形ではない形状を備えることができる。例えば、受容部分３６０の内部形状は、おおよそ正方形、三角形、台形、涙滴、または任意の他の適切な形状であり得る。コア部分３８０のコア３８４は、受容部分３６０のチャネル３８４に対応する形状を備えることができる。
【０３５２】
ストラップ取付けタブ３６５は、キャリーバッグ１０のストラップ３５４を受け入れるためのスロットを備えることができる。スロットは、ストラップ取付けタブ３６５と受容部分３６０の弓形アーム３６６、３６７との間の接続部とは反対側のストラップ取付けタブ３６５の端部に、隣接して配置される。他の実施形態では、ストラップ取付けタブ３６５はスロットを含まず、むしろ、ストラップ３５４に恒久的に縫い付けることができる材料を含む。同様に、バッグ取付けタブ３８５は、バッグ取付けタブ３８５とコア部分３８０のコア３８４との間の接続部とは反対側の部分を含むことができる。バッグ取付けタブ３８５のこの部分は、キャリーバッグ１０の本体に縫い付けることができる。他の実施形態では、バッグ取付けタブ３８５が、キャリーバッグ１０の本体に縫い付けられるストラップ３５４を受容するためのスロットを備える。さらに他の実施形態では、バッグ取付けタブ３８５を、仕切り頂部３０などのバッグ本体の要素と一体的に形成することができる。いくつかの実施形態では、バッグ取付けタブ３８５は、キャリーバッグ１０の仕切り頂部３０にスナップ留めされるか、リベット留めされるか、または接着されるブラケットに一体化される。バッグ取付けタブ３８５は、バッグ本体に対して大きく撓まないように、バッグ本体に固定される。
【０３５３】
コア部分３８０を受容部分３６０と係合させるために、（１）コア部分３８０のコア３８４は、受容部分３６０の第１の端部開口３６９と位置合わせされる。（２）コア部分３８０のバッグ取付けタブ３８５は、受容部分３６０の第１および第２の弓形アーム３６６、３６７の間の開口３６８と位置合わせされる。（３）コア部分３８０のコア３８４は、受容部分３６０のチャネル３６４内に摺動される。コア部分３８０のバッグ取付けタブ３８５は、受容部分３６０の第１および第２の弓形アーム３６６、３６７の間の開口３６８内に受け入れられる。（４）コア３８４およびチャネル３６４のロック機構が、ロック構成にスナップフィットされ、コア３８４が受容部分３６０の端壁に接触すると、コア部分３８０は受容部分３６０と完全に係合する。ロック機構に係合するために、いくらかの余分な力が必要とされる。ボタン解放ロック機構を有する実施形態では、コア部分３８０が同様に、ロックされた構成にスナップフィットすることができる。コア３８４がチャネル３６４と係合すると、受容部分３６０の第１および第２の弓形アーム３６６、３６７は、コア部分３８０のコア３８４をほぼ完全に包み込む。受容部分３６０の端壁は、コア３８４がチャネル３６４を通って過度に遠くに達するのを防止する。受容部分３６０の第１および第２の弓形アーム３６６、３６７の端部は、コア部分３８０のバッグ取付けタブ３８５に隣接して位置する。この構造的構成により、受容部分３６０は、コア部分３８０のコア３８４の周りで回転することが抑制される。その結果、受容部分３６０のストラップ取付けタブ３６５は、コア部分３８０のコア３８４またはバッグ取付けタブ３８５に対して旋回することが防止される。
【０３５４】
図１４８に示す実施形態では、コア部分３８０が受容部分３６０と係合したとき、ストラップ取付けタブ３６５とバッグ取付けタブ３８５とは、ほぼ同一平面上にある（互いに１８０°の角度をなしている）。他の実施形態では、コア部分３８０が受容部分３６０と係合するときに、バッグ取付けタブ３８５がストラップ取付けタブ３６５から７５°と１８０°との間で角度を成すことができるように、バッグ取付けタブ３８５がある角度でコア部分３８０に一体的に取付けられる。例えば、バッグおよびストラップ取付けタブ３８５、３６５は、互いに対して、１８０度（同一平面上）、１７５度、１７０度、１６５度、１６０度、１５５度、１５０度、１４５度、１４０度、１３５度、１３０度、１２５度、１２０度、１１５度、１１０度、１０５度、１００度、９５度、９０度、８５度、８０度、７５度、または任意の他の適切な角度だけ角度付けられ得る。図２は、コア部分３８０の一実施形態を示している。バッグ取付けタブ３８５は、コア３８４から約９０度の角度をなしている。ストラップ取付けタブ３６５が保持される硬直した角度は、キャリーバッグ１０がその腹部（前面１１）上に置かれたときに、キャリーバッグ１０のストラップ３５４が立ち上がる（その向きを保持する）のを助ける。
【０３５５】
受容部分３６０およびコア部分３８０は、アルミニウム合金、亜鉛合金、鋼、または他の適切な金属などの金属から、または成形ポリマー材料から形成することができる。いくつかの実施形態では、受容部分３６０およびストラップ取付けタブ３６５が、金属材料から一体的に鋳造される。これらの実施形態では、コア部分３８０およびバッグ取付けタブ３８５が、ポリマー材料から一体成形される。他の実施形態では、受容部分３６０およびストラップ取付けタブ３６５が金属材料から一体的に鋳造され、コア３８４およびバッグ取付けタブ３８５が金属材料から一体的に鋳造される。バッグ取付けタブ３８５が金属から形成される実施形態では、バッグ取付けタブ３８５は、バッグ取付けタブ３８５をキャリーバッグ１０に固定するストラップ部材を受容するためのスロットを、典型的に備える。
【０３５６】
剛性ストラップ接続機構３５０は、キャリーバッグ１０が地面上に腹下に置かれたときに、キャリーバッグ１０の背面１２からある角度で突き出る位置に、ストラップ３５４を配置する。スタンドアップストラップ３５４は、最小限の上半身の曲げで、使用者がバッグ１０を拾い上げることを可能にする。取り外し可能なストラップ接続機構３５０はまた、ストラップ３５４の望ましくないねじれを防止するように、幅広のストラップ３５４をキャリーバッグ１０に固定することができる。ストラップ接続機構３５０の幅が大きいため、最初にストラップ３５４を先細にする必要なしに、幅広のストラップ３５４の端部全体をバッグ１０に直接固定することができる。多くの従来のバッグでは、幅の広いストラップがバックルに固定されてバッグに接続される前に、より小さい幅にテーパ付けされなければならない。ストラップのこのより小さい幅部分は、バックルの小さい幅と共に、ストラップが逆さまに、または他の望ましくない構成にねじれることを可能にする。
【０３５７】
さらに、従来のバックルが、幅広のストラップを収容するのに十分な大きさに設計される場合、バックルは長さが比例して増加するため、バッグとストラップとの間の大きなオフセット距離をもたらす。これらの大型の従来のバックルは、バッグの美観を変化させるだけでなく、それらの硬くて嵩張った構造を有するストラップの感触も変化させる。取り外し可能なストラップ接続機構３５０は、（幅が大きいために）広い表面積にわたって接続を提供し、接続機構３５０に沿った各点で機構にかかる応力の量を低減する。接続機構３５０のチャネル３６４およびコア３８４構造は、幅と共に、ストラップ３５４とバッグ１０との間のオフセット距離を最小限にすることを可能にする。ストラップ３５４の端部とバッグ１０の背面１２の一部との間のオフセット距離は、０．２〜１．０インチの範囲であり得る。例えば、オフセット距離は、０．２〜０．４インチ、０．３〜０．５インチ、０．４〜０．６インチ、０．５〜０．７インチ、０．６〜０．８インチ、０．７〜０．９インチ、または０．８〜１．０インチの範囲とすることができる。オフセット距離は、１．０インチ未満、０．８インチ未満、０．７インチ未満、０．６インチ未満、０．５インチ未満、０．４インチ未満、０．３インチ未満、０．２インチ未満、または０．１インチ未満とすることができる。１つの例示的な実施形態では、オフセット距離が０．２インチと０．５インチとの間である。最小のオフセット距離は、薄型で目立たない外観に寄与する。
【０３５８】
ストラップ接続機構３５０は、１５〜７０ポンドの質量を有するバッグ１０（その内容物を含む）の荷重に耐えることができる。例えば、ストラップ接続機構３５０は、１５〜２０ポンド、２０〜３０ポンド、２０〜４０ポンド、３０〜４０ポンド、４０〜５０ポンド、５０〜６０ポンド、１０〜３０ポンド、２０〜５０ポンド、３０〜６０ポンド、または４０〜７０ポンドの質量を有するバッグ１０の荷重に耐えることができる。いくつかの実施形態では、取り外し可能なストラップ接続機構３５０が、１５ポンドと３５ポンドとの間の、その内容物を含むバッグ１０の荷重に耐えることができる。取り外し可能なストラップ接続部３５０の構造特性と材料特性との混合により、機構は、従来技術のコネクタよりも大きな重量に耐えることができる。受容部分３６０の材料特性は、受容部分３６０の第１および第２の弓形アーム３６６、３６７が変形するのを防止する剛性を提供することができる。この剛性は、コア部分３８０を受容部分３６０内に保持するために重要である。
【０３５９】
さらに、取り外し可能なストラップ接続機構３５０は、キャリーバッグ１０上のストラップ３５４の容易な変更を可能にする。例えば、ショルダーストラップは、ゴルフバッグストラップを交換するために、または単一のストラップから二重ストラップバッグに変換するために、取り外すことができる。この例では、ストラップ接続機構３５０はキャリーバッグ１０上に２つのコア部分３８０を備えることができ、単一のストラップ３５４をどこに取付けるかについて２つの選択肢を提供し、汎用性のあるストラップ構成を可能にする。他の実施形態では、使用者が保管のためにバッグ１０の本体に対してストラップ３５４を平らにすることを可能にするため、キャリーバッグ１０からストラップ３５４を係合解除することは望ましい。取り外し可能なストラップ接続機構３５０はまた、キャリーバッグ１０の空間効率のよい輸送を可能にする。いくつかのキャリーバッグでは、取り外し可能なストラップ接続機構３５０は、１つ以上のストラップ３５４の両端に使用することができる。その結果、望む場合には、ストラップ３５４をバッグ１０から完全に取り外すことができる。これは、バッグ製造プロセスの後期段階での、ストラップの色又は他の特性の容易なカスタマイズを可能にする。取り外し可能なストラップ接続機構３５０は、カスタマイズ、折り畳み性、人間工学的な取扱い、改善された美観、および、従来技術のストラップ−バッグ接続機構を超える他の利点を提供する、機能性、接続強度、および品質を提供する。
Ｄ．キャリーバッグ：セルフアセンブリーキット
【０３６０】
上述したように、キャリーバッグ１０の構成要素は、サブアセンブリ４２に組み立てることができる。サブアセンブリ４２は、任意の変形の構成要素を含むことができる。サブアセンブリ４２は、折り畳み可能であってもよい。さらに、サブアセンブリ４２は、キャリーバッグ１０を構築するために使用され得る。いくつかの実施形態では以下に記載されるように、サブアセンブリ４２は、自己組立キット４００の一部として提供される。キャリーバッグ自己組立キット４００は、出荷量が減少し、供給会社の人件費が減少した結果として、受取人のコストを減少させる。
【０３６１】
ここで図５４〜７２を参照すると、折り畳み式キャリーバッグ１０のためのサブアセンブリの実施形態が、自己組立キット４００（図５７に示される）の状況で図示および記載されている。キット４００は、ゴルフバッグ１０と、受領者が受領時にゴルフバッグ１０を組み立てることを可能にする自己組立システム７００と、を含む。
【０３６２】
図５４〜５５に示されるように、自己組立キット４００は、部分的に組み立てられた状態でゴルフバッグ１０を出荷するために使用されるボックスまたはコンテナまたは出荷パッケージ４０４を含む。ボックス４０４は、フラップまたはフラップ部分４１２と一体的に形成することができる、トップサイドまたはフェースサイド４０８を含む。フェースサイド４０８は、折り目４１６によって、ボックス４０４の一部に、より具体的にはボックスのサイドに接続されている。フェースサイド４０８は、ボックス４０４の外面の一部を画定する。一方、フェースサイド４０８は、折り目４１６の周りを旋回することによって、ボックス４０４の内部へのアクセスも提供する。フラップ部分４１２は、ボックス４０４の閉鎖を容易にするための係合面を画定する。係合面は、それぞれのスロット４１８（図５７に示される）によって受容され得る、１つ以上のタブ（図示せず）を含み得る。それぞれのスロット４１８は、フェースサイド４０８およびフラップ４１２とは別個の、ボックス４０４の一部によって画定される（例えば、スロットは、ボックス４０４の１つ以上の側面によって画定され得るなど）。タブおよびスロットの閉鎖は、閉鎖の例示の目的で提供されている。フェースサイド４０８および／またはフラップ部分４１２をボックス４０４の一部と係合させるのに適した、任意の閉鎖が実施されてもよいことを理解されたい。
【０３６３】
自己組立キット４００のボックス４０４は、図５４〜５５に示されており、完全に組立てられたゴルフバッグを出荷するために現在使用されている既知のボックスの隣に示されている。この比較は、既知のボックスに対する、ボックス４０４の縮小サイズを示す。より具体的には、ボックス４０４が約２，０４０立方インチ（ｉｎ３）の容積を有し、一方、既知のボックスは、約５，１９０立方インチ（ｉｎ３）の容積を有する。ボックスの容積はおおよそであるが、ボックス４０４は既知のボックスよりも約６０％少ない容積を有する。ボックス４０４は、既知のボックスよりもサイズが小さく、容積が小さい。組み立てられたゴルフバッグを出荷するために使用される既知のボックスからの容積の減少範囲は、約１５％から約７０％、より具体的には約２５％から約６５％、より具体的には約３５％から約６０％、より具体的には５０％を超える範囲である。
【０３６４】
ゴルフバッグ１０の自己組立に関して受取人にガイダンスを提供するために、ボックス４０４はしるし（indicia）４２０を含むことができる。図５６に示すように、しるし４２０は、ゴルフバッグ１０を組み立てるための説明書を含む。組立説明書は、ガイダンスを提供するため、および／または各組立ステップを示すために、１つまたは複数の図または詳細図を含むことができる。ボックス４０４の図示された実施形態では、しるし４２０がフェースサイド４０８の内側に印刷され（すなわち、ボックス４０４が閉じられたとき、しるし４２０はボックス４０４の内部に面する）、受取人が折り目４１６の周りでフェースサイド４０８を旋回してボックスを開くとき、しるし４２０が読取り可能な向きで受取人に面するように配向される。しるし４２０はボックス４０４上に印刷されるものとして開示されているが、他の実施形態ではしるし４２０が（例えば、取扱説明書などとして）ボックス内に別個に含まれてもよい。
【０３６５】
図５７は、第１の、部分的に組み立てられた、折り畳まれた状態または態様の、ゴルフバッグ１０を示す。ゴルフバッグ１０は、ボックス４０４内にこの状態で出荷される。図５７において、ゴルフバッグ１０は、ボックス４０４から取り外された状態で示されており、仕切り頂部３０、ベース３４、およびステー３９（図２２に示されている）を含んでいる。平坦部１４は、仕切り頂部３０及びベース３４に取付けられている。ゴルフバッグ１０は、仕切り頂部３０およびベース３４が、それぞれステー３９の周りに旋回された状態で折り畳まれる。図示された実施形態では、仕切り頂部３０およびベース３４がそれぞれ、ステー３９の周りで互いに向かって約９０度旋回される。実施形態の他の例では、仕切り頂部３０およびベース３４はそれぞれ、ボックス４０４内での輸送のためにゴルフバッグ１０を折り畳むのに適した任意の角度で、ステー３９の周りに旋回させることができる。
【０３６６】
折り畳み式ゴルフバッグ１０に加えて、キット４００は、自己組立システム５００を含む。自己組立システム５００は、受取人によって組み立てられたゴルフバッグ１０の１つ以上の構成要素を含む。
【０３６７】
図５８を参照すると、自己組立システム５００の実施形態の第１の例が示されている。図示のシステム５００は、（図５９に示す）ばね自己組立システム５０１、および、（図６１に示し、上述した）脚自己組立システム５０２を含むことができる。図５８のシステム５００は、スタンドアセンブリ２６の一部、より具体的には脚部４０ａ、ｂおよび添付されたばね４１を含んでいる。ばね４１は、ベース係合フック５０８（図５９に示す）を有する、コネクタ５０４を含む。いくつかの実施形態では、システム５００はまた、取付けのために、受取人が脚部４０ａ、ｂを取付けブラケット３２（図６６に示される）と整列させることを補助する、位置合わせ補助具５１２を含む。システム５００はさらに、脚部４０ａ、ｂを実装ブラケット３２に回動可能に取付けるための、ロッドピンまたはピン５１６を含む。
【０３６８】
図５９〜６０は、ばね自己組立システム５０１をさらに示す。システム５０１は、ばね４１及びベース３４の自己組立を容易にする、コネクタ５０４を含む。図５９を参照すると、コネクタ５０４上のベース係合フック５０８は、ベース３４の一部を受け入れるか、さもなくばベース３４の一部に係合するように構成された、チャネルまたはフック部分（図示せず）を含む。図示の実施例では、ベース３４が、チャネル１７４（図２５に示す）と同様の、ばね受けスロット又はチャネルを画定する。チャネルは、コネクタ５０４の一部を受け入れるか、またはそれと係合する。開口または窓５２０は、ベース３４の一部、より具体的にはベース３４のばね受けスロット５１８の一部によって画定される。開口５２０の周囲の一部は、コネクタ５０４のギャップまたはスロット内に受容されるように構成された部材または交差部材５２４によって画定される。自己組み立てを容易にするために、受取人は、コネクタ５０４をばね受けスロット５１８内に位置決めする。次に、受取人は、コネクタ５０４をベース３４と係合させ、ベース係合フック５０８が部材５２４を受け入れることを可能にする。一旦受け入れられると、ベース係合フック５０８は、図６０に示される開口５２０によって受け入れられる。これは、コネクタ５０４とベース３４との間、より広くはばね４１とベース３４との間の自己組立接続を形成する。自己組立接続は、ベース３４からのコネクタ５０４の係合解除または引き抜きを可能にするために、取り外し可能であり得ることが理解されるべきである。例えば、スタンドアセンブリ２６の損傷部分（例えば、破損した脚部４０、破損したばね４１等）を交換用自己組立システム５００によって交換するために、接続部を取り外すことができる。
ＩＩＩ．カートバッグ
【０３６９】
折り畳み可能なゴルフバッグまたはサブアセンブリから組み立てられたゴルフバッグの別の実施形態は、カートバッグ１０１０として機能することができる。当技術分野で知られているカートバッグは、典型的にはバッグの重量がゴルファーによって持ち運ばれる重量よりも大きくなり得るので、キャリーバッグよりも大きい。また、カートバッグは、プレイ中にゴルフカート上に保管されるので、カートバッグは一般に、ショルダーストラップと、バッグを支えるためのスタンドアセンブリとを欠いている。カートバッグ１０１０の機能的要件は、典型的なキャリーバッグとの設計の特定の違いを促す。カートバッグ１０１０のいくつかの構成要素は、キャリーバッグ１０の対応する構成要素と同様である。例えば、カートバッグ１０１０は、上述したキャリーバッグ１０の仕切り頂部３０、ベース３４又はベースアセンブリ９００、及び平坦部１４と同様とすることができる、仕切り頂部１０３０と、ベース１０３４又はベースアセンブリ１９００と、平坦部１０１４と、を含む。カートバッグ１０１０は、仕切り頂部１０３０をベース１０３４に接続する、複数のステーをさらに備える。
【０３７０】
以下に記載されるカートバッグ１０１０は、輸送のために潰れるように、および／または迅速な組み立てを可能にするように設計される、構成要素を備える。カートバッグ１０１０のいくつかの構成要素は、組み立てプロセスを単純化しスピードアップする、スナップフィット特徴または接続を備える。スナップフィット特徴または接続は、カートバッグ１０１０がより効率的かつ人間工学的な様式で組み立てられることを可能にする。これは、生産時間を低減し、熟練した労働コストを節約する。さらに、本明細書に記載されるカートバッグ１０１０の実施形態の折り畳み可能な設計は、カートバッグ１０１０が製造現場間で容易に輸送されることを可能にする。
【０３７１】
図１１３〜図１３５は、カートバッグ１０１０の実施形態の一例を示す。カートバッグ１０１０はキャリーバッグ１０と類似しており、同様の構成要素を識別するために同様の番号が使用されている。図１１３〜１１４を参照すると、カートバッグ１０１０は、平坦部１０１４を含む。複数のポケット１０１８が、平坦部１０１４に取付けられている。ポケットは、複数のサイドポケット１０１８ａおよび複数のフロントポケット１０１８ｂを含む。他の実施形態では、平坦部１０１４は、少なくとも１つのサイドポケット１０１８ａおよび少なくとも１つのフロントポケット１０１８ｂを含むことができる。カートバッグ１０１０はまた、仕切り頂部１０３０およびベース１０３４を含む。複数のステー１０３９が、仕切り頂部１０３０からベース１０３４まで延びている。複数のステーは、第１のステー１０３９（図１１３に示す）と、第２のステー１０３９ａ（図１１４に示す）と、第３のステー１０３９ｂ（図１１４に示す）と、を含む。
【０３７２】
第１のステー１０３９は、仕切り頂部３０ｃに旋回可能に連結され、ベース１０３４に旋回可能に連結される。第２および第３のステー１０３９ａ、１０３９ｂはそれぞれ、第１の端部で仕切り頂部１０３０に結合され、第１の端部の反対側の第２の端部でベース１０３４に結合される。第１のステー１０３９は、カートバッグ１０１０が動作構成にあるときのステー１０３９の位置決めを示すために、図１１３に示されている。しかしながら、第１のステー１０３９が平坦部１０１４の内側に配置されている（すなわち、第１のステー１０３９が平坦部１０１４によって覆われている）ので、第１のステー１０３９は、ゴルフバッグ１０１０の使用者には概して見えないことを理解されたい。図１１４に示される第２および第３のステー１０３９ａ、１０３９ｂは、平坦部１０１４に結合される。より具体的には、平坦部１０１４は、複数の細長いポケット１７０４ａ、１７０４ｂ（または長手方向ポケット１７０４ａ、１７０４ｂ）を含む。各ポケット１７０４ａ、１７０４ｂは、ステー１０３９ａ、１０３９ｂのうちの１つを受け入れるように構成された、チャネルまたは通路（図示せず）を画定する。各ポケット１７０４ａ、１７０４ｂは、第１のポケット１７０４ａが第２のステー１０３９ａを受け入れ、第２のポケット１７０４ｂが第３のステー１０３９ｂを受け入れた状態で、平坦部１０１４に（例えば、縫合等によって）結合される。第１のステー１０３９は、ゴルフバッグ１０１０の裏側１０１１に配置される。第２および第３のステー１０３９ｂ、１０３９ｃは、ゴルフバッグ１０１０の腹側１０１２（または前側）の近く（または上）に配置される。より具体的には、第２および第３のステー１０３９ｂ、１０３９ｃは、腹側１０１２の側面に位置することによって腹側１０１２に近接している（図１２２に関連してさらに説明する）。他の実施形態では、第１のステー１０３９を腹側１０１２に配置することができ、第２および第３のステー１０３９、１０３９ｂを背側１０１１に配置することができる。さらに他の実施形態では、第１、第２、および第３のステー１０３９、１０３９ａ、１０３９ｂは、カートバッグ１０１０に適切な支持を提供するために、カートバッグ１０１０の任意の適切な側面（例えば、背面１０１１、腹側１０１２、または背面と腹側１０１１、１０１２の間に位置するいずれかの側面など）上に、任意の適切な間隔を置いた関係で位置付けられ得る。
【０３７３】
次に図１１５〜１１６を参照すると、サブアセンブリ１０４２が組み立てられた構成で示されている。仕切り頂部３０ｃ、ベース１０３４、および複数のステー１０３９、１０３９ａ、１０３９ｂは、集合的にサブアセンブリ１０４２を画定する。
Ａ．カートバッグ：仕切り頂部
【０３７４】
カートバッグ１０１０は、カートバッグ１０１０に構造を提供する仕切り頂部１０３０と、カートバッグ１０１０に挿入されるゴルフクラブの分離を可能にする開口と、を備えることができる。カートバッグ１０１０の仕切り頂部１０３０は、上述の特徴を含むことができる。カートバッグ１０１０の仕切り頂部１０３０は、図１１７〜図１１８に詳細に示されている。複数のハンドル１０３３ａ、１０３３ｂは、仕切り頂部３０ｃと接続されているか、または他の形で形成されている。ハンドル１０３３ａ、１０３３ｂは、仕切り頂部３０ｃの両側に配置される。仕切り頂部１０３０は、任意の数の仕切り開口１０８２を含むことができる。カートバッグ仕切り頂部３０ｃの図示の実施例では、交差部材１１４及び中間部材８０が一緒になって、全部で１５個の仕切り開口１０８２（図１２２に示す）を形成する。特に図１１５および図１１７を参照すると、仕切り開口１０８２の少なくとも１つは、パターウェル１７１６とすることができる。図示の実施形態では、パターウェル１７１６が一般に、他の仕切り開口１０８２よりも大きい。他の実施形態では、パターウェル１７１６は、他の仕切り開口１０８２に対して任意の適切なサイズとすることができる。
【０３７５】
仕切り頂部１０３０は、上述の任意の方法で平坦部１０１４に接続することができる。しかしながら、カートバッグ１０１０の図示された実施形態では、平坦部１０１４がスナップフィットコネクタを介して仕切り頂部１０３０に固定される。再び図１１７〜１１８を参照すると、外側リング７４は、複数の取付け開口１７２０を含む。取付け開口１７２０は、外側リング７４の円周（または周囲）の周りに配置される。各取付け開口１７２０は、平坦部１０１４の外側リング７４への取付け、より具体的には、平坦部１０１４の仕切り頂部３０ｃへの取付けを容易にするために、締結具またはスナップフィットコネクタを受け入れるように構成される。平坦部１０１４の仕切り頂部１０３０への取付けについては、以下でさらに詳細に説明する。
【０３７６】
仕切り頂部１０３０はまた、複数の頂部ステーハブ１７２４を含む。図１１７〜１１８に示すように、外側リング７４は、第１の頂部ステーハブ１７２４ａおよび第２の頂部ステーハブ１７２４ｂ（図１１８に示す）を含む。第１および第２の頂部ステーハブ１７２４ａ、１７２４ｂは、実質的に同じ設計を有し、外側リング７４上で離間した関係にある。図示の実施形態では第１および第２の頂部ステーハブ１７２４ａ、１７２４ｂは、仕切り頂部３０ｃの腹側１０１２の両側に配置される。しかし、他の実施形態では、第１および第２の頂部ステーハブ１７２４ａ、１７２４ｂは、外側リング７４上の任意の適切な位置（例えば、仕切り頂部３０ｃの背面１０１１の対向する側など）に配置され得る。さらに他の実施形態では、外側リング７４は、単一の頂部ステーハブ１７２４、または３つ以上の頂部ステーハブ１７２４を含むことができる。各頂部ステーハブ１７２４ａ、１７２４ｂは、ステー１０３９ａ、１０３９ｂのそれぞれの上端部（または第１の端部）を受け入れる。より具体的には第１の頂部ステーハブ１７２４ａは第２のステー１０３９ａの上端を受け入れ、第２の頂部ステーハブ１７２４ｂは第３のステー１０３９ｂの上端を受け入れる。
Ｂ．カートバッグ:ベース
【０３７７】
カートバッグ１０１０は、ベース１０３４をさらに備えることができる。ベース１０３４は、カートバッグ１０１０のための支持構造を提供し、複数のステー１０３９、１０３９ａ、１０３９ｂ、平坦部１０１４、および仕切りスリーブ１０４６のうちの１つまたは複数に接続する。カートバッグ１０１０のベース１０３４は、上述の特徴を含むことができる。カートバッグ１０１０のベース１０３４の一実施形態が、図１１９および１２０に詳細に示されている。上述の特徴に加えて、図示のベース１０３４は、複数のベースステーハブ１７３６も含む。リップ１０７２は、第１のベースステーハブ１７３６ａおよび第２のベースステーハブ１７３６ｂ（図１２０に示す）を含む。第１および第２のベースステーハブ１７３６ａ、１７３６ｂは、実質的に同じ設計を有し、リップ７２上で間隔を置いた関係にある。図示の実施形態では第１および第２のベースステーハブ１７３６ａ、１７３６ｂは、ベース１０３４の腹側１０１２の両側に配置される（図１２０参照）。しかしながら、他の実施形態では、第１および第２のベースステーハブ１７３６ａ、１７３６ｂは、リップ１０７２上の任意の適切な位置（例えば、仕切り頂部３０ｃの背面１０１１の対向する側など）に配置することができる。さらに他の実施形態では、リップ１０７２は、単一のベースステーハブ１７３６、または３つ以上のベースステーハブ１７３６を含むことができる。各ベースステーハブ１７３６ａ、１７３６ｂは、各ベースステーハブ８２６ａ、８２６ｂがステー１０３９ａ、１０３９ｂのそれぞれの下端（または第２の端部）を受け入れるときに、対応する頂部ステーハブ１７２４ａ、１７２４ｂと概ね整列（または垂直に整列）される。より具体的には第１のベースステーハブ１７３６ａが第２のステー１０３９ａの下端を受け入れ、第２のベースステーハブ１７３６ｂは第３のステー１０３９ｂの下端を受け入れる。
【０３７８】
図１１５に戻って参照すると、第１のステー１０３９は、第１のステーヒンジ１７４０（または頂部ステーヒンジ１７４０）および第２のステーヒンジ１７４４（またはベースステーヒンジ１７４４）を含む。第１および第２のステーヒンジ１７４０、１７４４は、ベースステーヒンジ１７０（図２６〜２８に示す）と同じ構造である。他の実施形態では、第１および第２のステーヒンジ１７４０、１７４４は、両方ともステーヒンジ１６２（図２３〜２４に示す）とすることができ、またはそれぞれステーヒンジ１６２またはステーヒンジ１７０のうちの１つとすることができる（例えば、第１のステーヒンジ１７４０はヒンジ１７０とすることができ、第２のステーヒンジ１７４４はヒンジ１６２とすることができる、など）。第１のステーヒンジ１７４０は、ステー１０３９の第１の端部に結合され、仕切り頂部３０ｃによって画定されたステー受容チャネル１１７４ａ（図１２１に示す）によって受容される。第２のステーヒンジ１７４４は、第１の端部とは反対側のステー１０３９の第２の端部に連結される。第２のステーヒンジ１７４４は、ベース１０３４によって画定されたステー受容チャネル１７４ｂ（図１１６および１２０に示される）によって受容される。第１のステーヒンジ１７４０は、ステー１０３９に対する仕切り頂部１０３０の傾斜（または旋回）を容易にし、一方、第２のステーヒンジ１７４４は、ステー１０３９に対するベース１０３４の傾斜（または旋回）を容易にする。ステー１０３９は、ほぼ正方形（または長方形）の断面を有する。ステー１０３９ａ、１０３９ｂは、ほぼ円形の断面を有する。他の実施形態では、各ステー１０３９、１０３９ａ、１０３９ｂは任意の適切な形状の断面（例えば、正方形、円形、長方形、六角形、八角形、三角形など）を有することができる。
【０３７９】
図示の実施形態では、ステー受容チャネル１７４ａ、１７４ｂは、それぞれの仕切り頂部１０３０またはベース１０３４の内側に配置される。一方、ステーハブ１７２４ａ、１７２４ｂ、１７３６ａ、１７３６ｂは、それぞれの仕切り頂部１０３０またはベース１０３４の外側に配置される。図１１８および図１２１に示すように、ステー受容チャネル１１７４ａは、外側リング７４の内側に配置される（図１２１参照）。一方、頂部ステーハブ１７２４ａ、１７２４ｂは、外側リング７４の反対側の外側に配置される（図１１８参照）。図１２０に示すように、ステー受容チャネル１７４ｂは、リップ７２の内側に配置される。一方、ベースステーハブ１７３６ａ、１７３６ｂは、リップ７２の反対側の外側に配置される。他の実施形態では、ステー受容チャネル１７４ａ、１７４ｂは、それぞれのリップ１０７２または外側リング７４の外側に配置することができ、ステーハブ１７２４、１７２４ｂ、１７３６ａ、１７３６ｂはそれぞれのリップ１０７２または外側リング７４の内側に配置することができる。さらに他の実施形態では、ステー受容チャネル１７４ａ、ｂおよびステーハブ１７２４ａ、１７２４ｂ、１７３６ａ、１７３６ｂは、それぞれのリップ１０７２または外側リング７４の内側に、またはそれぞれのリップ１０７２または外側リング７４の外側に配置することができる。
１．カートバッグ：ツーピーススナップ結合ベース
【０３８０】
いくつかの実施形態では、カートバッグ１０１０は、上述のスナップ結合ベースアセンブリと同様のツーピーススナップ結合ベースアセンブリ９００を備える。図９１および図９２を参照すると、カートバッグ用のベースアセンブリ９００が示されている。いくつかの実施形態では、リング部分９１０の下端９１２が複数のステーポート９４０をさらに備えるように、カートバッグ１０１０のベースアセンブリ９００が形成される。リング部分９１０は、２つ、３つ、４つ、５つ、６つ、７つ、８つ、またはそれ以上のステーポート９４０を備えることができる。図示の実施形態では、リング部分９１０は、４つのステーポート９４０を含む。複数のステーポート９４０は、複数のステーの各ステーの下端をそれぞれ受け入れる。図示の実施形態では、複数のステーポート９４０は、ベースアセンブリ９００のベースリング９１０の内側に取付けられる。いくつかの実施形態では、複数のステーポート９４０が、（図１１９および１２０のステーポート１７３６ａ、１７３６ｂと同様に）ベースアセンブリ９００のベースリング９１０の外側に取付けられる。ベース部分９２０は、ベース部分９２０がリング部分９１０と係合したときに複数のステーポート９４０を受け入れる、複数のポートハウジング９４２を含む。任意の所与の実施形態では、ベース部分の複数のポートハウジング９４２が、トップリング９１０上のステーポート９４０の数と同数であることができる。他の実施形態では、カートバッグのツーピースベースアセンブリ９００が、上述したものと同様のステー受容チャネルを有することができる。ステー収容チャネルは、リング部分９１０に一体的に接続することができる。
Ｃ．カートバッグ：ステー
【０３８１】
上述したように、カートバッグ１０１０は、複数のステーをさらに含むことができる。図示の実施形態では、カートバッグ１０１０は、第１のステー１０３９と、第２のステー１０３９ａと、第３のステー１０３９ｂとを含む。第１、第２、および第３のステー１０３９、１０３９ａ、および１０３９ｂは、仕切り頂部１０３０をベース１０３４に接続する。仕切り頂部１０３０およびベース１０３４はそれぞれ、ステー１０３９、１０３９ａ、および１０３９ｂを受け入れるためのステーハブを備える。ステーハブは、ステー１０３９、１０３９ａ、１０３９ｂを固定し、カートバッグ１０１０に剛性構造を提供する。
【０３８２】
ここで、上面図から仕切り頂部１０３０を描写する図１２２を参照すると、整列されたステーハブ１７２４ａ、１７３６ａ、および１７２４ｂ、１７３６ｂは、サブアセンブリ１０４２の腹側１０１２に近接して配置され、より具体的にはサブアセンブリ１０４２の腹側１０１２に隣接する。別の言い方をすれば、整列されたステーハブ１７２４ａ、１７３６ａは、背面１０１１よりも腹側１０１２に近い、それぞれの仕切り頂部１０３０またはベース１０３４の第１の側に配置される。整列されたステーハブ１７２４ｂ、１７３６ｂは、背面１０１１よりも腹側１０１２に近い、それぞれの仕切り頂部１０３０またはベース１０３４の第２の側に配置される。第２の側は、第１の側とは反対側である。この配置（または幾何学的形状）は、異なるゴルフカート（例えば、電動ゴルフカート、プッシュカート、プルカートなど）によって適切に受け入れられるゴルフバッグ１０１０のベース１０３４の助けとなる。例えば、図１２３は、ゴルフバッグを受け入れるように構成された電動カートライナ１７４８の一部の一例の、上面図である。図示のカートライナ１７４８は、電動ゴルフカートに使用するために製造されているが、限定的な例であることは意図されていない。カートライナ１７４８は、窪み１７５２と、第１の弓形壁１７５６と、第２の弓形壁１７６０とを画定する。弓形壁１７５６、１７６０は、窪み１７５２の対向する端部（または側面）にあり、窪み１７５２内にゴルフバッグ受容領域を部分的に画定する。図１２４に示すように、カートバッグ１０１０のベース１０３４は、窪み１７５２内に配置される。ベース１０３４は、弓形壁１７５６、１７６０の間に嵌合するように構成される。より具体的にはベースステーハブ１７３６ａ、１７３６ｂは、腹側１０１２に隣接するように配置され、したがってカートライナ１７４８に接触せず、リップ１０７２の腹側１０１２が第１の弓形壁１７５６によって受けられることを可能にする。垂直方向に整列されたステーハブ１７２４、１７３６を仕切り頂部１０３０及びベース１０３４上に配置して腹側１０１２に隣接させることにより、ステーハブ１７２４、１７３６は、カートライナ１７４８と接触しないか、さもなければ干渉しない。これにより、カートライナ１７４８内（またはゴルフカートの任意の適切なゴルフバッグ受容部分内）に、カートバッグ１０１０を適切に配置することができる。
１．カートバッグ：頂部ステーハブ
【０３８３】
カートバッグ１０１０の仕切り頂部１０３０は、カートバッグ１０１０の１つ以上のステー１０３９、１０３９ａ、１０３９ｂを受け入れるための、１つ以上の頂部ステーハブを含むことができる。図１２５および図１２６は、頂部ステーハブ１７２４、より具体的には第２の頂部ステーハブ１７２４ｂをさらに示す。頂部ステーハブ１７２４ｂは、ハウジング１７６４を含む。ハウジング１７６４は、仕切り頂部３０ｃの外側リング７４から離れて延びる（または突出する）。ハウジング１７６４は、仕切り頂部３０ｃと共に成形（または形成）することができる。他の実施形態では、ハウジング１７６４は、（例えば、接着剤、締結具などによって）仕切り頂部１０３０に結合することができる。図１２６に示されるように、ハウジング１７６４は、部分的な円周によって画定されるチャネル１７７２を備える。さらに図１２６に示すように、ハウジング１７６４は、チャネル１７７２に開口１７６８を画定する。開口部１７６８は、ハウジング１７６４によって画定されるチャネル１７７２（図１２６に示される）に通じる。チャネル１７７２は、開口部１７６８の上方でハウジング１７６４内に延びて、凹部１７７６を形成する。凹部１７７６は、関連するステー１０３９ｂを受け入れるように構成される。凹部１７７６はハウジング１７６４内に配置されているので、凹部１７７６は、段差特徴部を画定することによってステー１０３９ｂを保持するのを助ける。いくつかの実施形態では、ハウジング１７６４の開口部１７６８が、関連するステー１０３９ｂの直径に等しいか、またはそれより大きい幅を備える。関連するステー１０３９ｂの直径に等しいか、またはそれより大きい幅は、関連するステー１０３９ｃがハウジング１７６４内に容易に配置されることを可能にする。他の実施形態（図示せず）では、開口部１７６８でチャネル１７７２を画定する部分円周が、仕切り頂部３０ｃの外側リング７４に向かってさらに延在し、開口部１７６８の幅を減少させる。この例示的な実施形態では、開口部１７６８の幅が、関連するステー１０３９ｂの直径よりも小さい。開口部１７６８のより小さい幅は、関連するステー１０３９ｂがハウジング１７６４内に配置されることを可能にし、ハウジング１７６４内に配置されると、チャネル１７７２および凹部１７７６内に保持されることを可能にする。さらに他の実施形態では、凹部１７７６に加えて、ハウジング１７６４は、図１２６に示される突起１７８０（またはバンプフィーチャ）を含むことができる。突起１７８０は、ハウジング１７６４から開口１７６８に向かって延びることができる。突起１７８０は、ステー１０３９ｂとチャネル１７７２との摺動係合を容易にするために、傾斜した（または弓形の）表面を有することができる。ステー１０３９ｂがチャネル１７７２によって受け取られる（またはポジショニングされる）と、突起１７８０は、ステー１０３９ｂの幅よりも小さくなるように開口１７６８の幅を減少させる。したがって、突起１７８０は、ステー１０３９ｂを保持するのをさらに助けることができる。ハウジング１７６４はまた、外側リング７４から、外側リング７４とチャネル１７７２との間にギャップ１７８４（または平坦なチャネル１７８４）を画定する距離だけ延びる。ギャップ１７８４は、ステー１０３９ｂを仕切り頂部３０ｃの外側リング７４からオフセットされるように位置決めする。ギャップ１７８４はまた、平坦部１０１４の位置決めのための間隔を提供し、これは、以下でさらに詳細に議論される。第１の頂部ステーハブ１７２４ａは、第２の頂部ステーハブ１７２４ｂと実質的に同じである。したがって、第１の頂部ステーハブ１７２４ａは、第２の頂部ステーハブ１７２４ｂに関連して上述した特徴を組み込むことを理解されたい。
【０３８４】
図１２７は、頂部ステーハブ１７２４ｃの代替実施形態を示す。この実施形態では、頂部ステーハブ１７２４ｃが、（例えば、ファスナ、接着剤などによって）ステー１０３９ｂに結合される。頂部ステーハブ１７２４ｃは、仕切り頂部３０ｃの外側リング７４によって画定される対応する開口部１７９２と係合するように構成される、突出アセンブリ１７８８を画定する。突起アセンブリ１７８８は、開口１７９２によって受け入れられることに応答してスナップフィットを形成し、ステー１０３９ｂを仕切り頂部３０ｃに結合することができる。頂部ステーハブ１７２４ａ、１７２４ｂの一方または両方の代わりに、頂部ステーハブ１７２４ｃを使用できることを理解されたい。
２．カートバッグ：ベースステーハブ
【０３８５】
カートバッグ１０１０のベース１０３４は、カートバッグ１０１０の１つまたは複数のステー１０３９、１０３９ａ、１０３９ｂを受け入れるための、１つまたは複数のベースステーハブを備えることができる。図１２８および図１２９は、ベースステーハブ１７３６、より具体的には第１のベースステーハブ１７３６ａをさらに示す。図１２９を参照すると、ベースステーハブ１７３６ａは、ハウジング１７９６を含む。ハウジング１７９６は、ベース１０３４のリップ１０７２から離れるように延びる（または突出する）。ハウジング１７９６は、ベース１０３４と共に成形（または形成）することができる。他の実施形態では、ハウジング１７９６が、（例えば、接着剤、締結具などによって）ベース１０３４に結合され得る。ハウジング１７９６は、開口部１８００を画定する。開口部１８００は、ハウジング１７９６によって画定されるチャネル１８０４に通じる。チャネル１８０４は、凹部１８０８を形成するために、開口部１８００の下方でハウジング１７９６内に延在する。凹部１８０８は、関連するステー１０３９ａを受け入れるように構成されている。凹部１８０８はハウジング１７９６内に配置されるので、凹部１８０８は、段差特徴部を画定することによってステー１０３９ａを保持するのを助ける。ハウジング１７９６はまた、リップ１０７２とチャネル１８０４との間にギャップ１８１２（または平坦なチャネル１８１２）を画定する距離だけ、リップ１０７２から延びる。ギャップ１８１２は、ベース１０３４のリップ１０７２からオフセットされるようにステー１０３９ａを位置決めする。ギャップ１８１２はまた、平坦部１０１４の位置決めのための間隔を提供し、これは、以下でさらに詳細に議論される。第２のベースステーハブ１７３６ｂは、第１のベースステーハブ１７３６ａと実質的に同じである。したがって、第２のベースステーハブ１７３６ｂは、第１のベースステーハブ１７３６ａに関連して上述した特徴を組み込むことを理解されたい。
【０３８６】
図１３０は、サブアセンブリ１０４２に結合された仕切りスリーブ１０４６を示す。仕切りスリーブ１０４６は、仕切り頂部３０ｃから延び、ベース１０３４に結合する。より具体的には、複数の締結具（例えば、リベット、ボルトなど）が、仕切りスリーブ１０４６に連結される。各締結具は、底面１０３８のそれぞれの仕切り取付け開口１７３２（図１２２参照）によって受け入れられ、仕切りスリーブ１０４６をベース１０３４に結合する。各仕切り取付け開口１７３２は、底面１０３８への仕切りスリーブ１０４６（または仕切り１０４６）の取付け、より具体的には、ベース１０３４への仕切りスリーブ１０４６の取付けを容易にするために、締結具を受容するように構成される。仕切りスリーブ１０４６は、仕切り頂部３０に関連して上述したように、仕切り頂部３０ｃに結合することもできる。
【０３８７】
図１３１〜図１３４は、サブアセンブリ１０４２に結合されている（または他の方法で取付けられている）平坦部１０１４を示す。図１３１を参照すると、平坦部１０１４は、複数の締結具１８１６（例えば、スナップボタンなど）によって、仕切り頂部１０３０に連結される。平坦部は、複数の第１の締結具１８１６ａ（例えば、スナップボタンの雄部分など）を含む。仕切り頂部１０３０は、複数の第２の締結具１８１６ｂ（例えば、スナップボタンの雌部分など）を含む。第２の締結具１８１６ｂの各々は、（図１１７〜１１８に示す）外側リング７４の円周（または周囲）の周りに配置された取付け開口１７２０の１つによって受けられる（またはその中に配置される）。第１および第２の締結具１８１６ａ、１８１６ｂは、平坦部１０１４を仕切り頂部３０ｃに係合し、固定するように構成される。図１３２に示すように、第１及び第２の締結具１８１６ａ、１８１６ｂは、平坦部１０１４が仕切り頂部３０ｃに取付けられたときに隠される。第１の締結具１８１６ａは、カラー１８２４（例えば、ＰＥボード、ガセットなど）に連結される。カラー１８２４は、カラー１８２４が露出されない（または平坦部１０１４によって覆われない）ように、ビンディング１８２８（例えば、縫合など）によって平坦部１０１４に結合される。図１３１に戻って参照すると、平坦部１０１４はまた、平坦部１０１４の継ぎ目縁部２０３、２０４を接続する自己締結具１８２０（例えば、ジッパー等）を含む。図示の実施形態では、自己締結具１８２０はジッパーである。他の実施形態では、自己締結具１８２０は、任意の適切な締結具（例えば、単一のジッパー、２つのジッパー、フックおよびループ締結具（ＶＥＬＣＲＯ（登録商標）、関連するレール内に嵌合する舌部を有する取付けトラック、スナップ嵌合ボタンなど）であり得る。
【０３８８】
図１３３を参照すると、平坦部１０１４はまた、複数の締結具１８１６（例えば、スナップボタンなど）によってベース１０３４に連結される。平坦部は、複数の第１の締結具１８１６ａ（例えば、スナップボタンの雄部分など）を含む。一方、ベース１０３４は、複数の第２の締結具１８１６ｂ（例えば、スナップボタンの雌部分など）を含む。第２の締結具１８１６ｂの各々は、（図１１９に示す）リップ１０７２の円周（または周囲）の周りに配置された取付け開口１７２８の１つによって受けられる（またはその中に配置される）。第１および第２の締結具１８１６ａ、１８１６ｂは、平坦部１０１４をベース１０３４に係合し、固定するように構成される。図１３４に示すように、第１および第２の締結具１８１６ａ、１８１６ｂは、平坦部１０１４がベース１０３４に取付けられたときに隠される。第１の締結具１８１６ａは、カラー１８２４（例えば、ＰＥボード、ガセットなど）に連結される。カラー１８２４は、カラー１８２４が露出されない（または平坦部１０１４によって覆われない）ように、ビンディング１８２８（例えば、縫合など）によって平坦部１０１４に結合される。図１３１および図１３３に戻って参照すると、平坦部１０１４が締結具１８１６によって仕切り頂部１０３０およびベース１０３４に一旦取付けられると、自己締結具が係合され、平坦部１０１４の継ぎ目縁部２０３、２０４を接続し、平坦部１０１４をサブアセンブリ１０４２に結合することができる。平坦部１０１４は、仕切り頂部１０３０と頂部ステーハブ１７２４ａ、１７２４ｂとの間、及びベース１０３４とベースステーハブ１７３６ａ、１７３６ｂとの間に配置される。より具体的には、平坦部１０１４は、仕切り頂部１０３０と頂部ステーハブ１７２４ａ、１７２４ｂの各々との間のギャップ１７８４（または平坦チャネル１７８４）内に配置される。平坦部１０１４はまた、ベース１０３４とベースステーハブ１７３６ａ、１７３６ｂとの間のギャップ１８１２（または平坦チャネル１８１２）に配置される。関連するギャップ１７８４、１８１２内に平坦部１０１４を位置決めすることによって、ユーザは平坦部１０１４からの干渉なしに、第２および第３のステー１０３９ａ、１０３９ｂを容易に取付ける（または取り外す）ことができる。
【０３８９】
ゴルフバッグ１０１０の使用者の組み立てを容易にするために、バッグ１０１０は一般に、図１３５に示すように使用者に提供される。平坦部１０１４は、（図１３１〜１３４に示されるような）サブアセンブリ１０４２に取付けられる。しかし、第２および第３のステー１０３９ａ、１０３９ｂは除去される。これにより、仕切り頂部１０３０は第１のステー１０３９に対して旋回するとともに、ベース１０３４は第１のステー１０３９に対して旋回することができる。旋回運動を容易にし、平坦材料の摩耗を低減し、しわまたは他の望ましくない視覚的傾向を低減するために、平坦部１０１４は、平坦部１０１４が仕切り頂部１０３０およびベース１０３４に結合する領域に弾性材料１８３２を含むことができる。仕切り頂部１０３０およびベース１０３４が第１のステー１０３９に対して旋回した状態で、ゴルフバッグ１０１０は、部分的に組み立てられた折り畳まれた形態にある。折り畳まれた形態では、ボックス４４でゴルフバッグ１０１０を出荷することができる。
【０３９０】
ゴルフバッグ１０１０を組み立てるために、バッグ１０１０はボックス４４から取り外される。次いで、ユーザは、第１のステー１０３９に対して仕切り頂部１０３０を展開位置に旋回させ、第１のステー１０３９に対してベース１０３４を展開位置に旋回させることができる。展開位置を達成するために、仕切り頂部１０３０およびベース１０３４は、互いに離れるように旋回される。次に、ユーザは、第２および第３のステー１０３９ａ、１０３９ｂを挿入する。ユーザは、各ステー１０３９ａ、１０３９ｂを、（図１１４に示す）それぞれのポケット１７０４ａ、１７０４ｂに挿入することができる。次に、各ステー１０３９ａ、１０３９ｂをそれぞれのベースステーハブ１７３６に挿入する。各ステー１０３９ａ、１０３９ｂは、開口１８００を通って対応するベースステーハブ１７３６ａ、１７３６ｂに挿入され、凹部１８０８に挿入される。次に、各ステー１０３９ａ、１０３９ｂを、対応する頂部ステーハブ１７２４ａ、１７２４ｂに挿入する。各ステー１０３９ａ、１０３９ｂは、開口部１７６８を通ってチャネル１７７２内に挿入され、凹部１７７６内に配置される。各ステー１０３９ａ、１０３９ｂが上部およびベースステーハブ１７２４ａ、１７３６ａ、および１７２４ｂ、１７３６ｂの両方と係合した状態で、ゴルフバッグ１０１０は（図１１３に示す）展開形態にある。
【０３９１】
図１３６〜図１３８は、ゴルフバッグ１０１０の代替実施形態を示す。この実施形態では、ステー１０３９が、ゴルフバッグ１０１０の腹側１０１２に配置される。第２および第３のステー１０３９ａ、１０３９ｂはまた、モジュール式前方ポケットアセンブリ１８３６に連結される。ゴルフバッグ１０１０を組み立てるために、バッグ１０１０はボックス４４から取り外される。次いで、ユーザは、第１のステー１０３９に対して仕切り頂部１０３０を展開位置まで旋回させ、第１のステー１０３９に対してベース１０３４を展開位置まで旋回させることができる（図１０１に示す）。次に、ユーザは上述したように、第２および第３のステー１０３９ａ、１０３９ｂを、上部およびベースステーハブ１７２４ａ、１７３６ａ、および１７２４ｂ、１７３６ｂと係合させることによって、モジュール式前部ポケットアセンブリ１８３６をサブアセンブリ１０４２（背面１０１１上）に結合する。（図１３８に示す）展開形態では、モジュール式前方ポケットアセンブリ１８３６が、（図１３７に示す）平坦部１０１４の自己締結具１８２０を覆う。
【０３９２】
図１３９〜図１４１は、ゴルフバッグ１０１０の代替実施形態を示す。この実施形態では、ステー１０３９が、ゴルフバッグ１０１０の腹側１０１２に配置される。第２および第３のステー１０３９ａ、１０３９ｂはまた、モジュール式前部ポケットアセンブリ１８３６に連結される。さらに、第２および第３のステー１０３９ａ、１０３９ｂは、仕切り頂部１０３０に結合される（すなわち、取り外し可能ではない）。ゴルフバッグ１０１０を組み立てるために、バッグ１０１０はボックス４４から取り外される。次に、ユーザは、第１のステー１０３９に対して仕切り頂部１０３０を展開位置に旋回させ、第１のステー１０３９に対してベース１０３４を展開位置に旋回させることができる（図１４０に示す）。次いで、使用者は、少なくとも１つの（例えば、ジッパーなどの）第１の自己締結具１８２０（図１４０に示される）を閉じて、モジュール式前部ポケットアセンブリ１８３６を平坦部１０１４に締結する。使用者はまた、（例えば、フックおよびループ固定具などの）第２の自己固定具１８４０を閉じて、モジュール式前部ポケットアセンブリ１８３６をベース１０３４に連結する。その結果、バッグ１０１０が（図１４１に示される）展開形態になる。
【０３９３】
図１４２〜図１４３は、ゴルフバッグ１０１０の代替実施形態を示す。この実施形態では、ステー１０３９がゴルフバッグ１０１０の腹側１０１２に配置され、モジュール式前部ポケットアセンブリ１８３６は仕切り頂部３０ｃに連結される。ゴルフバッグ１０１０を組み立てるために、バッグ１０１０はボックス４４から取り外される。次に、ユーザは、第１のステー１０３９に対して仕切り頂部１０３０を展開位置に旋回させ、第１のステー１０３９に対してベース１０３４を展開位置に旋回させることができる（図１４３に示す）。次いで、使用者は、少なくとも１つの（例えば、ジッパーなどの）第１の自己締結具１８２０（図１４２に示される）を閉じて、モジュール式前部ポケットアセンブリ１８３６を平坦部１０１４に締結する。次に、使用者は、第２及び第３のステー１０３９ａ、１０３９ｂを、仕切り頂部３０ｃに形成された開口１８４４に挿入することができる。第２および第３のステー１０３９ａ、１０３９ｂは、それぞれがベース１０３４の対応する開口（図示せず）に係合するまで挿入される。あるいは、ユーザは、パターチューブ１８４８をパターウェル１７１６に挿入することができる。パターチューブ１８４８は、ベース１０３４の対応する開口（図示せず）に係合するまで挿入される。第２および第３のステー１０３９ａ、１０３９ｂまたはパターチューブ１８４８を挿入すると、バッグ１０１０は（図１４３に示す）展開形態になる。
【０３９４】
図１４４は、追加の特徴を示すためにサブアセンブリ１０４２から除去された平坦部１０１４の一部を有する、ゴルフバッグ１０１０の実施形態を示す。仕切り頂部１０３０および／またはベース１０３４は、サブアセンブリ１０４２上の平坦部１０１４の適切な位置合わせを補助するために、位置合わせ補助部１８５２を含むことができる。位置合わせ補助部１８５２は、サブアセンブリ１０４２に対して平坦部１０１４を整列させるのを補助するために、整列スナップボタン、成形特徴部、または任意の他の適切なガイドであり得る。平坦部１０１４はまた、平坦部１０１４を仕切り頂部１０３０及び／又はベース１０３４に結合するのを助けるための締結具１８５６を含むことができる。締結具１８５６は、締結具１８５６ａの第１の部分（例えば、フック、ループなど）が仕切り頂部１０３０および／またはベース１０３４上に配置され、締結具１８５６ｂの第２の部分（例えば、ループ、フックなど）が平坦部１０１４上に配置された、フックおよびループ締結具を含むことができる。締結具１８５６は、面ファスナテープ、ボタンスナップ、ジッパー、または任意の他の適切な締結具であり得る。平坦部１０１４はまた、第１のステー１０３９を受け入れるように構成された１つ以上のガイドポケット１８６０を含むことができる。ガイドポケット１８６０はまた、サブアセンブリ１０４２に対する平坦部１０１４の適切な位置合わせを助けることができる。
ＩＶ．サブアセンブリの製造方法
【０３９５】
本明細書に記載のゴルフバッグ１０、１０１０は、様々な方法によって製造することができる。上述したように、ゴルフバッグ１０、１０１０は、少なくともベース、仕切り頂部、仕切りスリーブ、ステー、及び平坦部を含む。各特徴の異なる実施形態を組み合わせて、ゴルフバッグ１０、１０１０の多数の変形を形成することができる。製造方法は、ゴルフバッグ１０、１０１０の異なる変形例に対して変更することができる。以下に、ゴルフバッグ１０、１０１０の製造方法の一例を説明する。
【０３９６】
１つの例示的な方法は、１０の主要なステップを含む。ステップ１では、ベース、仕切り頂部、仕切りスリーブ、ステー、脚／スタンドアセンブリ、及び平坦部が設けられる。ステップ２では、組み立てられるゴルフバッグ１０、１０１０の実施形態に必要であれば、脚部取付けブラケットが仕切り頂部に取付けられる。ステップ３では、仕切りスリーブがベースまたは平坦部に取付けられる。ステップ４では、ステーをベース及び仕切り頂部に取付ける。ステップ５では、平坦部が仕切り頂部に固定される。ステップ６では、組み立てられるゴルフバッグ１０、１０１０の実施形態に必要であれば、脚部アセンブリを、脚部取付けブラケット、仕切り頂部、および／またはベースに取付ける。ステップ７では、組み立てられるゴルフバッグ１０、１０１０の実施形態がマルチピースの仕切り頂部および／またはベースを含む場合、仕切り頂部および／またはベースの組み立てが完了する。ステップ８では、平坦部がベースに固定される。ステップ９において、ゴルフバッグは出荷のために包装される。
【０３９７】
これらのステップの順序は、特定の特徴の構成に基づいて変更することができる。さらに、ゴルフバッグ１０、１０１０は、製造プロセス中の任意の時点で、部分的に組み立てられた状態で包装され、出荷されてもよい。このプロセスは、第１および第２の製造段階に分けることができる。ここで、ゴルフバッグ１０、１０１０は、第１の段階の後および第２の段階の前の位置の間で包装され、輸送される。製造方法における前述のステップは、第１の製造段階と第２の製造段階との間で任意の組合せで分割することができる。ゴルフバッグ１０、１０１０を製造する方法のいくつかの実施形態では、完全に組み立てられたゴルフバッグ１０、１０１０とは対照的に、自己組立キットを提供するために、１つ以上のステップが修正または省略される。例えば、自己組立キット４００について上述したように、脚部アセンブリを取付けることは、製造プロセスから省略することができ、受取人によって行うことができる。以下、製造工程をより詳細に説明する。
【０３９８】
ベース３４および仕切り頂部３０を提供すること（ステップ（１））は、ベース３４、１０３４および仕切り頂部３０、１０３０を成形、形成、３次元印刷、鋳造、または他の方法で製造することを含む。ベース３４、１０３４および／または仕切り頂部３０、１０３０が複数の要素を含む実施形態では、各要素が別々に成形、形成、３次元印刷、鋳造、または他の方法で製造されなければならない。ベース３４、１０３４および／または仕切り頂部３０、１０３０がスナップコネクタまたは他の締結機構を備える実施形態では、スナップコネクタまたは他の締結機構が提供され、スナップコネクタまたは他の締結機構はベース３４、１０３４および／または仕切り頂部３０、１０３０に取付けられる。仕切り頂部３０、１０３０を設けることはまた、仕切り頂部３０、１０３０の少なくとも一部、例えば交差部材７８、１０７８を包むためのメッシュカバーを設けることを含むことができる。メッシュは面ファスナ（例えば、ＶＥＬＣＲＯ（登録商標））で仕切り頂部３０、１０３０に固定されるか、または、縫い付けられ得る。
【０３９９】
仕切りスリーブ４６、１０４６、ステー３９、１０３９、脚部システム５０２、および平坦部１４、１０１４を供給すること（ステップ（１））は、ステーのための織物、機械的ファスナ、および材料を供給することを含む。織物を縫い合わせて、仕切りスリーブ４６、１０４６を形成する。ステー３９、１０３９の本体は、成形、鋳造、３次元印刷、または他の方法で形成される。頂部およびベースステーヒンジ１６２および１７０、１７４０および１７４４もまた、成形、鋳造、３次元印刷、または他の方法で形成される。頂部ステーヒンジ１６２およびベースステーヒンジ１７０、１７４０および１７４４は、それぞれ、接着、機械的スナップ機構、または他の適切な接続手段によって、ステー３９、１０３９の上部および底部に固定される。多くの実施形態では、接着剤またはエポキシを使用して、頂部ステーヒンジ１６２およびベースステーヒンジ１７０、１７４０および１７４４をステーの本体に接着し、ステー３９、１０３９を形成する。脚部システム５０２を提供することは、２つの脚部、ばねシステム５０１、端部キャップ５２８ａ、５２８ｂ、および必要であればピン５１６を提供することを含むことができる。２つの脚部は、成形、巻き付け、層状化、鋳造、または他の方法で形成することができる。端部キャップ５２８ａ、５２８ｂは、成形、３次元印刷、鋳造、または他の方法で形成することができる。ピン５１６は成形、鋳造、押し出し、または他の方法で形成することができる。ばねシステム５０１を提供することは、成形、鋳造、または他の方法でばね−脚部ブラケット（spring-to-leg brackets）を形成し、ブラケットをばねに取付けることを含む。脚システム５０２を提供するために、ばねシステム５０１は、ばね−脚部ブラケットを介して脚に取付けられる。脚システム５０２の構成要素は、組み立てられた状態で、部分的に組み立てられた状態で、またはパッケージされた個々の部品として、提供され得る。平坦部１４は、布を所望の形状に縫い、ポケット１８を平坦部１４上に縫い、必要であればファスナを平坦部１４、１０１４上に縫い、半硬質材料を平坦部１４、１０１４の一部に縫い又は固定することによって、提供される。
【０４００】
脚部取付けブラケット３２を仕切り頂部３０に取付けるステップ（ステップ（２））は、脚部取付けブラケット３２を仕切り頂部３０にリベット留めするステップと、脚部取付けブラケット３２を仕切り頂部３０にスナップフィットするステップと、脚部取付けブラケット３２を仕切り頂部３０に接着するステップと、を含むことができる。脚部取付けブラケット３２をリベット留めするには、ブラケットを仕切り頂部３０の正しい部分と整合させる必要がある。いくつかの実施形態では、４つのリベットがブラケット３２を上部仕切り３０に保持するために挿入される。１つのリベットが脚部取付けブラケット３２の脚部アンカー１２２の両側に配置され、２つのリベットが脚部アンカー１２２の間に配置される。本方法の他の実施形態では、任意の数のリベットを使用して、ブラケット３２を仕切り頂部３０に固定することができる。ゴルフバッグ１０のいくつかの実施形態では、脚部取付けブラケット３２が仕切り頂部３０と一体に形成される。したがって、脚部取付けブラケット３２を接続するこのステップは必要ではない。
【０４０１】
仕切りスリーブ４６、１０４６を仕切り頂部３０、１０３０に取付けるステップ（ステップ（３））は、仕切りスリーブ４６、１０４６を仕切り頂部３０、１０３０に直接縫い付けるステップを含むことができる。いくつかの実施形態では、仕切りスリーブ４６、１０４６のフラップ９０は、仕切り頂部３０、１０３０の交差部材７８、１０７８上に巻き付けられ、仕切りスリーブ４６、１０４６の重なり合う織物の織物上に縫い付けられる。他の実施形態では、仕切りスリーブ４６、１０４６のフラップ９０は、同様の方法で仕切り頂部３０、１０３０の交差部材７８、１０７８上に巻き付けられる。しかしフラップ９０は、縫合による代わりに、面ファスナ（ＶＥＬＣＲＯ（登録商標）など）などの自己固定機構を介して固定される。
【０４０２】
仕切りスリーブ４６、１０４６をベース３４、１０３４に取付けるステップ（ステップ（４））は、ベース３４、１０３４のスロット６２に接続部材５０を通すステップと、接続部材５０の自己締結具５８ａ、５８ｂを固定するステップと、を含むことができる。他の実施形態では、仕切りスリーブ４６、１０４６をベース３４、１０３４に取付けることは、ベース３４、１０３４の接続部材５０を仕切りスリーブ４６、１０４６のそれぞれの接続部材５０に固定することを含むことができる。さらに他の実施形態では、ベース３４、１０３４の接続部材５０および仕切りスリーブ４６、１０４６は、仕切りスリーブ４６、１０４６をゴルフバッグ１０、１０１０内の正しい位置に保持するために、一緒にスナップ接続またはクリップ留めされる。他の実施形態では、接続部材５０が締結具を介する代わりに、縫合（縫製）を介して固定することができる。
【０４０３】
ステー３９、１０３９を、ベース３４、１０３４、ベースリング部分９１０、平坦部１４、および／または仕切り頂部３０、１０３０に取付けるステップ（ステップ（５））は、ステー３９、１０３９、頂部ヒンジ１６２、１７４０を仕切り頂部３０、１０３０に固定し、ベースステーヒンジ１７０、１７４４をベース３４、１０３４に固定するステップを含むことができる。頂部ステーヒンジ１６２、１７４０およびベースステーヒンジ１７０、１７４４は、それぞれ、仕切り頂部３０、１０３０およびベース３４、１０３４上のチャネルに接着される。他の実施形態では、頂部ステーヒンジ１６２、１７４０およびベースステーヒンジ１７０、１７４４はそれぞれ、仕切り頂部３０、１０３０およびベース３４、１０３４上のチャネルにスナップ接続され得る。リング部分およびベース部分を有する２パートベースアセンブリを有する実施形態では、ステー３９、１０３９は、ベース部分がリング部分にスナップ留めされる前にリング部分に取付けられる。
【０４０４】
平坦部１４、１０１４を仕切り頂部３０、１０３０に固定するステップ（ステップ（６））は、平坦部１４、１０１４を仕切り頂部３０、１０３０にリベット留めするステップと、平坦部１４、１０１４を仕切り頂部３０、１０３０に締結具（ＶＥＬＣＲＯ（登録商標）のようなスナップフィットコネクタまたはフック・ループファスナなど）を介して取付けるステップと、を含むか、または、リベット留めするステップおよび締結具で取付けるステップの組合せを含むことができる。いくつかの実施形態では、平坦部１４、１０１４は、仕切り頂部３０、１０３０に取付けられた脚部取付けブラケット３２のチャネルに係合する平坦部１４、１０１４上の窓などの構造的拘束部を介して、少なくとも部分的に仕切り頂部３０、１０３０に固定される。いくつかの実施形態では、平坦部１４、１０１４を仕切り頂部３０、１０３０に固定するステップ（ステップ（６））は、締結（例えば、スナップコネクタまたはクリップを介して）、縫合、または他の方法で、１つまたは複数のストラップ２４を仕切り頂部３０に固定するステップをさらに含むことができる。
【０４０５】
脚部アセンブリを取付けるステップ（ステップ（７））は、平坦部上の外部ループ内に脚部アセンブリを摺動または緩く保持するステップと、ばねアセンブリをベース内にスナップ留めまたはクリップ留めするステップと、脚端部キャップを脚部取付ブラケットの脚部アンカー内に整列させるステップと、ピンが所定の位置にロックまたはスナップ留めされるまで、脚部アンカーおよび脚端部キャップを通してピンを挿入するステップと、を含むことができる。いくつかの実施形態では、端部キャップは、脚部取付けブラケットに最初に取付けられた第１の部分と、脚部に最初に取付けられた第２の部分と、を備える多部品端部キャップである。これらの第１および第２の部分は、脚部を脚部取付けブラケットに固定するために、互いにスナップ留めまたはクリップ留めされる。これらの実施形態は、脚部がピンなしで脚部アンカーに直接スナップ留めされることを可能にする。
【０４０６】
仕切り頂部またはベースの組み立てを完成させるステップ（ステップ（８））は、複数の構成要素を有する仕切り頂部、および／または、複数の構成要素を有するベースを有する実施形態にのみ必要である。これらの実施形態では、複数の構成要素が、スナップフィット、接着、または接続されて、完全な仕切り頂部またはベースを形成する。
【０４０７】
平坦部１４をベース３４に固定するステップ（ステップ（９））は、平坦部１４をベース３４にリベット留めするステップと、平坦部１４を機械的締結具（スナップフィット接続など）を介してベース３４に取付けるステップと、を含むか、または、リベット留めするステップおよびと機械的締結具で取付けるステップとの組み合わせを含むことができる。いくつかの実施形態では、ベース３４またはベース３４の一部が、バッグ平坦部１４上に縫い付けられる。
【０４０８】
輸送のためにゴルフバッグを包装することは、ボックスを用意すること、必要であれば、エアポケットをゴルフバッグに挿入すること、ゴルフバッグまたはゴルフバッグのサブアセンブリを折り畳むこと、ゴルフバッグまたはサブアセンブリおよびすべての必要な構成要素をボックス内に配置すること、およびボックスの開口部を閉じて固定すること、を含む。エアピロー（またはポケット）を平坦部のポケットに挿入して、ゴルフバッグポケットの形状を維持することができる。例えば、磁気リム付きポケットを有する実施形態では、ゴルフバッグまたはサブアセンブリを潰すと、ポケット蓋とポケット本体との位置合わせが歪む可能性がある。エアピローをゴルフバッグポケット内に配置することにより、ポケットの元の形状及び位置合わせを維持することができる。いくつかの実施形態では、発泡体、スポンジ、紙、バブルラップ、または他の適切な包装材料を、エアピローの代わりに使用することができる。ゴルフバッグまたはサブアセンブリを折り畳むことは、ゴルフバッグまたはサブアセンブリを折り畳むこと、平らにすること、ねじること、さもなくば圧縮すること、を含むことができる。ゴルフバッグおよび／またはサブアセンブリの折り畳み可能な性質は、ゴルフバッグが完全に組み立てられ折り畳み可能ではない場合よりも、製造段階の間に、より低い容積の箱でゴルフバッグを輸送することを可能にする。低容積のボックスは、輸送コストを低減する。
Ａ．管状スナップフィット頂部カラーの製造方法
【０４０９】
図９３Ａ〜図９３Ｃを参照すると、管状スナップフィットカラー２１０を有するゴルフバッグの製造実施形態は、少なくとも、（１）カラー２１０のジッパー２２５を開き、（２）弾性部分２２２を伸ばし、バッグ平坦部２１４をカラー２１０上の所望の位置に引っ張り、（３）バッグ平坦部カラー２１０上のスナップコネクタ２２４を仕切り頂部２３０上のスナップコネクタ２３４と係合させ、（４）ジッパー２２５を閉じ、それをジッパーガレージ２２７に押し込む、というステップを必要とする。
【０４１０】
管状バッグ平坦部カラー２１０を仕切り頂部２３０の周りに嵌合させるためには、バッグ平坦部カラー２１０を伸張させるために、ジッパー２２５を開かなければならない。平坦部２１４のカラー２１０は、（弾性部分２２２が配置されている）その上縁部で主に伸張し、これにより、カラー２１０を剛性の上側仕切り２３０の周りに引き上げることができる。カラー２１０が伸びる能力はまた、組立者がバッグ平坦部２１４のカラー２１０上のスナップコネクタ２２４を、仕切り頂部２３０上のそれぞれのスナップコネクタ２３４と容易に係合させることを可能にする。カラー２１０が、スナップコネクタ２２４、２３４を介して仕切り頂部２３０に固定されると、ジッパー２２５が閉じられて、バッグ平坦部２１４が所定の位置でさらに保持され、伸びが出ないようにする。
【０４１１】
現在の製造プロセスでは、ゴルフバッグ平坦部２１４をゴルフバッグ仕切り頂部２３０にリベット留めする必要がある。このプロセスは時間がかかり、ある種の安全上の危険をもたらす可能性がある。本明細書に記載のバッグ平坦部２１４を製造し取付けるプロセスは、組み立て時間を短縮し、リベット締めに関連する安全上の危険を排除する。さらに、誤って配置されたリベットは恒久的であり、一方、スナップコネクタは、組み立てプロセスの前に正しく位置合わせされ、組み立て中に誤って配置されることができないため、製造エラーの可能性が低減される。全体として、製造プロセスのＰＰＨ（parts per hour）は、スナップフィットファスナカラー２１０および仕切り頂部２３０を実施することによって増大させることができる。
Ｂ．スナップフィットアセンブリの製造方法
【０４１２】
図４７〜５３は、ゴルフバッグ１０の一実施形態のスナップフィットアセンブリの方法を示す。図４７〜５３に示す実施形態は、カートゴルフバッグであるが、この方法は特に言及しない限り、キャリーバッグまたはスタンドバッグを組み立てるのと同じである。また、図４７〜図５３は、サブアセンブリ４２と同様であってよいサブアセンブリ５２を示すことを理解されたい。サブアセンブリ１０５２は、仕切り頂部３７と、ベース４４と、仕切りスリーブ８８と、を含む。仕切り頂部３７は、仕切り頂部３０、１０３０、３０ｂ、８３０ａ、８３０ｂと同じであってもよい。ベース４４は、ベース３４、９００と同じであってもよい。仕切りスリーブ８８は、仕切りスリーブ４６と同じであってもよい。
【０４１３】
図４７を参照すると、サブアセンブリ１０５２は、組み立てのために出荷されるときのサブアセンブリ１０５２の形態である、折り畳まれた形態で提供されている。図示の折り畳まれた形態では、仕切り頂部３７およびベース４４が仕切りスリーブ８８によって相互接続され、仕切り頂部３７およびベース４４はオフセットされ、互いにほぼ平行な向きにある。仕切り頂部３７及びベース４４の両方は、平坦部１４上のスナップフィットコネクタ１９０に接続する、複数のスナップフィットコネクタ１９４を有する。サブアセンブリ５２の他の実施形態、例えば図３に示されたスタンドゴルフバッグ１０のサブアセンブリ４２などでは、折りたたまれた形態とは、ステー３９によって接続された仕切り頂部３０とベース３４を持ち、その頂部３０とベース３４がステー３９からほぼ平行してオフセットされたものである。
【０４１４】
次に、図４８に示されるように、サブアセンブリ１０５２は展開されるか、さもなければ、展開された形態に移行される。図示された展開形態では、仕切り頂部３７がベース４４と反対方向に引かれ、仕切りスリーブ８８を展開する。展開形態では、サブアセンブリ１０５２が、平坦部１４とのスナップフィット取付けのために準備される。いくつかの構造では、１つ以上のステー３９を平坦部１４のサブアセンブリ１０５２に挿入して、ゴルフバッグ１０にさらなる剛性および支持を提供してもよい。スタンドゴルフバッグ１０のための図３に示されるサブアセンブリ４２のようなサブアセンブリ５２の他の実施形態では、サブアセンブリ４２は、仕切り頂部３０およびベース３４の両方が（図２２に示されるように）ステー３９に対してほぼ垂直または直交するように、仕切り頂部３０およびベース３４をそれぞれのステーヒンジ１６２、１７０の周りで旋回させることによって、展開位置に移行される。スタンドバッグサブアセンブリ４２は、平坦部１４のスナップフィット取付けの前に、追加の組み立てステップを有する。脚部取付けブラケット３２は、（図２および図１３〜図１５に示し、前述した）スナップフィット接続によって、仕切り頂部３０に取付けられる。ばね４１も、ベース３４（図２参照）に取付けられる。仕切りスリーブ４６は、仕切り頂部３０およびベース３４（図２〜１０参照）に取付けられる。スタンドバッグサブアセンブリ４２のための追加の組み立てステップは、例示の目的で提供され、各ステップは、開示される順序に限定されない。
【０４１５】
次に、図４９に示すように、平坦部１４を仕切り頂部３７にスナップフィット接続する。平坦部１４は、サブアセンブリ１０５２と共に所望の又は必要な向きに位置決めされる（例えば、仕切り頂部３７及びベース４４に対するストラップ２４の適切な位置決め）。平坦部１４上の複数のスナップフィットコネクタ１９０の各々は、次に、仕切り頂部３７上の複数のスナップフィットコネクタ１９４のそれぞれ１つとスナップフィット係合するように配置される。図示の実施形態では、各雄または雌スナップフィットボタン１９０が、関連する雌または雄スナップフィットボタン１９４と係合する。平坦部１４は、スナップフィットコネクタ１９０、１９４がスナップフィット係合状態に置かれると、仕切り頂部３７の外周に巻き付く。
【０４１６】
図１のスタンドゴルフバッグ１０のための図２に示すサブアセンブリ４２のようなサブアセンブリ５２のいくつかの実施形態では、脚部取付けブラケット３２の脚部アンカー１２２が、平坦部１４の開口部（図示せず）を通って延びて、脚部アンカー１２２を平坦部１４の外側に露出させるように配置される。
【０４１７】
次に、図５０〜５１に示すように、平坦部１４をベース４４にスナップフィット接続する。すなわち、平坦部１４上の複数のスナップフィットコネクタ１９０の各々を、ベース４４上の複数のスナップフィットコネクタ１９４のそれぞれ１つとスナップフィット係合するように配置する。図示の実施形態では、雄または雌スナップフィットボタン１９０の各々が、関連する雌または雄スナップフィットボタン１９４と係合する。平坦部１４は、スナップフィットコネクタ１９０、１９４がスナップフィット係合状態に置かれると、ベース４４の外周に巻き付く。
【０４１８】
平坦部１４が仕切り頂部３７及びベース４４とスナップフィット接続されると、平坦部１４の継ぎ目２０２が封止されて、スナップフィット接続が完了する。図５２に示すように、継ぎ目２０２は、継ぎ目縁部２０３、２０４に沿って接続部材２０６を閉じることによって密封される。接続部材２０６は単一の接続部材２０６として示されているが、他の実施形態では、接続部材２０６が２つのジッパー、面ファスナ（ＶＥＬＣＲＯ（登録商標））、関連するレール内に嵌合する舌部を有する取付けトラック、スナップ嵌合ボタン、または前述のような任意の他の適切なスナップ嵌合ファスナもしくは固定アセンブリであってもよい。上述のように、ポケット１８はまた、平坦部１４上の異なるポケット１８のサイズ、数、または位置のカスタム構成または再構成を可能にするために、任意の前述のスナップフィットファスナによって除去および／または調整されてもよい。図１のスタンドゴルフバッグ１０のための図２に示すサブアセンブリ４２のようなサブアセンブリ５２の他の実施例では、脚部４０が、各端部キャップ１４６と脚部取付けブラケット３２のそれぞれの脚部アンカー１２２とのスナップフィットおよび旋回接続によって、取付けられる。脚部３９が取付けられると、ばね４１はそれぞれの脚部４０ａ、ｂ（図２参照）に連結される。
【０４１９】
全てのサブアセンブリ１０５２の構成要素を取付け、平坦部１４をサブアセンブリ５２に取付け、平坦部１４の継ぎ目２０２を密封した後、ゴルフバッグ１０を組み立てる（図５３に示す）。
Ｃ．モジュール式仕切りアセンブリを有するゴルフバッグの製造方法
【０４２０】
ゴルフバッグを組み立てる従来の方法は、最初に、リベットのような複数の接続部材を介して、単一の仕切り頂部要素をバッグ平坦部に取付けることを必要とする。仕切り頂部は製造工程の初期にアセンブリに取付けられるので、仕切り頂部は、製造工程の最後に容易にカスタマイズすることができない。したがって、製品が製造される前に、様々な仕切りの実施形態の顧客の需要について予測を行わなければならない。これは、不正確な生産量、および、最終製品に関する柔軟性の欠如につながる可能性がある。
【０４２１】
ゴルフバッグ用のバッグ仕切りを、モジュール式仕切りアセンブリを共に形成する２つの構成要素に分離することによって、ゴルフバッグの製造が単純化され、顧客にカスタマイズされたデバイダを容易に供給することができる。図９４Ａ〜１００に見られるように、モジュール式仕切りアセンブリ８３０の交差部材部分８５０の様々な実施形態は、同じ成形トップリング８４０と共に使用することができる。ゴルフバッグ１０が組み立てられると、トップリング８４０がゴルフバッグ平坦部１４に取付けられる。トップリング８４０の壁はゴルフバッグ１０の本体の形状に対応し、組み立てられると、ゴルフバッグ１０の平坦部１４内に垂直に下方に延びる。次に、織物仕切りスリーブ４６を、交差部材部分８５０に取付ける。織物仕切りはトップリング８４０に通され、交差部材部分８５０はトップリング８４０に挿入され、固定される。いくつかの実施形態では、交差部材部分８５０は、トップリング８４０にスナップフィットされる。他の実施形態では、交差部材部分８５０は、接着剤またはエポキシなどの接着剤を使用してトップリング８４０に接着される。最後に、仕切りスリーブ４６の下端が、ゴルフバッグ１０のベースに固定される。交差部材部分８５０のトップリング８４０への挿入は、ゴルフバッグのこの実施形態の最後の組み立てステップの１つであるため、顧客に唯一の仕切りを提供するプロセスは、ゴルフバッグ製造プロセスに容易に組み込まれる。
Ｄ．ツーピースベースアセンブリを有するゴルフバッグの製造方法
【０４２２】
ツーピースベースアセンブリ９００を有するゴルフバッグ１０、１０１０の製造は、少なくとも、第１および第２の製造段階を必要とする。第１段階は、バッグ平坦部、１つ以上のステー３９、仕切り頂部３０、仕切りスリーブ４６、ベースアセンブリ９００、およびゴルフバッグ１０、１０１０のための任意の他の必要な構成要素を提供することを含む。第１段階の一部の間、バッグ平坦部は、リング部分９１０の上端９１１と係合する。ベースアセンブリ９００は、リング部分９１０の底部の開口部を介して、平坦部の内部へのアクセスを提供する。これは、ゴルフバッグ１０、１０１０の上部を通って入ることによって１つ以上のステーをベースに連結することとは対照的に、１つ以上のステーの容易な挿入を可能にする。リング部分９１０は、縫合、ピン、ボタン、クランプ、ジッパー、または任意の他の適切な機構を介して、平坦部１４に連結され得る。仕切りスリーブ４６は、仕切り頂部３０、１０３０及びベース９２０に接続されている。この段階でのベースアセンブリ９００の開放構成は、仕切りスリーブ４６およびベース部分９２０の両方への容易なアクセスを可能にする。これは、製造をスピードアップし、そして単純化する。ツーピースベースアセンブリを有しないゴルフバッグでは、仕切りスリーブ４６をベース３４、１０３４に取付けるには、ゴルフバッグ１０、１０１０の頂部を貫通して到達する必要があり、これは扱いにくく、遅い。ベースアセンブリ９００のベース部分９２０は、第１段階の終わりに、ベースアセンブリ９００のリング部分９１０から切り離される。
【０４２３】
第２の製造段階は部分的に、１つまたは複数のステー３９をリング部分９１０に接続するステップと、ベース部分９２０をリング部分９１０に取付けるステップと、を含む。ベースアセンブリ９００を組み立てるために、ベース部分９２０のスロット９７３は、リング部分９１０のスナップタブ９３０と整列される。次いで、ベース部分９２０は、リング部分９１０内に押し上げられる。リング部分９１０の下端９１２は、ベース部分９２０の垂直リップ９７２の内側（またはいくつかの実施形態ではその隣）に嵌合する。スロット９７３は、リング部分９１０のスナップタブ９３０の突出面９３２を受け入れる。
【０４２４】
図９１および図９２に示すようなカートバッグの実施形態では、ベース部分９２０がリング部分９１０に取付けられると、リング部分９１０の複数のステーポート９４０がベース部分９２０の複数のポートハウジング９４２の内側に嵌合する。組み立てられた位置にあるベースアセンブリ９００が、図２に示されている。ツーピースベースアセンブリ９００は、ワンピースベース３４、１０３４を有するシステムと比較して、ゴルフバッグ１０、１０１０のより効率的な組み立てを可能にする。
Ｖ．組立方法
Ａ．サブアセンブリ方法
【０４２５】
以下に示すのは、サブアセンブリ４２（仕切り頂部３０、仕切りスリーブ４６、およびベース３４を含む）を含むゴルフバッグを組み立てる方法である。サブアセンブリ４２を組み立てる方法は、ベース３４を設けること、複数の接続部材５０によって仕切りスリーブ４６をベース３４に結合すること、を含む。仕切りスリーブ４６に接続された複数の接続部材５０は、ベース３４のそれぞれのスロット６２に受け入れられる。接続部材５０の各々は、ベース３４の一部分の周りを包み、接続部材５０の第１の部分６６を接続部材５０の第２の部分７０に接続することによって、自己締結係合を形成する。次に、仕切りスリーブ４６は、接続部材５０とは反対側の仕切りスリーブ４６の端部で、仕切り頂部３０に結合される。仕切りスリーブ４６は、仕切り頂部３０の一部の周りを包むとともに、第１の自己締結部分９８を第２の自己締結部分１０２に接続することによって自己締結係合を形成する、複数のフラップ９０を含む。
【０４２６】
組立工程はさらに、スタンドアセンブリ２６を組立てることを含む。スタンドアセンブリ２６は、脚部取付けブラケットと、２つの脚部と、ばねと、脚部とばねとを接続するブラケットと、ヒンジまたはピンなどの任意の他の必要な接続部材と、を備える。第１および第２のばね部材４１ａ、４１ｂは、ブラケット６００などのブラケットを介して第１および第２の脚部４０ａ、４０ｂに結合される。脚部４０ａ、４０ｂは、各ブラケット６００のそれぞれの脚部受容チャネル６０４を通して挿入される。脚部は、接着剤、圧入メカニズム、任意の他の好適な固定手段によって、脚部受容チャネル６０４内に固定することができる。次に、各ばね部材４１ａ、４１ｂの一部が、各ブラケット６００の各ばね受容チャネル６０８を通って挿入される。いくつかの実施形態では、ばね部材４１ａ、４１ｂは、ばね部材４１ａ、４１ｂの横方向の伸張に対するばねの機械的抵抗によって、部分的にばね受容チャネル６０８内に保持される。例えば、ばね部材４１ａ、４１ｂは、図３及び図７に示すように、ばね部材４１ａ、４１ｂの端部がばね受容チャネル６０８を通って内側方向に挿入されるように引き伸ばされる。いくつかの実施形態では、各ばね部材が各ばね受容チャネル６０８を通って挿入された後、ゴム栓（図示せず）が各ばね部材４１ａ、４１ｂの端部に接着される。
【０４２７】
スタンドアセンブリ２６は、上述の脚部ブラケットおよび／または脚部接続システムのいずれかを用いて、製造することができる。例えば、スタンドアセンブリ２６は、ピン５１６を介して脚部取付けブラケット３２に接続する脚部４０ａ、４０ｂを有する、脚部自己組立システム５０２として設けることができる。脚部４１ａ、４１ｂが脚部取付けブラケットに接続されると、スタンドアセンブリ２６が完成する。
【０４２８】
サブアセンブリ４２およびスタンドアセンブリ２６の完成後、ステーが組み立てられる。ステー３９は、その主軸に頂部ステーヒンジ１６２及びベースステーヒンジ１７０を設けて連結することにより組み立てられる。ステーシャフトの上端は頂部ステーヒンジ１６２の第２のアーム１６４に挿入され、ステーシャフトは頂部ステーヒンジ１６２に接着される。ステーシャフトの下端はベースステーヒンジ１７０の第２のアーム１７２に挿入され、ステーシャフトはベースステーヒンジ１７０に接着される。
【０４２９】
サブアセンブリ４２およびスタンドアセンブリ２６が製造されると、ゴルフバッグ１０は、サブアセンブリ４２を利用して製造または組み立てられ得る。サブアセンブリ４２は、ベース３４が最初に挿入されるように、管状平坦部１４内に挿入される。一旦挿入されると、サブアセンブリ４２のベース３４は、ベース３４の周囲の周りのリベットによって平坦部１４に固定される。ステー３９は、平坦部１４のスリット（図では示されていない）を通して挿入される。ステー３９は、第１の端部で仕切り頂部３０へ挿入され、第２の反対の端部でベース３４に挿入される。ステー３９は、仕切り頂部３０及びベース３４に設けられたそれぞれのステー受け入れスロットに、受け入れることができる。次に、サブアセンブリ４２の仕切り頂部３０は、仕切り頂部３０の周囲にリベット留めすることによって平坦部１４に固定される。仕切り頂部３０は、ステー３９を挿入する前に平坦部１４に固定することができるが、バッグに剛性を与え、仕切り頂部３０と平坦部１４との整合を助けるために、ステー３９を最初に挿入することが好ましい。次に、スタンドアセンブリ２６が、平坦部１４の一部に挿入される。脚部４０ａ、ｂ（脚部取付けブラケット３２としても知られている）のためのピボットを含むスタンドアセンブリ２６の一部は、例えばリベット又は他の適切な接続部材によって、仕切り頂部３０に結合される。ステー３９は、ベースステーヒンジ１７０の第１のアーム１７１をベース３４のチャネル１７４に挿入してベースステーヒンジ１７０を受け入れることによって、ベース３４に接続される。完成したゴルフバッグでは、ステーヒンジ１７０の付勢部分１７３がゴルフバッグの中心に向かって開いて、ステー３９がベース−ステー接続部とは反対側のバッグの側に位置するスタンドアセンブリ２６に向かって曲がることを可能にする。最後に、各脚部４０ａ、ｂに接続されたばね４１は、例えば、ベース３４のばね受けスロットに挿入されることによって、ベース３４に接続される。
【０４３０】
サブアセンブリ４２、平坦部１４、およびスタンドアセンブリ２６は、空間効率のよい輸送のために折り畳むことができる。これにより、アセンブリプロセスのこの実施形態は、２つの異なる場所で、かつ２つの段階で、費用効果的に実行されることが可能になる：（１）第１の場所で、サブアセンブリ４２、平坦部１４、およびスタンドアセンブリ２６を提供すること、および（２）第２の場所で、サブアセンブリ４２、平坦部１４、およびスタンドアセンブリ２６を接続すること。
Ｂ．仕切り頂部組立方法
【０４３１】
サブアセンブリが仕切り頂部及び仕切りスリーブのみを含むことを除いて、上記の方法と同様のゴルフバッグを組み立てる方法を以下に提示する。最初に、サブアセンブリが形成され、ベースが平坦部に接続され、ステーが設けられ、スタンドアセンブリが設けられる。サブアセンブリの仕切りスリーブは、自己締結接続部材または縫合接続部材を介して、仕切り頂部に接続される。サブアセンブリの仕切りスリーブは、仕切りスリーブの下端に縫い付けられた弾性部材をさらに備える。次に、ベースを平坦部にリベット留めまたは縫い付ける。ステーおよびスタンドアセンブリは、上述の例のステーおよびスタンドアセンブリと同様に設けられる。
【０４３２】
これらのステップの後、サブアセンブリ、平坦部およびベース、ならびにスタンドアセンブリは、折り畳まれた構成で第２の場所に出荷され得る。第２の場所では、（１）サブアセンブリが平坦部に挿入されて接続され、（２）ステーが仕切り頂部及びベースに接続され、（３）スタンドアセンブリがバッグに取付けられる。
【０４３３】
サブアセンブリ４２は、仕切りスリーブ４６を最初にして、平坦部１４内に下方に挿入される。サブアセンブリ４２がベース３０および平坦部１４に接続されると、仕切りスリーブ４６の弾性部材が、平坦部１４の底端部に隣接するバッグ平坦部１４の部分に縫い付けられる。弾力ストラップは、スリーブ４６の材料がゴルフバッグ１０の下部に伸びることなく、平坦部１４の下部にスリーブを固定することができる。展開された形態の脚でバッグが置かれたときに、スリーブがまとまることができる。弾性ストラップを介してバッグ平坦部１４に仕切りスリーブ４６を縫い付けることによって、ベース３０のスロットを通して締結具（または弾性バンド）を挿入するステップが排除される。
【０４３４】
１つ以上のショルダーストラップ２４を有する実施形態では、１つ以上のストラップ２４が平坦部１４の開口部に通され、サブアセンブリ４２にクリップ留めまたは縫い付けされる。平坦部１４は、仕切り頂部３０の縁部を越えて下方へ伸びている自己締結部材によって、サブアセンブリ４２の仕切り頂部３０に接続される。次に、ステー３９を平坦部１４に挿入する。ステー３９の頂部ステーヒンジ１６２は、仕切り頂部３０に接着又はスナップフィットされる。ベースステーヒンジ１７０は、ベース３４に接着またはスナップフィットされる。
【０４３５】
スタンドアセンブリ４２は、スタンドアセンブリ４２の脚部ブラケット３２によって仕切り頂部３０でゴルフバッグ１０に連結され、スタンドアセンブリのばね４１によってベース３４に連結される。スタンドアセンブリ４２の脚部ブラケット３２は、仕切り頂部３０にリベット止めされている。いくつかの実施形態では、平坦部１４の材料が、脚部ブラケット３２と仕切り頂部３０との間に挿入される。脚部ブラケット３２が仕切り頂部３０にリベット止めされた後、ばね４１の下端のフック状コネクタ５０８が、ベース３４にスナップフィットされるかクリップ止めされる。最後に、組み立てられたバッグ１０は、上述したように包装されて出荷される。
Ｃ．接触点での組み立て
【０４３６】
以下に、２つの製造段階を含むゴルフバッグを組み立てる方法を提示する。第１段階は、仕切り頂部３０と、仕切りスリーブ４６と、脚部取付けブラケット３２ａと、を有するサブアセンブリ４２を提供することを部分的に含む。サブアセンブリ４２を製造することは、（１）仕切り頂部を提供すること、（２）縫製または自己締結接続部材を使用することによって、仕切りスリーブ４６を仕切り頂部に結合すること、および（３）脚部取付けブラケットを仕切り頂部にリベット留めすること、を含む。第１段階の間、バッグ平坦部、スタンドアセンブリ、ステー、及び、リング部分９１０及びベース部分９２０を有するツーピーススナップ結合ベース９００が、上述のように製造される。バッグ平坦部は、リング部分９１０の上端９１１と係合された。ベースアセンブリ９００は、リング部分９１０の底部の開口部を介して、平坦部の内部へのアクセスを提供する。リング部分９１０は、縫合、ピン、ボタン、クランプ、ジッパー、または任意の他の適切な機構を介して、平坦部に連結され得る。仕切りスリーブは、頂部カラー及びベース９２０に接続される。この段階でのベースアセンブリ９００の開放構成は、仕切りスリーブおよびベース部分９２０の両方への容易なアクセスを可能にし、これは、製造をスピードアップし、単純化する。ツーピースベースアセンブリを有さないゴルフバッグでは、仕切りスリーブをベースに取付けるにはゴルフバッグの頂部を通って到達する必要があり、これは扱いにくく、遅い。ベースアセンブリ９００のベース部分９２０は、第１段階の終わりにベースアセンブリ９００のリング部分９１０から切り離される。
【０４３７】
スタンドアセンブリを提供するには、第１および第２のばね部材、２つの脚部、２つの脚部端部キャップ、２つのピン、２つの脚部受けブラケット、および任意選択で位置合わせ補助具を有するばね、を提供することが必要である。第１の製造段階では、２つの脚部が脚部受けブラケットに挿入され、ばねの第１および第２のばね部材がそれぞれのブラケットに取付けられる。脚端部キャップは、脚の頂部に圧入または接着される。位置合わせ補助を有する実施形態では、位置合わせ補助が脚部を一時的に離して保持するために、脚部の上部セクションの間に配置される。ピンはスタンドアセンブリパッケージの一部として提供されるが、この段階では切り離されたままである。また、第１の製造段階の間、ベースのリング部分は、バッグ平坦部に縫い付けられるか、または他の方法で固定される。第１の製造段階の終わりに、仕切りスリーブ４６、仕切り頂部、および脚部取付けブラケットは、サブアセンブリを形成し、ベースのリング部分はバッグ平坦部と一体化される。
【０４３８】
第２の製造または組立段階の開始時に、サブアセンブリは、スリーブ端部が最初にバッグ平坦部内に挿入される。ショルダーストラップを有する実施形態では、ショルダーストラップが平坦部の開口に通され、スナップコネクタなどの締結具を介してサブアセンブリに取付けられる。次に、スナップファスナまたはクリップを有する仕切りスリーブ接続部材が対応する接続部材に固定される。これらの接続部材は、平坦部の底部でベースのリング部分の近くに取付けられる。スタンドアセンブリのばねは、平坦部のループを通して挿入され、ベースリングの内壁上の受容チャネルにスナップ留めされる。自己組立用に設計された幾つかの実施形態では、スタンドアセンブリのばねは、平坦部のループを通って挿入されるが、受容チャネル内にスナップフィットされない。バッグを容積効率のよい折り畳み形態で、消費者に輸送することができる。脚部端部キャップは脚部取付けブラケットと整列され、スタンドアセンブリのピンは脚部取付けブラケット及び脚部端部キャップを通して挿入されて、脚部をゴルフバッグのサブアセンブリに回転可能に接続する。ピンは、容易な組み立てのために、所定の位置にスナップフィットされる。上述のように、自己組立式の実施形態では、脚部を整列させてピンを介して脚部を取付けブラケットに接続するステップは、第２の製造段階から排除され、消費者が製品を受け取ったときに行うために残される。
【０４３９】
平坦部の上端は自己締結接続部材を含む。第２の製造段階は、仕切り頂部の縁部上にこれらの接続部材を巻き付けることをさらに含む。このプロセスは、平坦部を仕切り頂部に固定する。次に、ステーは平坦部１４に挿入され、そこで第１の端部で仕切り頂部３０にスナップフィットされ、第２の反対側の端部でベース３４にスナップフィットされる。ステー３９を仕切り頂部３０及びベース３４に接続することは、上述のサブアセンブリ方法について説明したのと同様に行われる。最後に、ベースのベース部分をリング部分にスナップ留めして、バッグを完成させる。製造プロセスの終わりまでベース上にスナップ留めすることを待つことは、プロセスの大部分の間、管状平坦部の内側への容易なアクセスを提供する。これは、組み立ての速度及び容易さを増加させることができる。例えば、ベースリングの開口により、組立者はステーをベースリングに挿入するために、ステーの下端に迅速に到達することができる。
【０４４０】
上述のように、この例示的な製造プロセスは、自己組立ゴルフバッグを製造するように修正することができる。自己組立ゴルフバッグは輸送コストを低減するために、折り畳まれた形態で消費者に輸送される。ゴルフバッグを完成させるためにスタンドアセンブリをゴルフバッグにどのように取付けるかについて、消費者に指示するための説明書が含まれる。
Ｄ．モジュール式仕切り頂部アセンブリ
【０４４１】
ゴルフバッグを組み立てる方法の一実施形態は、ゴルフバッグがいくつかの構造上の相違点を有することを除いて、上記の接触点での組み立て方法と同様である：（１）仕切り頂部は、トップリング８４０および交差部材部分８５０を有する、モジュール式仕切りアセンブリ８３０を含む。（２）仕切り頂部および脚部取付けブラケットは一体成形される。これらの構造上の相違は、組み立て方法を変化させる。
【０４４２】
ゴルフバッグを組み立てる方法は、２つの製造段階を含む。第１の段階は、サブアセンブリを提供することを部分的に含む。サブアセンブリを製造することは、（１）一体型脚部取付けブラケットを含むモジュール式仕切りアセンブリ８３０のトップリング８４０を成形すること、（２）交差部材部分８５０を別個に成形すること、および（３）仕切りスリーブ４６をモジュール式仕切りアセンブリ８３０のトップリング８４０に結合すること、を含む。脚部取付けブラケットを仕切りアセンブリ８３０のトップリング８４０と一体成形することにより、脚部取付けブラケットをトップリング８４０にリベット留めする製造工程が省かれ、製造時間が短縮される。また、トップリング８４０と脚部取付けブラケットとを１つの材料から一体成形することにより、成形部品全体を軽量材料から形成することができる。第１の段階は、バッグ平坦部、ステー、リング部分９１０およびベース部分９２０を備えるツーピーススのスナップ結合ベースアセンブリ９００、および、スタンドアセンブリを提供することをさらに含む。バッグ平坦部は、上述の接触点での組み立て方法と同様の方法で、リング部分９１０に取付けられる。スタンドアセンブリは、上述した接触点での組立方法と同様の方法で構成される。
【０４４３】
第２の製造段階は、上述の接触点での組み立て方法の第２の製造段階と同様である。さらに、第２の製造段階の終わりに、モジュール式頂部アセンブリ８３０の交差部材部分８５０は、モジュール式頂部アセンブリ８３０のトップリング８４０に挿入される。この例示的な方法のいくつかの実施形態では、プロセスの最終ステップは、交差部材部分８５０の上に交差部材カバー８７８を配置することを含む。
Ｅ．一体成形された脚部取付けブラケット
【０４４４】
以下に説明するのは、ゴルフバッグの別の組み立て方法である。これは脚部取付けブラケットが仕切り頂部と一体成形されていることを除いて、この方法の接触点の実施形態における組み立てと同様である。脚部取付けブラケットと仕切り頂部とを一体成形することにより、脚部取付けブラケットにリベット留めするステップがなくなり、時間が短縮され、組立てに必要な工具が減少する。
Ｆ．ゴルフバッグキットからの自己組立方法
【０４４５】
図７６は、自己組立システム５００によるゴルフバッグ７００の自己組立方法の一例を示す。この方法は、受取人によって実行される一連の組立てステップを含む。これらのステップは、流れ図形式で示されている。方法ステップは一例として提供され、方法７００は開示されたステップのすべてよりも少ないステップを含むことができることを理解されたい。方法７００は、ステップ７０２で始まり、ここで、受取人は、自己組立キット４００を受け取る。自己組立キット４００は、折り畳み式ゴルフバッグ１０および自己組立システム５００を含む。自己組立キット４００は、ボックス４０４によって受取人に送達することができる。
【０４４６】
次に、ステップ７０４において、受取人は、（折り畳まれた形態の）ゴルフバッグ１０、および、自己組立システム５００を、自己組立キット４００から取り外す。例えば、受取人は、ゴルフバッグ１０をボックス４０４から取り出す。受取人はまた、しるし４２０（または組み立てるための説明書）を、読み取り可能な向きに向けることができる。
【０４４７】
ステップ７０６において、受取人は、仕切り頂部３０をステー３９の周りに（頂部ステーヒンジ１６２によって）旋回させ、ベース３４をステー３９の周りに（ベースステーヒンジ１７０によって）旋回させる。これにより、ゴルフバッグ１０は、折り畳まれた状態から展開された状態に変換される。
【０４４８】
ステップ７０８において、受取人は、ばね自己組立システム５０１をゴルフバッグ１０に組み付ける。より具体的には、受取人は、（例えば、ベース係合フック５０８を開口部５２０内に配置し、同時に、フック５０８によって画定されるチャネルが部材５２４を受容することによって、）バネコネクタ５０４をベース３４に接続する。
【０４４９】
次に、ステップ７１０において、受取人は、脚部自己組立システム５０２をゴルフバッグ１０に組み付ける。
【０４５０】
例えば、図６１〜図６６に示される実施形態では、受取人が各ピン５１６をそれぞれの端部キャップ５２８ａ、ｂ（または位置合わせ補助具５１２ａ）から取り外す。次いで受取人は、各端部キャップ５２８ａ、５２８ｂを、取付けブラケット３２のそれぞれの取付けチャネル５５２ａ、５５２ｂと整列させる。この整列は、位置合わせ補助具５１２、５１２ａによって容易にされる（または合理化される）。一旦整列されると、受取人は各ピン５１６を、チャネル５５２ａ、ｂの側面上の対向する開口（図示せず）を通して挿入し、ピン開口５３２を、端部キャップ５２８ａ、ｂを通して挿入する。その後、受取人は脚部４０ａ、ｂから、位置合わせ補助具ａ、５１２ａを除去する。
【０４５１】
あるいは、図６８〜図７２に示される実施形態では、受取人が（各脚部４０ａ、ｂに取付けられた）多部品端部キャップ５６４の第２の部品５７２を、（それぞれの取付けチャネル５５２ａ、ｂにおいて取付けブラケット３２に取付けられた）それぞれの第１の部品５６８に接続する。第１および第２の部品５６８、５７２は、脚部４０ａ、ｂを取付けブラケット３２に接続するために、スナップフィットアセンブリ５８４によって互いにスナップフィットされる。
【０４５２】
ステップ７１２では、受取人は、脚部４０ａ、ｂをばね４１で拘束するために、ばね４１の一部の周りにストラップ５５６をバックル留めする。ステップ７１４では、プロセスが完了し、受取人はゴルフバッグ１０を組み立て完了する。
【０４５３】
折り畳み可能なゴルフバッグ１０を製造する方法は、ベース３４が最初に入るようにサブアセンブリ４２を平坦部１４に挿入することを含む。挿入されると、サブアセンブリ４２は平坦部１４に固定される。ステー３９は、平坦部１４のスリット（図では示されていない）を通して挿入される。ステー３９は、第１の端部で仕切り頂部３０に挿入され、第２の反対の端部でベース３４に挿入される。次いで、仕切り頂部３０及びベース３４は、ステー３９の周りで折り畳まれた形態に旋回される。次に、この折り畳まれた形態のゴルフバッグ１０は、使用者の自己組立のために、スタンドアセンブリ２６の一部と共に、出荷ボックス４０４内に配置される。自己組立のための説明書は出荷箱に含まれ、より具体的には出荷箱に印刷される。
【０４５４】
本明細書に開示されたスナップフィット構成要素を組み込んだゴルフバッグ１０は、当技術分野で知られているゴルフバッグを上回る利点を提供する。その中でも、スナップフィット部品を利用することにより、製造業者は、ゴルフバッグ組立のためのより少ない機械および装置のオーバーヘッドを提供する。さらに、スナップフィット構成要素の出荷容積は約３０％〜５０％低減され、出荷中のパッケージ容積のより効率的な使用を提供し、過大サイズまたはかさばる構成要素による過剰な出荷コストを制限する。さらに、スナップフィット構成要素は、製造業者によって組立施設で組み立てることができ、あるいは、構成要素は組立てのためにエンドユーザに直接出荷することができる。さらに、スナップフィット構成要素は、交換可能な部品を提供し、摩耗した構成要素の交換、および、製造業者またはエンドユーザによるカスタマイズを可能にする。
【０４５５】
折り畳み式ゴルフバッグ１０および自己組立システム５００を組み込んだゴルフバッグ自己組立キット４００は、当技術分野で知られているゴルフバッグに勝る利点を提供する。その中でも、折り畳み可能なゴルフバッグは、予め組み立てられたゴルフバッグよりも、出荷箱のサイズが小さい。これは、輸送コスト、特に箱のサイズまたは容積に基づく輸送コストの低減につながる。さらに、出荷ボックスを製造するために使用される材料が少なくなり、製造コストが低減される。さらに、ゴルフバッグの組み立てを受取人に移すことによって、製造業者は、これらの追加の組み立てコストを被らない。折り畳み可能なゴルフバッグおよび自己組立システムは、明確な組立説明書、および容易に整列され組立てられる構成要素に基づいて、受取人による容易な組立てを提供する。これらおよび他の利点は、本明細書に開示されるゴルフバッグ、ゴルフバッグ自己組立キット、およびゴルフバッグ自己組立システムの１つ以上の実施形態から実現され得る。
ＶＩ．出荷
【０４５６】
サブアセンブリ４２、１０４２は、１つの製造現場で組み立てられ、別の製造現場に出荷され得る。サブアセンブリ４２、１０４２は代替的に、自己組立キットとして他の必要な構成要素と共に受取人に出荷することができる。典型的にはサブアセンブリ４２、１０４２は折り畳み可能であり、完全に組み立てられた輸送の必要性を取り除く。これは、組み立てられていない部品の「嵩」の減少のために、輸送に必要とされる箱の体積を減少させる。
【０４５７】
サブアセンブリおよびゴルフバッグの完成に必要な他の任意の構成要素を輸送するのに必要な容積は、完全に組み立てられたゴルフバッグを輸送するのに必要な容積よりも著しく小さい。展開または作動ゴルフバッグ１０、１０１０と同じサイズを有する従来技術のゴルフバッグは、約４６００〜４７００立方インチ（７５，３８０ｃｃ〜７７，０１９ｃｃ）の容積を有する箱の中で輸送される。折り畳まれた形態では、ゴルフバッグ１０、１０１０は、約２５００〜３５００立方インチ（４０，９６８ｃｃ〜５７，３５５ｃｃ）の体積を有する箱の中で輸送される。折り畳み可能なゴルフバッグ１０、１０１０を輸送するために必要とされる体積は、上記のサブアセンブリの特徴なしにゴルフバッグを輸送するために必要とされる体積の、４０％〜５０％、５０％〜６０％、６０％〜７０％、７０％〜８０％の間であり得る。１つの比較研究において、非サブアセンブリゴルフバッグは、４６５５立方インチ（７６，２２９ｃｃ）の体積を有する箱の中で輸送される。ゴルフバッグ１０、１０１０は、３０８５立方インチ（５０，６３５ｃｃ）の容積を有する箱の中で出荷される。この研究では、サブアセンブリを有する折り畳み式ゴルフバッグ１０は、非サブアセンブリゴルフバッグに必要な出荷体積の６６％である出荷体積を必要とした。
【０４５８】
輸送体積の減少は、折り畳まれたゴルフバッグ１０、１０１０について、１０％〜５０％の輸送コストの減少をもたらすことができる。例えば、出荷コストを１０％〜２０％、２０％〜３０％、３０％〜４０％、または４０％〜５０％削減することができる。一例では、キャリーバッグ１０の自己組立システムは、同じサイズの完全に組立てられたキャリーバッグ１０を出荷するコストよりも２０％〜３０％低いコストで、受取人に出荷することができる。１つの比較研究によれば、キャリーバッグ自己組立システムは、完全に組立てられたキャリーバッグ１０を出荷するコストよりも、２５％低いコストで受取人に出荷することができる。
【０４５９】
供給会社はまた、折り畳み式ゴルフバッグ１０、１０１０の構成要素および／またはサブアセンブリ４２、１０４２を別々の箱に入れて出荷し、第１および第２の製造現場の両方での効率的な組立ラインプロセスを容易にすることができる。部品および／またはサブアセンブリ４２、１０４２の出荷量は、部品が出荷のためにどのように梱包されるかにかかわらず、同様のパーセンテージだけ減少する。最終組立工程が第２の製造現場で完了する方法は、関税も回避する。
【０４６０】
折り畳み可能なサブアセンブリ４２、１０４２の設計の多くの利点の１つは、第１の現場と第２の現場との間で組み立てられていない構成要素を出荷するコストと同様の出荷コストを維持しながら、組み立てプロセスの大部分を第１の製造現場で完了することができる点である。展開されたゴルフバッグ上の折り畳み式サブアセンブリ４２、１０４２のパッケージ容積の減少は、また、製造現場で必要な保管スペースを減少させる。在庫を確保するために必要な保管スペースを削減することは、供給会社の間接費を削減する。
ＶＩＩ．時間とコストの便益
【０４６１】
スナップフィットゴルフバッグ１０、１０１０は、製造を単純化し、これは、製造時間および手作業コストを低減する。スナップフィットゴルフバッグ１０、１０１０は、リベット締め、構成要素を一緒に縫い合わせること、および／または工具および機器の必要性を低減する。スナップフィット接続を介して、ゴルフバッグ１０、１０１０で時間の節約が設計される。上述のスナップフィット接続により、組立者は製造工程をより効率的かつ迅速に完了することができ、これにより、パーツ・パー・アワー（ＰＰＨ）製造速度が増加する。スナップフィット接続および自己締結具は、機械および熟練した労力を必要とするリベット留めまたは縫製などの作業を、少なくとも部分的に排除する。これにより、スナップフィットゴルフバッグをより低いオーバーヘッドコストで製造することができる。
【０４６２】
カートバッグツーピースベースアセンブリ１９００は、ワンピースベースを有する従来技術のカートバッグを製造するためのＰＰＨ速度よりも２０％〜３０％速いＰＰＨ製造速度を有する。組み立てプロセスの一実施形態では、特定の組み立てステップは、組み立て者に対して、ベースからゴルフバッグの平坦部に到達することを要求とする。これらのステップのために、ワンピースベースを有するゴルフバッグを製造するとき、一旦平坦部がベースに取付けられると、ゴルフバッグの内側に容易にアクセスすることができないので、組立者はベースを平坦部上に固定するために、製造プロセスの終わり近くまで待たなければならない。あるいはワンピースベースは、第１の製造現場で平坦部上に縫い付けることができる。これは、特定の組立ステップを完了するために、バッグのポケットまたは頂部を通って到達する不便さを、第２の製造現場の組立者に制限する。ベースアセンブリ１９００は、第２の製造段階中に、組立者がゴルフバッグ１０１０の内側に便利にアクセスすることを可能にする。これにより、必要な製造時間が短縮される。
【０４６３】
１つの比較研究において、ワンピースベースを有するカートバッグを、本明細書に開示されるツーピーススナップオンベースアセンブリを有するカートバッグ１０１０と比較した。ツーピーススナップベースがより速く平坦に接続され得るので、ツーピーススナップオンベースを有するカートバッグ１０１０の組み立ては、ワンピースのベースを有するカートバッグの組み立てよりも２０％〜３０％速かった。さらに、ツーピーススナップベースは、リベット締めを使用せずに平坦部に接続することができる。一例では、ツーピーススナップベースを有するカートバッグ１０１０の組み立ては、ワンピースベースを有するカートバッグの組み立てよりも２４％速かった。
【０４６４】
ツーピースベースアセンブリ９００、１９００は、ワンピースベース３４、１０３４を有するシステムと比較して、ゴルフバッグ１０、１０１０のより効率的な組み立てを可能にする。リング部分９１０、１９１０は、スナップフィット接続、縫合、ピン、ボタン、クランプ、ジッパー、または任意の他の適切な機構を介して、平坦部に結合され得る。ベースアセンブリ９００、１９００は、リング部分９１０、１９１０の底部の開口部を介して、平坦部１４の内部へのアクセスを提供する。これは、ゴルフバッグ１０、１０１０の上部を通って入ることによって、平坦部１４、１０１４をベース３４、１０３４に結合するのとは対照的に、より容易な結合プロセスを可能にする。分割スリーブ４６のベース９２０、１９２０への結合は、ベース９２０、１９２０とリング部分９１０、１９１０との結合の前に完了することができる。これは、ベース部分９１０、１９１０の内部への容易なアクセスを提供し、ゴルフバッグ１０、１０１０の上部を通って入ることによって、仕切りスリーブ４６をベース部分９２０、１９２０に取付けることとは対照的に、より容易な製造プロセスを可能にする。
【０４６５】
本明細書に記載されるゴルフバッグ１０、１０１０の別の利点は、ゴルフバッグの設計されたカスタマイズ特徴からの、時間およびコストの節約である。例えば、取り外し可能なポケットは、取り外し可能なポケットセクションで上述したように、ポケット上にロゴを用いて注文されたゴルフバッグの納期を短縮する。例えば、モジュラー（スナップフィット）仕切り頂部は、仕切り頂部開口の数および／または仕切り頂部の色のカスタマイズを可能にする。単一部品のリベット留めされた仕切り頂部を有するゴルフバッグの場合、仕切り頂部を固定するために使用される永久リベットのために、バッグの組み立て前に、受取人が要求する仕切り頂部のスタイルを決定しなければならない。しかしながら、ゴルフバッグ１０、１０１０が上述のモジュール式仕切り頂部を有するように構成される場合、ゴルフバッグ１０、１０１０は所望のスタイルが分かる前に、サブアセンブリ４２、１０４２またはほぼ完全なゴルフバッグに組み立てることができる。モジュール式仕切り頂部、取り外し可能なポケット、および他のカスタマイズ機能により、供給会社は、顧客の注文を受け取ったときに迅速にカスタマイズすることが可能な、部分的に組み立てられたバッグの在庫を、製造することができる。
【０４６６】
エンジニアリングされたカスタマイズ機能は、約４０％〜５０％、５０％〜６０％、または６０％〜７０％だけ（顧客の注文とゴルフバッグの出荷との間の）回転時間を短縮することができる。いくつかの特徴では、回転時間は、９０〜１８０日から３０〜４５日に短縮される。顧客の注文とゴルフバッグの受取人への出荷との間の時間を短縮することは、顧客の満足度を高める。
【０４６７】
ゴルフバッグ１０、１０１０を自己組立キットとして受取人に提供することによっても、製造コストおよび時間を削減することができる。例えば、以下に詳細に説明するキャリーバッグ１０自己組立キット４００は、受取人がスタンドアセンブリ５００を設置することを必要とし、これにより、供給会社のバッグ製造時間がキャリーバッグ１０当たり約３０〜６０秒短縮される。この製造時間の短縮は、供給会社にとって年間約３８０〜４００時間（４７．５〜５０日）の労働時間の節約になる。さらに、スタンドアセンブリ５００を輸送のためにキャリーバッグ１０の残りの部分から分離することは、上記のように、必要な箱の容積および輸送コストを減少させる。
条項
［条項１］
ゴルフバッグのためのサブアセンブリであって、
前記サブアセンブリは、
仕切り頂部と、
ベースと、
第１ステーと、第２ステーと、第２端部と反対側の第１端部を有するメインステーと、を含む複数のステーと、
前記メインステーの前記第１端部に連結された頂部ヒンジと、
前記メインステーの前記第２端部に連結されたベースヒンジと、
を備え、
前記メインステーは、前記頂部ヒンジによって前記仕切り頂部にヒンジ連結されており、
前記ステーは、前記ベースヒンジによって前記ベースにヒンジ連結されている、サブアセンブリ。
［条項２］
前記サブアセンブリは、カートタイプのゴルフバッグに組み立てられるように構成されている、条項１に記載のサブアセンブリ。
［条項３］
前記サブアセンブリは、前記第１および第２ステーが両方とも前記仕切り頂部と係合解除されたときに、折り畳み可能である、条項１に記載のサブアセンブリ。
［条項４］
前記サブアセンブリは、前記第１および第２ステーが両方とも前記ベースと係合解除されたときに、折り畳み可能である、条項１に記載のサブアセンブリ。
［条項５］
前記メインステーは、前記第１端部から前記第２端部まで剛性を有する、条項１に記載のサブアセンブリ。
［条項６］
前記仕切り頂部は、前記メインステーに対して旋回するように構成されており、
前記ベースは、前記ステーに対して旋回するように構成されている、条項１に記載のサブアセンブリ。
［条項７］
前記仕切り頂部および前記ベースに連結された仕切りスリーブをさらに備える、条項１に記載のサブアセンブリ。
［条項８］
前記ベースは、ベースステー受容チャネルと、第１のベースステーハブと、第２のベースステーハブと、を備えており、
前記ベースステー受容チャネルは、前記メインステーに連結される前記ベースヒンジに係合するように構成されており、
前記第１のベースステーハブは、前記第１ステーと係合するように構成されており、
前記第２のベースステーハブは、前記第２ステーと係合するように構成されている、
条項１に記載のサブアセンブリ。
［条項９］
前記仕切り頂部は、頂部ステー受容チャネルと、第１の頂部ステーハブと、第２の頂部ステーハブと、を備えており、
前記頂部ステー受容チャネルは、前記メインステーに連結される前記頂部ヒンジに係合するように構成されており、
前記第１の頂部ステーハブは、前記第１ステーと係合するように構成されており、
前記第２の頂部ステーハブは、前記第２ステーと係合するように構成されている、条項１に記載のサブアセンブリ。
［条項１０］
前記ベースは、外側リングをさらに備えており、
前記ベースステー受容チャネルは、前記外側リングの内面上に配置されている、条項８に記載のサブアセンブリ。
［条項１１］
前記ベースは、外側リングをさらに備えており、
前記第１のステーハブおよび前記第２のステーハブは、前記外側リングの外面上に配置されている、条項８に記載のサブアセンブリ。
［条項１２］
前記仕切り頂部は、外側リングをさらに備えており、
前記頂部ステー受容チャネルは、前記外側リングの内面上に配置されている、条項９に記載のサブアセンブリ。
［条項１３］
前記仕切り頂部は、外側リングをさらに備えており、
前記第１の頂部ステーハブおよび前記第２の頂部ステーハブは、前記外側リングの外面上に配置されている、条項９に記載のサブアセンブリ。
［条項１４］
平坦部と、サブアセンブリと、を備えるゴルフバッグであって、
前記サブアセンブリは、
仕切り頂部と、
ベースと、
第１ステーと、第２ステーと、第２端部と反対側の第１端部を有するメインステーと、を含む複数のステーと、
前記メインステーの前記第１端部に連結された頂部ヒンジと、
前記メインステーの前記第２端部に連結されたベースヒンジであって、前記メインステーは前記頂部ヒンジによって前記仕切り頂部にヒンジ連結されており、前記ステーは前記ベースヒンジによって前記ベースにヒンジ連結されている、前記ベースヒンジと、
を有しており、
前記平坦部は、サブアセンブリと係合してゴルフバッグを形成するように構成されている、ゴルフバッグ。
［条項１５］
前記ゴルフバッグはカート型ゴルフバッグである、条項１４に記載のゴルフバッグ。
［条項１６］
前記メインステーは、前記第１端部から前記第２端部まで剛性を有する、条項１４に記載のゴルフバッグ。
［条項１７］
前記仕切り頂部は、前記メインステーに対して旋回するように構成されており、
前記ベースは、前記ステーに対して旋回するように構成されている、条項１４に記載のゴルフバッグ。
［条項１８］
前記仕切り頂部および前記ベースに連結された仕切りスリーブをさらに備える、条項１４に記載のゴルフバッグ。
［条項１９］
前記ベースは、ベースステー受容チャネルと、第１のベースステーハブと、第２のベースステーハブと、を備えており、
前記ベースステー受容チャネルは、前記メインステーに連結される前記ベースヒンジに係合するように構成されており、
前記第１のベースステーハブは、前記第１ステーと係合するように構成されており、
前記第２のベースステーハブは、前記第２ステーと係合するように構成されている、
条項１４に記載のゴルフバッグ。
［条項２０］
前記仕切り頂部は、頂部ステー受容チャネルと、第１の頂部ステーハブと、第２の頂部ステーハブと、を備えており、
前記頂部ステー受容チャネルは、前記メインステーに連結される前記頂部ヒンジに係合するように構成されており、
前記第１の頂部ステーハブは、前記第１ステーと係合するように構成されており、
前記第２の頂部ステーハブは、前記第２ステーと係合するように構成されている、
条項１４に記載のゴルフバッグ。
【図１Ａ】
2020531158.tif 000005
【図１Ｂ】
2020531158.tif 000006
【図１Ｃ】
2020531158.tif 000007
【図１Ｄ】
2020531158.tif 000008
【図１Ｅ】
2020531158.tif 000009
【図２】
2020531158.tif 000010
【図３】
2020531158.tif 000011
【図４】
2020531158.tif 000012
【図５】
2020531158.tif 000013
【図６Ａ】
2020531158.tif 000014
【図６Ｂ】
2020531158.tif 000015
【図６Ｃ】
2020531158.tif 000016
【図７】
2020531158.tif 000017
【図８】
2020531158.tif 000018
【図９】
2020531158.tif 000019
【図１０】
2020531158.tif 000020
【図１１】
2020531158.tif 000021
【図１２】
2020531158.tif 000022
【図１３】
2020531158.tif 000023
【図１４】
2020531158.tif 000024
【図１５】
2020531158.tif 000025
【図１６】
2020531158.tif 000026
【図１７】
2020531158.tif 000027
【図１８】
2020531158.tif 000028
【図１９】
2020531158.tif 000029
【図２０】
2020531158.tif 000030
【図２１】
2020531158.tif 000031
【図２２】
2020531158.tif 000032
【図２３】
2020531158.tif 000033
【図２４】
2020531158.tif 000034
【図２５】
2020531158.tif 000035
【図２６Ａ】
2020531158.tif 000036
【図２６Ｂ】
2020531158.tif 000037
【図２７Ａ】
2020531158.tif 000038
【図２７Ｂ】
2020531158.tif 000039
【図２８Ａ】
2020531158.tif 000040
【図２８Ｂ】
2020531158.tif 000041
【図２９】
2020531158.tif 000042
【図３０】
2020531158.tif 000043
【図３１】
2020531158.tif 000044
【図３２】
2020531158.tif 000045
【図３３】
2020531158.tif 000046
【図３４】
2020531158.tif 000047
【図３５】
2020531158.tif 000048
【図３６】
2020531158.tif 000049
【図３７】
2020531158.tif 000050
【図３８】
2020531158.tif 000051
【図３９】
2020531158.tif 000052
【図４０】
2020531158.tif 000053
【図４１】
2020531158.tif 000054
【図４２】
2020531158.tif 000055
【図４３】
2020531158.tif 000056
【図４４】
2020531158.tif 000057
【図４５】
2020531158.tif 000058
【図４６】
2020531158.tif 000059
【図４７】
2020531158.tif 000060
【図４８】
2020531158.tif 000061
【図４９】
2020531158.tif 000062
【図５０】
2020531158.tif 000063
【図５１】
2020531158.tif 000064
【図５２】
2020531158.tif 000065
【図５３】
2020531158.tif 000066
【図５４】
2020531158.tif 000067
【図５５】
2020531158.tif 000068
【図５６】
2020531158.tif 000069
【図５７】
2020531158.tif 000070
【図５８】
2020531158.tif 000071
【図５９】
2020531158.tif 000072
【図６０】
2020531158.tif 000073
【図６１】
2020531158.tif 000074
【図６２】
2020531158.tif 000075
【図６３】
2020531158.tif 000076
【図６４】
2020531158.tif 000077
【図６５】
2020531158.tif 000078
【図６６】
2020531158.tif 000079
【図６７】
2020531158.tif 000080
【図６８】
2020531158.tif 000081
【図６９】
2020531158.tif 000082
【図７０】
2020531158.tif 000083
【図７１】
2020531158.tif 000084
【図７２】
2020531158.tif 000085
【図７３】
2020531158.tif 000086
【図７４】
2020531158.tif 000087
【図７５】
2020531158.tif 000088
【図７６】
2020531158.tif 000089
【図７７】
2020531158.tif 000090
【図７８】
2020531158.tif 000091
【図７９】
2020531158.tif 000092
【図８０】
2020531158.tif 000093
【図８１】
2020531158.tif 000094
【図８２】
2020531158.tif 000095
【図８３】
2020531158.tif 000096
【図８４】
2020531158.tif 000097
【図８５】
2020531158.tif 000098
【図８６】
2020531158.tif 000099
【図８７】
2020531158.tif 000100
【図８８】
2020531158.tif 000101
【図８９】
2020531158.tif 000102
【図９０】
2020531158.tif 000103
【図９１】
2020531158.tif 000104
【図９２】
2020531158.tif 000105
【図９３Ａ】
2020531158.tif 000106
【図９３Ｂ】
2020531158.tif 000107
【図９３Ｃ】
2020531158.tif 000108
【図９４Ａ】
2020531158.tif 000109
【図９４Ｂ】
2020531158.tif 000110
【図９５】
2020531158.tif 000111
【図９６】
2020531158.tif 000112
【図９７Ａ】
2020531158.tif 000113
【図９７Ｂ】
2020531158.tif 000114
【図９８】
2020531158.tif 000115
【図９９】
2020531158.tif 000116
【図１００】
2020531158.tif 000117
【図１０１Ａ】
2020531158.tif 000118
【図１０１Ｂ】
2020531158.tif 000119
【図１０２】
2020531158.tif 000120
【図１０３】
2020531158.tif 000121
【図１０４】
2020531158.tif 000122
【図１０５Ａ】
2020531158.tif 000123
【図１０５Ｂ】
2020531158.tif 000124
【図１０６】
2020531158.tif 000125
【図１０７】
2020531158.tif 000126
【図１０８】
2020531158.tif 000127
【図１０９】
2020531158.tif 000128
【図１１０】
2020531158.tif 000129
【図１１１】
2020531158.tif 000130
【図１１２】
2020531158.tif 000131
【図１１３】
2020531158.tif 000132
【図１１４】
2020531158.tif 000133
【図１１５】
2020531158.tif 000134
【図１１６】
2020531158.tif 000135
【図１１７】
2020531158.tif 000136
【図１１８】
2020531158.tif 000137
【図１１９】
2020531158.tif 000138
【図１２０】
2020531158.tif 000139
【図１２１】
2020531158.tif 000140
【図１２２】
2020531158.tif 000141
【図１２３】
2020531158.tif 000142
【図１２４】
2020531158.tif 000143
【図１２５】
2020531158.tif 000144
【図１２６】
2020531158.tif 000145
【図１２７】
2020531158.tif 000146
【図１２８】
2020531158.tif 000147
【図１２９】
2020531158.tif 000148
【図１３０】
2020531158.tif 000149
【図１３１】
2020531158.tif 000150
【図１３２】
2020531158.tif 000151
【図１３３】
2020531158.tif 000152
【図１３４】
2020531158.tif 000153
【図１３５】
2020531158.tif 000154
【図１３６】
2020531158.tif 000155
【図１３７】
2020531158.tif 000156
【図１３８】
2020531158.tif 000157
【図１３９】
2020531158.tif 000158
【図１４０】
2020531158.tif 000159
【図１４１】
2020531158.tif 000160
【図１４２】
2020531158.tif 000161
【図１４３】
2020531158.tif 000162
【図１４４】
2020531158.tif 000163
【図１４５Ａ】
2020531158.tif 000164
【図１４５Ｂ】
2020531158.tif 000165
【図１４６】
2020531158.tif 000166
【図１４７】
2020531158.tif 000167
【図１４８】
2020531158.tif 000168
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
ゴルフバッグのためのサブアセンブリであって、
前記サブアセンブリは、
仕切り頂部と、
ベースと、
第１ステーと、第２ステーと、第２端部と反対側の第１端部を有するメインステーと、を含む複数のステーと、
前記メインステーの前記第１端部に連結された頂部ヒンジと、
前記メインステーの前記第２端部に連結されたベースヒンジと、
を備え、
前記メインステーは、前記頂部ヒンジによって前記仕切り頂部にヒンジ連結されており、
前記ステーは、前記ベースヒンジによって前記ベースにヒンジ連結されている、サブアセンブリ。
【請求項２】
前記サブアセンブリは、カートタイプのゴルフバッグに組み立てられるように構成されている、請求項１に記載のサブアセンブリ。
【請求項３】
前記サブアセンブリは、前記第１および第２ステーが両方とも前記仕切り頂部と係合解除されたときに、折り畳み可能である、請求項１または２に記載のサブアセンブリ。
【請求項４】
前記サブアセンブリは、前記第１および第２ステーが両方とも前記ベースと係合解除されたときに、折り畳み可能である、請求項１〜３の何れか１項に記載のサブアセンブリ。
【請求項５】
前記メインステーは、前記第１端部から前記第２端部まで剛性を有する、請求項１〜４の何れか１項に記載のサブアセンブリ。
【請求項６】
前記仕切り頂部は、前記メインステーに対して旋回するように構成されており、
前記ベースは、前記ステーに対して旋回するように構成されている、請求項１〜５の何れか１項に記載のサブアセンブリ。
【請求項７】
前記仕切り頂部および前記ベースに連結された仕切りスリーブをさらに備える、請求項１〜６の何れか１項に記載のサブアセンブリ。
【請求項８】
前記ベースは、ベースステー受容チャネルと、第１のベースステーハブと、第２のベースステーハブと、を備えており、
前記ベースステー受容チャネルは、前記メインステーに連結される前記ベースヒンジに係合するように構成されており、
前記第１のベースステーハブは、前記第１ステーと係合するように構成されており、
前記第２のベースステーハブは、前記第２ステーと係合するように構成されている、請求項１〜７の何れか１項に記載のサブアセンブリ。
【請求項９】
前記仕切り頂部は、頂部ステー受容チャネルと、第１の頂部ステーハブと、第２の頂部ステーハブと、を備えており、
前記頂部ステー受容チャネルは、前記メインステーに連結される前記頂部ヒンジに係合するように構成されており、
前記第１の頂部ステーハブは、前記第１ステーと係合するように構成されており、
前記第２の頂部ステーハブは、前記第２ステーと係合するように構成されている、請求項１〜７の何れか１項に記載のサブアセンブリ。
【請求項１０】
前記ベースは、外側リングをさらに備えており、
前記ベースステー受容チャネルは、前記外側リングの内面上に配置されている、請求項８に記載のサブアセンブリ。
【請求項１１】
前記ベースは、外側リングをさらに備えており、
前記第１のベースステーハブおよび前記第２のベースステーハブは、前記外側リングの外面上に配置されている、請求項８または１０に記載のサブアセンブリ。
【請求項１２】
前記仕切り頂部は、外側リングをさらに備えており、
前記頂部ステー受容チャネルは、前記外側リングの内面上に配置されている、請求項９に記載のサブアセンブリ。
【請求項１３】
前記仕切り頂部は、外側リングをさらに備えており、
前記第１の頂部ステーハブおよび前記第２の頂部ステーハブは、前記外側リングの外面上に配置されている、請求項９または１２に記載のサブアセンブリ。
【請求項１４】
平坦部と、サブアセンブリと、を備えるゴルフバッグであって、
前記サブアセンブリは、
仕切り頂部と、
ベースと、
第１ステーと、第２ステーと、第２端部と反対側の第１端部を有するメインステーと、を含む複数のステーと、
前記メインステーの前記第１端部に連結された頂部ヒンジと、
前記メインステーの前記第２端部に連結されたベースヒンジであって、前記メインステーは前記頂部ヒンジによって前記仕切り頂部にヒンジ連結されており、前記ステーは前記ベースヒンジによって前記ベースにヒンジ連結されている、前記ベースヒンジと、
を有しており、
前記平坦部は、サブアセンブリと係合してゴルフバッグを形成するように構成されている、ゴルフバッグ。
【請求項１５】
前記ゴルフバッグはカート型ゴルフバッグである、請求項１４に記載のゴルフバッグ。
【請求項１６】
前記メインステーは、前記第１端部から前記第２端部まで剛性を有する、請求項１４または１５に記載のゴルフバッグ。
【請求項１７】
前記仕切り頂部は、前記メインステーに対して旋回するように構成されており、
前記ベースは、前記ステーに対して旋回するように構成されている、請求項１４〜１６の何れか１項に記載のゴルフバッグ。
【請求項１８】
前記仕切り頂部および前記ベースに連結された仕切りスリーブをさらに備える、請求項１４〜１７の何れか１項に記載のゴルフバッグ。
【請求項１９】
前記ベースは、ベースステー受容チャネルと、第１のベースステーハブと、第２のベースステーハブと、を備えており、
前記ベースステー受容チャネルは、前記メインステーに連結される前記ベースヒンジに係合するように構成されており、
前記第１のベースステーハブは、前記第１ステーと係合するように構成されており、
前記第２のベースステーハブは、前記第２ステーと係合するように構成されている、請求項１４〜１８の何れか１項に記載のゴルフバッグ。
【請求項２０】
前記仕切り頂部は、頂部ステー受容チャネルと、第１の頂部ステーハブと、第２の頂部ステーハブと、を備えており、
前記頂部ステー受容チャネルは、前記メインステーに連結される前記頂部ヒンジに係合するように構成されており、
前記第１の頂部ステーハブは、前記第１ステーと係合するように構成されており、
前記第２の頂部ステーハブは、前記第２ステーと係合するように構成されている、請求項１４〜１９の何れか１項に記載のゴルフバッグ。
【国際調査報告】
2020531158.tif 000169